(57)【要約】  本発明は、アップリンク伝送のフィードバック情報を送信するための方法および装置を開示する。当該方法では、端末は、スペシャルサブフレームｍにおいて、物理アップリンク共有チャネル（ＰＵＳＣＨ）を送信し、ｍは整数であり、前記端末は、前記スペシャルサブフレームｍの後のダウンリンク伝送リソースが含まれるサブフレームまたはサブフレームｍ+ｋにおいて、アップリンクダウンリンク制御情報（ＤＣＩ）フォーマットを用いるダウンリンク制御チャネルを検出し、前記ｋは正整数であり、前記端末は、前記ダウンリンク制御チャネルにより、前記スペシャルサブフレームｍにおいて伝送されるＰＵＳＣＨを再伝送するか否かを決定する。こうして、スペシャルサブフレームにおいて伝送されるＰＵＳＣＨのフィードバック情報の伝送案が提供され、スペシャルサブフレームにおいて伝送されるＰＵＳＣＨの場合、ＡＣＫ/ＮＡＣＫフィードバック情報を正常に取得することが確保できるようになる。【選択図】図2
2019525535.tif 000002
【特許請求の範囲】
【請求項１】
端末は、スペシャルサブフレームｍにおいて、物理アップリンク共有チャネル（ＰＵＳＣＨ）を送信するステップと、
前記端末は、前記スペシャルサブフレームｍの後のダウンリンク伝送リソースが含まれるサブフレームまたはサブフレームｍ+ｋにおいて、アップリンクダウンリンク制御情報（ＤＣＩ）フォーマットを用いるダウンリンク制御チャネルを検出するステップと、
前記端末は、前記ダウンリンク制御チャネルにより、前記スペシャルサブフレームｍにおいて伝送されるＰＵＳＣＨを再伝送するか否かを決定するステップとを備え、
前記ｍは整数であり、前記ｋは正整数であることを特徴とするアップリンク伝送のフィードバック情報を受信する方法。
【請求項２】
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８または１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または
ＴＤＤ  ＵＬ/ＤＬ構成６の場合、ｍが１であれば、前記ｋは４、５、８、９または１０であり、または
ＴＤＤ  ＵＬ/ＤＬ構成６の場合、ｍが６であれば、前記ｋは３、４、５、９または１０であることを特徴とする請求項１に記載のアップリンク伝送のフィードバック情報を受信する方法。
【請求項３】
前記端末は、前記ダウンリンク制御チャネルにより、前記スペシャルサブフレームｍにおいて伝送されるＰＵＳＣＨを再伝送するか否かを決定するステップでは、
前記端末は、前記ダウンリンク制御チャネルにより、前記ダウンリンク制御チャネルがスペシャルサブフレームにおいて伝送されるＰＵＳＣＨに対応するか否かを決定し、
前記端末は、前記ダウンリンク制御チャネルに対応するスペシャルサブフレームにおいて伝送されるＰＵＳＣＨを決定した後、前記ダウンリンク制御チャネルに含まれる再伝送するか否かを示す指示子に基づき、前記スペシャルサブフレームｍにおいて伝送されるＰＵＳＣＨを再伝送するか否かを決定することを特徴とする請求項１または請求項２に記載のアップリンク伝送のフィードバック情報を受信する方法。
【請求項４】
前記端末は、前記ダウンリンク制御チャネルにより、前記ダウンリンク制御チャネルがスペシャルサブフレームにおいて伝送されるＰＵＳＣＨに対応するかを決定するのは、
前記端末は、前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記端末は、前記ダウンリンク制御チャネルにおける第１指示子に基づき、前記ダウンリンク制御チャネルがスペシャルサブフレームにおいて伝送されるＰＵＳＣＨに対応するか否かを決定し、前記第１指示子は、前記ダウンリンク制御チャネルに対応するＰＵＳＣＨの関連情報を示し、及び/または
前記端末は、前記ダウンリンク制御チャネルにおける第２指示子んい基づき、前記ダウンリンク制御チャネルがスペシャルサブフレームにおいて伝送されるＰＵＳＣＨに対応するか否かを決定し、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記端末は、前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記端末は、前記ダウンリンク制御チャネルにおける２ビットアップリンクインデックスＵＬ ｉｎｄｅｘ指示子に基づき、前記ダウンリンク制御チャネルがスペシャルサブフレームにおいて伝送されるＰＵＳＣＨに対応するかを決定することを特徴とする請求項３に記載のアップリンク伝送のフィードバック情報を受信する方法。
【請求項５】
前記端末は、前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定するのは、
前記端末が、前記ダウンリンク制御チャネルが第１ＤＣＩサイズのアップリンクＤＣＩフォーマットを用いると検出すれば、前記端末は、前記ダウンリンク制御チャネルがスペシャルサブフレームにおいて伝送されるＰＵＳＣＨに対応することを決定し、または
前記端末が、前記ダウンリンク制御チャネルが第２ＤＣＩサイズのアップリンクＤＣＩフォーマットを用いると検出すれば、前記端末は、前記ダウンリンク制御チャネルがノーマルサブフレームにおいて伝送されるＰＵＳＣＨに対応することを決定し、
前記第１ＤＣＩサイズと前記第２ＤＣＩサイズは異なることを特徴とする請求項４に記載のアップリンク伝送のフィードバック情報を受信する方法。
【請求項６】
前記第１指示子に、前記ダウンリンク制御チャネルに対応するＰＵＳＣＨのＨＡＲＱプロセス番号が含まれることを特徴とする請求項４に記載のアップリンク伝送のフィードバック情報を受信する方法。
【請求項７】
前記端末は、前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定するのは、
前記端末が、前記ダウンリンク制御チャネルへのスクランブリングに第１ＲＮＴＩを用いると検出すれば、前記端末は、前記ダウンリンク制御チャネルがスペシャルサブフレームにおいて伝送されるＰＵＳＣＨに対応することを決定し、または
前記端末が、前記ダウンリンク制御チャネルへのスクランブリングに第２ＲＮＴＩを用いると検出すれば、前記端末は、前記ダウンリンク制御チャネルがノーマルサブフレームにおいて伝送されるＰＵＳＣＨに対応することを決定し、
前記第１ＲＮＴＩと前記第２ＲＮＴＩは異なることを特徴とする請求項４に記載のアップリンク伝送のフィードバック情報を受信する方法。
【請求項８】
前記第１ＲＮＴＩが複数の端末に共有すれば、前記端末は、前記ダウンリンク制御チャネルがスペシャルサブフレームにおいて伝送されるＰＵＳＣＨに対応することを決定した後、
前記端末は、前記端末のインデックス値に基づき、前記端末の再伝送するか否かを示す指示子の前記ダウンリンク制御チャネルにおける対応位置を決定することを特徴とする請求項７に記載のアップリンク伝送のフィードバック情報を受信する方法。
【請求項９】
前記サブフレームｍ+ｋは、ノーマルサブフレームにおいて伝送されるＰＵＳＣＨに対応するダウンリンク制御チャネルを検出するサブフレームと異なることを特徴とする請求項１に記載のアップリンク伝送のフィードバック情報を受信する方法。
【請求項１０】
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０であることを特徴とする請求項９に記載のアップリンク伝送のフィードバック情報を受信する方法。
【請求項１１】
前記端末は、前記ダウンリンク制御チャネルにより、前記スペシャルサブフレームｍにおいて伝送されるＰＵＳＣＨを再伝送するか否かを決定するのは、
前記端末は、前記ダウンリンク制御チャネルに含まれる再伝送するか否かを示す指示子に基づき、前記スペシャルサブフレームｍにおいて伝送されるＰＵＳＣＨを再伝送するか否かを決定することを特徴とする請求項９に記載のアップリンク伝送のフィードバック情報を受信する方法。
【請求項１２】
前記端末は、前記ダウンリンク制御チャネルにおける２ビットアップリンクインデックスＵＬ ｉｎｄｅｘ指示子に基づき、前記ダウンリンク制御チャネルがスペシャルサブフレームにおいて伝送されるＰＵＳＣＨに対応するか否かを決定するのは、
前記ＵＬ ｉｎｄｅｘの最低有効ビットＬＳＢ及び最高有効ビットＭＳＢのいずれを０とすれば、前記端末は、前記ダウンリンク制御チャネルがスペシャルサブフレームにおいて伝送されるＰＵＳＣＨに対応することを決定し、
前記ＵＬ ｉｎｄｅｘのＬＳＢ及びＭＳＢのうちの少なくとも１つを１とすれば、前記端末は、前記ダウンリンク制御チャネルがノーマルアップリンクサブフレームにおいて伝送されるＰＵＳＣＨに対応することを決定することを特徴とする請求項４に記載のアップリンク伝送のフィードバック情報を受信する方法。
【請求項１３】
基地局は、端末に、スペシャルサブフレームｍにおいて、物理アップリンク共有チャネル（ＰＵＳＣＨ）を送信させるように、スケジューリングするステップと、
前記基地局は、前記スペシャルサブフレームｍにおいて、前記端末により送信されたＰＵＳＣＨを検出するステップと、
前記基地局は、前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信するステップとを備え、
前記ｍは整数であり、前記ｋは正整数であり、前記ダウンリンク制御チャネルに前記スペシャルサブフレームｍにおけるＰＵＳＣＨが再伝送するか否かを示す指示子が含まれることを特徴とするアップリンク伝送のフィードバック情報を送信する方法。
【請求項１４】
前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８、１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または，
ＴＤＤ  ＵＬ/ＤＬ構成６の場合、ｍが１であれば、前記ｋは４、５、８、９または１０であり、または，
ＴＤＤ  ＵＬ/ＤＬ構成６の場合、ｍが６であれば、前記ｋは３、４、５、９または１０であることを特徴とする請求項１３に記載のアップリンク伝送のフィードバック情報を送信する方法。
【請求項１５】
前記基地局は、前記端末にアップリンクＤＣＩフォーマットを利用するダウンリンク制御チャネルを送信するステップでは、
前記基地局は、前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定し、及び/または
前記基地局は、前記ダウンリンク制御チャネルに第１指示子が含まれ、前記第１指示子は、前記ダウンリンク制御チャネルに対応するＰＵＳＣＨの関連情報を示し、及び/または
前記基地局は、前記ダウンリンク制御チャネルに第２指示子が含ませ、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示子の値を決定することを特徴とする請求項１３または請求項１４に記載のアップリンク伝送のフィードバック情報を送信する方法。
【請求項１６】
前記基地局は、前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定するのは、
前記ダウンリンク制御チャネルがスペシャルサブフレームにおいて伝送されるＰＵＳＣＨに対応すれば、前記基地局は、前記ダウンリンク制御チャネルが第１ＤＣＩサイズのアップリンクＤＣＩフォーマットを用いることを決定し、または
前記ダウンリンク制御チャネルがノーマルサブフレームにおいて伝送されるＰＵＳＣＨに対応すれば、前記基地局は、前記ダウンリンク制御チャネルが第２ＤＣＩサイズのアップリンクＤＣＩフォーマットを用いることを決定し、
前記第１ＤＣＩサイズと前記第２ＤＣＩサイズは異なることを特徴とする請求項１５に記載のアップリンク伝送のフィードバック情報を送信する方法。
【請求項１７】
前記第１指示子に、前記ダウンリンク制御チャネルに対応するＰＵＳＣＨのＨＡＲＱプロセス番号が含まれることを特徴とする請求項１５に記載のアップリンク伝送のフィードバック情報を送信する方法。
【請求項１８】
前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定するのは、
前記ダウンリンク制御チャネルがスペシャルサブフレームにおいて伝送されるＰＵＳＣＨに対応すれば、前記基地局は、前記ダウンリンク制御チャネルへのスクランブリングに第１ＲＮＴＩを用いてスクランブリングすることを決定し、または
前記ダウンリンク制御チャネルがノーマルサブフレームにおいて伝送されるＰＵＳＣＨに対応すれば、前記基地局は、前記ダウンリンク制御チャネルへのスクランブリングに第２ＲＮＴＩを用いることを決定し、
前記第１ＲＮＴＩと前記第２ＲＮＴＩは異なることを特徴とする請求項１５に記載のアップリンク伝送のフィードバック情報を送信する方法。
【請求項１９】
スペシャルサブフレームに対応するＲＮＴＩが複数の端末により共有すれば、
前記基地局は、複数の端末のインデックス値に基づき、複数の端末の再伝送するか否かを示す指示子を、スペシャルサブフレームに対応する前記ダウンリンク制御チャネルにおける対応の位置にマッピングすることを特徴とする請求項１５に記載のアップリンク伝送のフィードバック情報を送信する方法。
【請求項２０】
前記サブフレームｍ+ｋは、ノーマルサブフレームにおいて伝送されるＰＵＳＣＨに対応するダウンリンク制御チャネルを伝送するサブフレームと異なることを特徴とする請求項１３に記載のアップリンク伝送のフィードバック情報を送信する方法。
【請求項２１】
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０であることを特徴とする請求項２０に記載のアップリンク伝送のフィードバック情報を送信する方法。
【請求項２２】
前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示子の値を決定する場合、
前記ダウンリンク制御チャネルがスペシャルサブフレームにおいて伝送されるＰＵＳＣＨに対応すれば、前記基地局は、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記基地局は、前記ＵＬ ｉｎｄｅｘのＬＳＢ及びＭＳＢのうちの少なくとも１つを１とすることを特徴とする請求項１５に記載のアップリンク伝送のフィードバック情報を送信する方法。
【請求項２３】
スペシャルサブフレームｍにおいて物理アップリンク共有チャネル（ＰＵＳＣＨ）を送信し、ｍは整数である送信モジュールと、
前記スペシャルサブフレームｍの後のダウンリンク伝送リソースが含まれるサブフレームまたはサブフレームｍ+ｋにおいて、アップリンクダウンリンク制御情報（ＤＣＩ）フォーマットを用いるダウンリンク制御チャネルを検出し、前記ｋは正整数である検出モジュールと、
前記ダウンリンク制御チャネルにより、前記スペシャルサブフレームｍにおいて伝送されるＰＵＳＣＨを再伝送するか否かを決定する決定モジュールとを備えることを特徴とする端末。
【請求項２４】
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８または１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または
ＴＤＤ  ＵＬ/ＤＬ構成６の場合、ｍが１であれば、前記ｋは４、５、８、９または１０であり、または
ＴＤＤ  ＵＬ/ＤＬ構成６の場合、ｍが６であれば、前記ｋは３、４、５、９または１０であることを特徴とする請求項２３に記載の端末。
【請求項２５】
前記決定モジュールは、
前記ダウンリンク制御チャネルにより、前記ダウンリンク制御チャネルがスペシャルサブフレームにおいて伝送されるＰＵＳＣＨに対応するか否かを決定し、
前記ダウンリンク制御チャネルがスペシャルサブフレームにおいて伝送されるＰＵＳＣＨに対応すると決定した後、前記ダウンリンク制御チャネルに含まれる再伝送するか否かを示す指示子に基づき、前記スペシャルサブフレームｍにおいて伝送されるＰＵＳＣＨを再伝送するか否かを決定することを特徴とする請求項２３または請求項２４に記載の端末。
【請求項２６】
前記決定モジュールは、
前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記ダウンリンク制御チャネルにおける第１指示子に基づき、前記ダウンリンク制御チャネルがスペシャルサブフレームにおいて伝送されるＰＵＳＣＨに対応するか否かを決定し、前記第１指示子は、前記ダウンリンク制御チャネルに対応するＰＵＳＣＨの関連情報を示し、及び/または
前記ダウンリンク制御チャネルにおける第２指示子に基づき、前記ダウンリンク制御チャネルがスペシャルサブフレームにおいて伝送されるＰＵＳＣＨに対応するか否かを決定し、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記ダウンリンク制御チャネルにおける２ビットアップリンクインデックスＵＬ ｉｎｄｅｘ指示子に基づき、前記ダウンリンク制御チャネルがスペシャルサブフレームにおいて伝送されるＰＵＳＣＨに対応するかを決定することを特徴とする請求項２５に記載の端末。
【請求項２７】
前記決定モジュールは、
前記検出モジュールが、前記ダウンリンク制御チャネルが第１ＤＣＩサイズのアップリンクＤＣＩフォーマットを用いると検出すれば、前記ダウンリンク制御チャネルがスペシャルサブフレームにおいて伝送されるＰＵＳＣＨに対応することを決定し、
または、前記検出モジュールが、前記ダウンリンク制御チャネルが第２ＤＣＩサイズのアップリンクＤＣＩフォーマットを用いると検出すれば、前記ダウンリンク制御チャネルがノーマルサブフレームにおいて伝送されるＰＵＳＣＨに対応することを決定し、前記第１ＤＣＩサイズと前記第２ＤＣＩサイズは異なることを特徴とする請求項２６に記載の端末。
【請求項２８】
前記第１指示子に、前記ダウンリンク制御チャネルに対応するＰＵＳＣＨのＨＡＲＱプロセス番号が含まれることを特徴とする請求項２６に記載の端末。
【請求項２９】
前記決定モジュールは、
前記検出モジュールが第１ＲＮＴＩで前記ダウンリンク制御チャネルへスクランブリングを行うことを検出すれば、前記ダウンリンク制御チャネルがスペシャルサブフレームにおいて伝送されるＰＵＳＣＨに対応することを決定し、
または、前記検出モジュールが第２ＲＮＴＩで前記ダウンリンク制御チャネルへのスクランブリングを行うことを検出すれば、前記ダウンリンク制御チャネルがノーマルサブフレームにおいて伝送されるＰＵＳＣＨに対応することを決定し、
前記第１ＲＮＴＩと前記第２ＲＮＴＩは異なることを特徴とする請求項２６に記載の端末。
【請求項３０】
前記第１ＲＮＴＩが複数の端末に共有すれば、前記決定モジュールは、
前記端末のインデックス値に基づき、前記端末の再伝送するか否かを示す指示子の前記ダウンリンク制御チャネルにおける対応位置を決定することを特徴とする請求項２９に記載の端末。
【請求項３１】
前記サブフレームｍ+ｋは、ノーマルサブフレームにおいて伝送されるＰＵＳＣＨに対応するダウンリンク制御チャネルを検出するサブフレームと異なる。ことを特徴とする請求項２３に記載の端末。
【請求項３２】
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０であることを特徴とする請求項３１に記載の端末。
【請求項３３】
前記決定モジュールは、
前記ダウンリンク制御チャネルに含まれる再伝送するか否かを示す指示子に基づき、前記スペシャルサブフレームｍにおいて伝送されるＰＵＳＣＨを再伝送するか否かを決定することを特徴とする請求項３１に記載の端末。
【請求項３４】
前記決定モジュールは、
前記ＵＬ ｉｎｄｅｘの最低有効ビットＬＳＢ及び最高有効ビットＭＳＢのいずれを０とすれば、前記ダウンリンク制御チャネルがスペシャルサブフレームにおいて伝送されるＰＵＳＣＨに対応することを決定し、
前記ＵＬ ｉｎｄｅｘのＬＳＢ及びＭＳＢのうちの少なくとも１つを１とすれば、前記ダウンリンク制御チャネルがノーマルアップリンクサブフレームにおいて伝送されるＰＵＳＣＨに対応することを決定することを特徴とする請求項２６に記載の端末。
【請求項３５】
端末に、スペシャルサブフレームｍにおいて、物理アップリンク共有チャネル（ＰＵＳＣＨ）を送信させるように、スケジューリングし、前記ｍは整数であるスケジューリングモジュールと、
前記スペシャルサブフレームｍにおいて、前記端末により送信されたＰＵＳＣＨを検出する検出モジュールと、
前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信し、ｋは正整数であり、前記ダウンリンク制御チャネルに前記スペシャルサブフレームｍにおけるＰＵＳＣＨが再伝送するか否かを示す指示子が含まれる処理モジュールとを備えることを特徴とする基地局。
【請求項３６】
前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８、１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または，
ＴＤＤ  ＵＬ/ＤＬ構成６の場合、ｍが１であれば、前記ｋは４、５、８、９または１０であり、または，
ＴＤＤ  ＵＬ/ＤＬ構成６の場合、ｍが６であれば、前記ｋは３、４、５、９または１０であることを特徴とする請求項３５に記載の基地局。
【請求項３７】
前記処理モジュールは、
前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定し、及び/または
前記ダウンリンク制御チャネルに第１指示子が含まれ、前記第１指示子は、前記ダウンリンク制御チャネルに対応するＰＵＳＣＨの関連情報を示し、及び/または
前記ダウンリンク制御チャネルに第２指示子が含まれ、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示子の値を決定することを特徴とする請求項３５または請求項３６に記載の基地局。
【請求項３８】
前記処理モジュールは、
前記ダウンリンク制御チャネルがスペシャルサブフレームにおいて伝送されるＰＵＳＣＨに対応すれば、前記ダウンリンク制御チャネルが第１ＤＣＩサイズのアップリンクＤＣＩフォーマットを用いることを決定し、
または、前記ダウンリンク制御チャネルがノーマルサブフレームにおいて伝送されるＰＵＳＣＨに対応すれば、前記ダウンリンク制御チャネルが第２ＤＣＩサイズのアップリンクＤＣＩフォーマットを用いることを決定し、
前記第１ＤＣＩサイズと前記第２ＤＣＩサイズは異なることを特徴とする請求項３７に記載の基地局。
【請求項３９】
前記第１指示子に、前記ダウンリンク制御チャネルに対応するＰＵＳＣＨのＨＡＲＱプロセス番号が含まれることを特徴とする請求項３７に記載の基地局。
【請求項４０】
前記処理モジュールは、
前記ダウンリンク制御チャネルがスペシャルサブフレームにおいて伝送されるＰＵＳＣＨに対応すれば、前記ダウンリンク制御チャネルへのスクランブリングに第１ＲＮＴＩを用いてスクランブリングすることを決定し、
または、前記ダウンリンク制御チャネルがノーマルサブフレームにおいて伝送されるＰＵＳＣＨに対応すれば、前記ダウンリンク制御チャネルへのスクランブリングに第２ＲＮＴＩを用いることを決定し、
前記第１ＲＮＴＩと前記第２ＲＮＴＩは異なることを特徴とする請求項３７に記載の基地局。
【請求項４１】
スペシャルサブフレームに対応するＲＮＴＩが複数の端末により共有すれば、前記処理モジュールは、
複数の端末のインデックス値に基づき、複数の端末の再伝送するか否かを示す指示子を、スペシャルサブフレームに対応する前記ダウンリンク制御チャネルにおける対応の位置にマッピングすることを特徴とする請求項３７に記載の基地局。
【請求項４２】
前記サブフレームｍ+ｋは、ノーマルサブフレームにおいて伝送されるＰＵＳＣＨに対応するダウンリンク制御チャネルを伝送するサブフレームと異なることを特徴とする請求項３５に記載の基地局。
【請求項４３】
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０であることを特徴とする請求項４２に記載の基地局。
【請求項４４】
前記処理モジュールは、
前記ダウンリンク制御チャネルがスペシャルサブフレームにおいて伝送されるＰＵＳＣＨに対応すれば、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記ＵＬ ｉｎｄｅｘのＬＳＢ及びＭＳＢのうちの少なくとも１つを１とすることを特徴とする請求項３７に記載の基地局。
【請求項４５】
送受信機と、前記送受信機と接続する少なくとも１つのプロセッサとを備え、
前記プロセッサは、前記メモリに格納されたプログラムを読み出して、
前記送受信機がスペシャルサブフレームｍにおいてＰＵＳＣＨを送信するように、制御し、前記スペシャルサブフレームｍの後のダウンリンク伝送リソースが含まれるサブフレームまたはサブフレームｍ+ｋにおいて、アップリンクＤＣＩフォーマットを利用するダウンリンク制御チャネルを検出し、
前記ダウンリンク制御チャネルにより、前記スペシャルサブフレームｍにおいて送信されたＰＵＳＣＨを再伝送するか否かを決定し、前記ｍは整数であり、前記ｋは正整数であり、
前記送受信機は、前記プロセッサの制御によりデータを送受信することを特徴とする端末。
【請求項４６】
送受信機と、前記送受信機と接続する少なくとも１つのプロセッサとを備え、
前記プロセッサは、メモリに格納されたプログラムを読み出して、
前記送受信機により、スケジューリング端末に、スペシャルサブフレームｍにおいて、物理アップリンク共有チャネル（ＰＵＳＣＨ）を送信させるように、スケジューリングし、
前記スペシャルサブフレームｍにおいて、前記端末により送信されたＰＵＳＣＨを検出し、
前記スペシャルサブフレームｍの後のダウンリンク伝送リソースが含まれるサブフレームまたはサブフレームｍ+ｋにおいて、前記送受信機が前記端末にアップリンクダウンリンク制御情報（ＤＣＩ）フォーマットを用いるダウンリンク制御チャネルを送信するように制御し、
前記ｍは整数であり、ｋは正整数であり、前記ダウンリンク制御チャネルに、前記スペシャルサブフレームｍにおけるＰＵＳＣＨが再伝送するか否かを示す指示子が含まれ、
前記送受信機は、前記プロセッサの制御によりデータを送受信することを特徴とする基地局。
【発明の詳細な説明】
【技術分野】
【０００１】
本発明は、無線通信技術分野に関し、特に、アップリンク伝送のフィードバック情報を送信するための方法および装置に関する。
【背景技術】
【０００２】
図１に示すように、従来のＬＴＥ（Ｌｏｎｇ Ｔｅｒｍ Ｅｖｏｌｕｔｉｏｎ）時分割複信ＴＤＤ（Ｔｉｍｅ Ｄｉｖｉｓｉｏｎ Ｄｕｐｌｅｘ）システムは、フレーム構造タイプ２（ｆｒａｍｅ ｓｔｒｕｃｔｕｒｅ ｔｙｐｅ ２，ＦＳ２）を使用する。ＴＤＤシステムでは、アップリンク及びダウンリンク伝送は、同一周波数上で異なるサブフレームを使用するか、異なるタイムスロットを使用する。ＦＳ２の各１０ｍs無線フレームは２つの５ｍsハーフフレームで構成され、各フレームには１ｍs長さの５つのサブフレームが含まれている。ＦＳ２のサブフレームは、ダウンリンクサブフレームと、サブフレームと、スペシャルサブフレームの３種類に分類される。スペシャルサブフレームはダウンリンクパイロットタイムスロット（ＤｗＰＴＳ）とガード期間（ＧＰ）３つの部分から構成されている。表１は、ＦＳ２でサポートされている７つのアップリンクおよびダウンリンクサブフレーム構成を示す。
【０００３】
【表１】
2019525535.tif 000003
Rel-１３までの特殊サブフレームは、ＤｗＰＴＳとＵｐＰＴＳのシンボル長を指定する表２に示すような１０の構成をサポートする。いずれの構成にDwPTS及びＵｐＰＴＳのシンボル長が規定されており、ＧＰの長さは、で１サブフレームのシンボルの総数と、ＤｗＰＴＳとＵｐＰＴＳシンボル長の差から得られる。
【０００４】
【表２】
2019525535.tif 000004
表２において、Ｘは、高位層のシグナリングにより設定された値であり、ＵｐＰＴＳの長さをさらに拡張するために使用されている。現在、X = ２または４シンボルがサポートされている。ＤｗＰＴＳは、ダウンリンクパイロット、ダウンリンクサービスデータ（ダウンリンク共有チャネル）、ダウンリンク制御シグナリング（ダウンリンク共有チャネル）を伝送することができる。ＧＰは信号を送信しない。ＵｐＰＴＳはランダムアクセスとサウンディング参考信号（Ｓｏｕｎｄｉｎｇ Ｒｅｆｅｒｅｎｃｅ Ｓｙｍｂｏｌ、ＳＲＳ）のみを伝送し、アップリンクサービス（アップンリンク共有チャネル）またはアップリング制御情報（アップリンク制御チャネル）を伝送することはできない。
【０００５】
従来のＬＴＥ ＴＤＤシステムにおいて、物理アップリンク制御チャネル（Ｐｈｙｓｉｃａｌ Ｕｐｌｉｎｋ Ｓｈａｒｅｄ Ｃｈａｎｎｅｌ， ＰＵＳＣＨ）は、アップリンクサブフレームにおいてのみ送信される。ＡＣＫ/ＮＡＣＫフィードバック情報は、ＨＡＲＱ（Ｐｈｙｓｉｃａｌ Ｈｙｂｒｉｄ−ＡＲＱ Ｉｎｄｉｃａｔｏｒ Ｃｈａｎｎｅｌ， ＰＨＩＣＨ；Ｈｙｂｒｉｄ Ａｕｔｏｍａｔｉｃ Ｒｅｐｅａｔ ｒｅＱｕｅｓｔ， ＨＡＲＱ）において伝送されるか、ＵＬ ｇｒａｎｔが搬送されるダウンリンク制御チャネル（即ち、ちアップリンクダウンリンク制御情報（Ｄｏｗｎｌｉｎｋ Ｃｏｎｔｒｏｌ Ｉｎｆｏｒｍａｔｉｏｎ， ＤＣＩ）フォーマットを利用するダウンリンク制御チャネル）のよって取得することもできる。当該ダウンリンク制御チャネルに新データ指示子（Ｎｅｗ Ｄａｔａ Ｉｎｄｉｃａｔｏｒ， ＮＤＩ）が含まれ、ＮＤＩの反転有無により新データであるかを示す。
【０００６】
端末は、番号がnであるアップリンクサブフレームにおいてＰＵＳＣＨを伝送すると、番号がn+ｋＰＨＩＣＨであるダウンリンクサブフレームにおいてＰＨＩＣＨを受信し、こうして、ＰＵＳＣＨのＡＣＫ/ＮＡＣＫフィードバック情報を取得する。ここで、ｋＰＨＩＣＨの定義は表３に示す。
【０００７】
【表３】
2019525535.tif 000005
表３のサブフレーム番号は無線フレームを単位としたものである。番号がn+ｋであるサブフレームは、n+ｋが９より大きければ、次の無線フレームにおけるサブフレームであることが示され、以下の表においても類似する。
【０００８】
2019525535.tif 000006
【０００９】
2019525535.tif 000007
【００１０】
【表４】
2019525535.tif 000008
【００１１】
【表５】
2019525535.tif 000009
2019525535.tif 000010
【００１２】
【表６】
2019525535.tif 000011
さらに、端末は、ＰＨＩＣＨのために検出されたサブフレームにおいて、ＵＬ ｇｒａｎｔを搬送するダウンリンク制御チャネルを検出する必要があり、すなわち、アップリンクＤＣＩフォーマットを利用するダウンリンク制御チャネルを検出する必要がある。上記ダウンリンク制御チャネルが検出された場合、ＮＤＩ指示子の反転有無によって、当該ダウンリンク制御チャネルが新しいデータ送信をスケジューリングするために使用されるか、または新データ伝送をスケジューリングするために使用されるか、または以前のＰＵＳＣＨをスケジュールして再伝送するために使用されるかを決定する。例えば、最初にＰＵＳＣＨを送信する際に、対応するダウンリンク制御チャネルのＮＤＩが０である場合、ＰＵＳＣＨ後のＰＨＩＣＨ検出用のサブフレームにおいて、ＮＤＩ = ０のダウンリンク制御チャネルが受信された場合、ＮＤＩは反転しないことを意味する。すなわち当該ダウンリンク制御チャネルは、再送信のためにこのＰＵＳＣＨの再送信するように、スケジュールするために使用される。１つのＰＨＩＣＨ検出用のサブフレームにおいて、ＰＨＩＣＨ及びダウンリンク制御チャネルをともに検出すれば、ダウンリンク制御チャネルの情報を基準とする。即ち、ち、ダウンリンク制御チャネルのＮＤＩにより、再伝送するかどうかを決定する。再伝送の場合、当該ダウンリンク制御チャネルにより指示するスケジューリング情報により、当該ＰＵＳＣＨを再伝送する。ＰＨＩＣＨのみを受信し、かつ、ＰＨＩＣＨがＮＡＣＫを指示する場合、当該ＰＵＳＣＨを初回伝送際と同様な構成で再伝送する。
【００１３】
移動通信事業の需要の発展に伴って、個のシンボルDwPTS，２個のシンボルGP及び６個のシンボルＵｐＰＴＳのような、ＴＤＤスペシャルサブフレーム構成を新しく定義するように提案された。新しいスペシャルサブフレームに、ＵｐＰＴＳ長を追加して、端末のＵｐＰＴＳにおけるアップリンク伝送が可能となる。但是，ＵｐＰＴＳで伝送されたアップリンク共有チャネルのＡＣＫ/ＮＡＣＫフィードバック情報がどのように転送されているかは、まだ解決策がない。
【発明の概要】
【発明が解決しようとする課題】
【００１４】
本発明に係る実施例は、アップリンク伝送のフィードバック情報を送信するための方法および装置を提供して、ＵｐＰＴＳで伝送されたアップリンク共有チャネルのＡＣＫ/ＮＡＣＫフィードバック情報がどのように転送されているかが、まだ解決策がないとの従来の課題を解決した
【課題を解決するための手段】
【００１５】
第１態様によれば、アップリンク伝送のフィードバック情報を受信する方法は、
端末は、スペシャルサブフレームｍにおいて、物理アップリンク共有チャネル（ＰＵＳＣＨ）を送信し、ｍは整数であり、
前記端末は、前記スペシャルサブフレームｍの後のダウンリンク伝送リソースが含まれるサブフレームまたはサブフレームｍ+ｋにおいて、アップリンクダウンリンク制御情報（ＤＣＩ）フォーマットを用いるダウンリンク制御チャネルを検出し、前記ｋは正整数であり、
前記端末は、前記ダウンリンク制御チャネルにより、前記スペシャルサブフレームｍにおいて伝送されるＰＵＳＣＨを再伝送するか否かを決定する。
【００１６】
１つの可能の実施態様では、前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８または１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または
ＴＤＤ  ＵＬ/ＤＬ構成６の場合、ｍが１であれば、前記ｋは４、５、８、９または１０であり、または
ＴＤＤ  ＵＬ/ＤＬ構成６の場合、ｍが６であれば、前記ｋは３、４、５、９または１０である。
【００１７】
上記いずれの実施例においても、前記端末は、前記ダウンリンク制御チャネルにより、前記スペシャルサブフレームｍにおいて伝送されるＰＵＳＣＨを再伝送するか否かを決定するのは、
前記端末は、前記ダウンリンク制御チャネルにより、前記ダウンリンク制御チャネルがスペシャルサブフレームにおいて伝送されるＰＵＳＣＨに対応するか否かを決定し、
前記端末は、前記ダウンリンク制御チャネルに対応するスペシャルサブフレームにおいて伝送されるＰＵＳＣＨを決定した後、前記ダウンリンク制御チャネルに含まれる再伝送するか否かを示す指示子に基づき、前記スペシャルサブフレームｍにおいて伝送されるＰＵＳＣＨを再伝送するか否かを決定する。
【００１８】
１つの可能の実施態様では、前記端末は、前記ダウンリンク制御チャネルにより、前記ダウンリンク制御チャネルがスペシャルサブフレームにおいて伝送されるＰＵＳＣＨに対応するか否かを決定するのは、
前記端末は、前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記端末は、前記ダウンリンク制御チャネルにおける第１指示子に基づき、前記ダウンリンク制御チャネルがスペシャルサブフレームにおいて伝送されるＰＵＳＣＨに対応するか否かを決定し、前記第１指示子は、前記ダウンリンク制御チャネルに対応するＰＵＳＣＨの関連情報を示し、及び/または
前記端末は、前記ダウンリンク制御チャネルにおける第２指示子んい基づき、前記ダウンリンク制御チャネルがスペシャルサブフレームにおいて伝送されるＰＵＳＣＨに対応するか否かを決定し、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記端末は、前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記端末は、前記ダウンリンク制御チャネルにおける２ビットアップリンクインデックスＵＬ ｉｎｄｅｘ指示子に基づき、前記ダウンリンク制御チャネルがスペシャルサブフレームにおいて伝送されるＰＵＳＣＨに対応するかを決定する。
【００１９】
１つの可能の実施態様では、前記端末は、前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定する場合、
前記端末が、前記ダウンリンク制御チャネルが第１ＤＣＩサイズのアップリンクＤＣＩフォーマットを用いると検出すれば、前記端末は、前記ダウンリンク制御チャネルがスペシャルサブフレームにおいて伝送されるＰＵＳＣＨに対応することを決定し、または
前記端末が、前記ダウンリンク制御チャネルが第２ＤＣＩサイズのアップリンクＤＣＩフォーマットを用いると検出すれば、前記端末は、前記ダウンリンク制御チャネルがノーマルサブフレームにおいて伝送されるＰＵＳＣＨに対応することを決定し、
前記第１ＤＣＩサイズと前記第２ＤＣＩサイズは異なる。
【００２０】
１つの可能の実施態様では、前記第１指示子に、前記ダウンリンク制御チャネルに対応するＰＵＳＣＨのＨＡＲＱプロセス番号が含まれる。
【００２１】
１つの可能の実施態様では、前記端末は、前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定する場合、
前記端末が、前記ダウンリンク制御チャネルへのスクランブリングに第１ＲＮＴＩを用いると検出すれば、前記端末は、前記ダウンリンク制御チャネルがスペシャルサブフレームにおいて伝送されるＰＵＳＣＨに対応することを決定し、または
前記端末が、前記ダウンリンク制御チャネルへのスクランブリングに第２ＲＮＴＩを用いると検出すれば、前記端末は、前記ダウンリンク制御チャネルがノーマルサブフレームにおいて伝送されるＰＵＳＣＨに対応することを決定し、
前記第１ＲＮＴＩと前記第２ＲＮＴＩは異なる。
【００２２】
１つの可能の実施態様では、前記第１ＲＮＴＩが複数の端末に共有すれば、前記端末は、前記ダウンリンク制御チャネルがスペシャルサブフレームにおいて伝送されるＰＵＳＣＨに対応することを決定した後、前記方法では、
前記端末は、前記端末のインデックス値に基づき、前記端末の再伝送するか否かを示す指示子の前記ダウンリンク制御チャネルにおける対応位置を決定する。
【００２３】
１つの可能の実施態様では、前記サブフレームｍ+ｋは、ノーマルサブフレームにおいて伝送されるＰＵＳＣＨに対応するダウンリンク制御チャネルを検出するサブフレームと異なる。
【００２４】
前記ｋの定義は以下とおりであり、
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０である。
【００２５】
さらに、前記端末は、前記ダウンリンク制御チャネルにより、前記スペシャルサブフレームｍにおいて伝送されるＰＵＳＣＨを再伝送するか否かを決定するのは、
前記端末は、前記ダウンリンク制御チャネルに含まれる再伝送するか否かを示す指示子に基づき、前記スペシャルサブフレームｍにおいて伝送されるＰＵＳＣＨを再伝送するか否かを決定する。
【００２６】
１つの可能の実施態様では、前記端末は、前記ダウンリンク制御チャネルにおける２ビットアップリンクインデックスＵＬ ｉｎｄｅｘ指示子に基づき、前記ダウンリンク制御チャネルがスペシャルサブフレームにおいて伝送されるＰＵＳＣＨに対応するか否かを決定するのは、
前記ＵＬ ｉｎｄｅｘの最低有効ビットＬＳＢ及び最高有効ビットＭＳＢのいずれを０とすれば、前記端末は、前記ダウンリンク制御チャネルがスペシャルサブフレームにおいて伝送されるＰＵＳＣＨに対応することを決定し、
前記ＵＬ ｉｎｄｅｘのＬＳＢ及びＭＳＢのうちの少なくとも１つを１とすれば、前記端末は、前記ダウンリンク制御チャネルがノーマルアップリンクサブフレームにおいて伝送されるＰＵＳＣＨに対応することを決定する。
【００２７】
第２態様によれば、アップリンク伝送のフィードバック情報を送信する方法では、
基地局は、端末に、スペシャルサブフレームｍにおいて、物理アップリンク共有チャネル（ＰＵＳＣＨ）を送信させるように、スケジューリングするステップと、
前記基地局は、前記スペシャルサブフレームｍにおいて、前記端末により送信されたＰＵＳＣＨを検出するステップと、
前記基地局は、前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信するステップとを備え、
前記ｍは整数であり、前記ｋは正整数であり、前記ダウンリンク制御チャネルに前記スペシャルサブフレームｍにおけるＰＵＳＣＨが再伝送するか否かを示す指示子が含まれる。
【００２８】
１つの可能の実施態様では、前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８、１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または，
ＴＤＤ  ＵＬ/ＤＬ構成６の場合、ｍが１であれば、前記ｋは４、５、８、９または１０であり、または，
ＴＤＤ  ＵＬ/ＤＬ構成６の場合、ｍが６であれば、前記ｋは３、４、５、９または１０である。
【００２９】
上記いずれの実施例においても、前記基地局は、前記端末にアップリンクＤＣＩフォーマットを利用するダウンリンク制御チャネルを送信するのは、
前記基地局は、前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定し、及び/または
前記基地局は、前記ダウンリンク制御チャネルに第１指示子が含まれ、前記第１指示子は、前記ダウンリンク制御チャネルに対応するＰＵＳＣＨの関連情報を示し、及び/または
前記基地局は、前記ダウンリンク制御チャネルに第２指示子が含ませ、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示子の値を決定する。
【００３０】
１つの可能の実施態様では、前記基地局は、前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定するのは、
前記ダウンリンク制御チャネルがスペシャルサブフレームにおいて伝送されるＰＵＳＣＨに対応すれば、前記基地局は、前記ダウンリンク制御チャネルが第１ＤＣＩサイズのアップリンクＤＣＩフォーマットを用いることを決定し、または
前記ダウンリンク制御チャネルがノーマルサブフレームにおいて伝送されるＰＵＳＣＨに対応すれば、前記基地局は、前記ダウンリンク制御チャネルが第２ＤＣＩサイズのアップリンクＤＣＩフォーマットを用いることを決定し、
前記第１ＤＣＩサイズと前記第２ＤＣＩサイズは異なる。
【００３１】
１つの可能の実施態様では、前記第１指示子に、前記ダウンリンク制御チャネルに対応するＰＵＳＣＨのＨＡＲＱプロセス番号が含まれる。
【００３２】
１つの可能の実施態様では、前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定するのは、
前記ダウンリンク制御チャネルがスペシャルサブフレームにおいて伝送されるＰＵＳＣＨに対応すれば、前記基地局は、前記ダウンリンク制御チャネルへのスクランブリングに第１ＲＮＴＩを用いてスクランブリングすることを決定し、または
前記ダウンリンク制御チャネルがノーマルサブフレームにおいて伝送されるＰＵＳＣＨに対応すれば、前記基地局は、前記ダウンリンク制御チャネルへのスクランブリングに第２ＲＮＴＩを用いることを決定し、
前記第１ＲＮＴＩと前記第２ＲＮＴＩは異なる。
【００３３】
１つの可能の実施態様では、スペシャルサブフレームに対応するＲＮＴＩが複数の端末により共有すれば、前記基地局は、複数の端末のインデックス値に基づき、複数の端末の再伝送するか否かを示す指示子を、スペシャルサブフレームに対応する前記ダウンリンク制御チャネルにおける対応の位置にマッピングする。
【００３４】
１つの可能の実施態様では、前記サブフレームｍ+ｋは、ノーマルサブフレームにおいて伝送されるＰＵＳＣＨに対応するダウンリンク制御チャネルを伝送するサブフレームと異なる。
【００３５】
前記ｋの定義は以下とおりであり、
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０である。
【００３６】
１つの可能の実施態様では、前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示子の値を決定するのは、
前記ダウンリンク制御チャネルがスペシャルサブフレームにおいて伝送されるＰＵＳＣＨに対応すれば、前記基地局は、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記基地局は、前記ＵＬ ｉｎｄｅｘのＬＳＢ及びＭＳＢのうちの少なくとも１つを１とする。
【００３７】
第３態様によれば、コンピュータ可読記憶媒体は、第1の態様の方法を実施するための実行可能プログラムコードを格納する。
【００３８】
第４態様によれば、コンピュータ可読記憶媒体は、第２の態様の方法を実施するための実行可能プログラムコードを格納する。
【００３９】
第５態様によれば、端末は、
スペシャルサブフレームｍにおいて物理アップリンク共有チャネル（ＰＵＳＣＨ）を送信し、前記ｍは整数である送信モジュールと、
前記スペシャルサブフレームｍの後のダウンリンク伝送リソースが含まれるサブフレームまたはサブフレームｍ+ｋにおいて、アップリンクダウンリンク制御情報（ＤＣＩ）フォーマットを用いるダウンリンク制御チャネルを検出し、前記ｋは正整数である検出モジュールと、
前記ダウンリンク制御チャネルにより、前記スペシャルサブフレームｍにおいて伝送されるＰＵＳＣＨを再伝送するか否かを決定する決定モジュールとを備える。
【００４０】
１つの可能の実施態様では、前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８または１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または
ＴＤＤ  ＵＬ/ＤＬ構成６の場合、ｍが１であれば、前記ｋは４、５、８、９または１０であり、または
ＴＤＤ  ＵＬ/ＤＬ構成６の場合、ｍが６であれば、前記ｋは３、４、５、９または１０である。
【００４１】
上記いずれの実施例においても、前記決定モジュールは、
前記ダウンリンク制御チャネルにより、前記ダウンリンク制御チャネルがスペシャルサブフレームにおいて伝送されるＰＵＳＣＨに対応するか否かを決定し、
前記ダウンリンク制御チャネルがスペシャルサブフレームにおいて伝送されるＰＵＳＣＨに対応すると決定した後、前記ダウンリンク制御チャネルに含まれる再伝送するか否かを示す指示子に基づき、前記スペシャルサブフレームｍにおいて伝送されるＰＵＳＣＨを再伝送するか否かを決定する。
【００４２】
１つの可能の実施態様では、前記決定モジュールは、
前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記ダウンリンク制御チャネルにおける第１指示子に基づき、前記ダウンリンク制御チャネルがスペシャルサブフレームにおいて伝送されるＰＵＳＣＨに対応するか否かを決定し、前記第１指示子は、前記ダウンリンク制御チャネルに対応するＰＵＳＣＨの関連情報を示し、及び/または
前記ダウンリンク制御チャネルにおける第２指示子に基づき、前記ダウンリンク制御チャネルがスペシャルサブフレームにおいて伝送されるＰＵＳＣＨに対応するか否かを決定し、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記ダウンリンク制御チャネルにおける２ビットアップリンクインデックスＵＬ ｉｎｄｅｘ指示子に基づき、前記ダウンリンク制御チャネルがスペシャルサブフレームにおいて伝送されるＰＵＳＣＨに対応するかを決定する。
【００４３】
１つの可能の実施態様では、前記決定モジュールは、
前記検出モジュールが、前記ダウンリンク制御チャネルが第１ＤＣＩサイズのアップリンクＤＣＩフォーマットを用いると検出すれば、前記ダウンリンク制御チャネルがスペシャルサブフレームにおいて伝送されるＰＵＳＣＨに対応することを決定し、または、前記検出モジュールが、前記ダウンリンク制御チャネルが第２ＤＣＩサイズのアップリンクＤＣＩフォーマットを用いると検出すれば、前記ダウンリンク制御チャネルがノーマルサブフレームにおいて伝送されるＰＵＳＣＨに対応することを決定し、前記第１ＤＣＩサイズと前記第２ＤＣＩサイズは異なる。
【００４４】
１つの可能の実施態様では、前記第１指示子に、前記ダウンリンク制御チャネルに対応するＰＵＳＣＨのＨＡＲＱプロセス番号が含まれる。
【００４５】
１つの可能の実施態様では、前記決定モジュールは、
前記検出モジュールが第１ＲＮＴＩで前記ダウンリンク制御チャネルへスクランブリングを行うことを検出すれば、前記ダウンリンク制御チャネルがスペシャルサブフレームにおいて伝送されるＰＵＳＣＨに対応することを決定し、または、前記検出モジュールが第２ＲＮＴＩで前記ダウンリンク制御チャネルへのスクランブリングを行うことを検出すれば、前記ダウンリンク制御チャネルがノーマルサブフレームにおいて伝送されるＰＵＳＣＨに対応することを決定し、前記第１ＲＮＴＩと前記第２ＲＮＴＩは異なる。
【００４６】
１つの可能の実施態様では、前記第１ＲＮＴＩが複数の端末に共有すれば、前記決定モジュールは、
前記端末のインデックス値に基づき、前記端末の再伝送するか否かを示す指示子の前記ダウンリンク制御チャネルにおける対応位置を決定する。
【００４７】
１つの可能の実施態様では、前記サブフレームｍ+ｋは、ノーマルサブフレームにおいて伝送されるＰＵＳＣＨに対応するダウンリンク制御チャネルを検出するサブフレームと異なる。
【００４８】
前記ｋの定義は以下とおりであり、
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０である。
【００４９】
さらに、前記決定モジュールは、前記ダウンリンク制御チャネルに含まれる再伝送するか否かを示す指示子に基づき、前記スペシャルサブフレームｍにおいて伝送されるＰＵＳＣＨを再伝送するか否かを決定する。
【００５０】
１つの可能の実施態様では、前記決定モジュールは、
前記ＵＬ ｉｎｄｅｘの最低有効ビットＬＳＢ及び最高有効ビットＭＳＢのいずれを０とすれば、前記ダウンリンク制御チャネルがスペシャルサブフレームにおいて伝送されるＰＵＳＣＨに対応することを決定し、
前記ＵＬ ｉｎｄｅｘのＬＳＢ及びＭＳＢのうちの少なくとも１つを１とすれば、前記ダウンリンク制御チャネルがノーマルアップリンクサブフレームにおいて伝送されるＰＵＳＣＨに対応することを決定する。
【００５１】
第６態様によれば、端末は、送受信機と、前記送受信機と接続する少なくとも１つのプロセッサとを備え、
前記プロセッサは、前記メモリに格納されたプログラムを読み出して、
前記送受信機がスペシャルサブフレームｍにおいてＰＵＳＣＨを送信するように、制御し、ｍは整数であり、前記スペシャルサブフレームｍの後のダウンリンク伝送リソースが含まれるサブフレームまたはサブフレームｍ+ｋにおいて、アップリンクＤＣＩフォーマットを利用するダウンリンク制御チャネルを検出し、前記ｋは正整数であり、前記ダウンリンク制御チャネルにより、前記スペシャルサブフレームｍにおいて送信されたＰＵＳＣＨを再伝送するか否かを決定し、
前記送受信機は、プロセッサの制御によりデータを送受信する。
【００５２】
前記プロセッサは、前記メモリに格納されたプログラムを読み出し、第５態様における実施例の検出モジュール及び決定モジュールの動作を実行し、前記送受信機は、前記プロセッサの制御により、第５態様における実施例の実施例の送信モジュールの動作を実行する。
【００５３】
第７態様によれば、基地局は、
端末に、スペシャルサブフレームｍにおいて、物理アップリンク共有チャネル（ＰＵＳＣＨ）を送信させるように、スケジューリングし、前記ｍは整数であるスケジューリングモジュールと、
前記スペシャルサブフレームｍにおいて、前記端末により送信されたＰＵＳＣＨを検出する検出モジュールと、
前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信し、ｋは正整数であり、前記ダウンリンク制御チャネルに前記スペシャルサブフレームｍにおけるＰＵＳＣＨが再伝送するか否かを示す指示子が含まれる処理モジュールとを備える。
【００５４】
１つの可能の実施態様では、前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８、１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または，
ＴＤＤ  ＵＬ/ＤＬ構成６の場合、ｍが１であれば、前記ｋは４、５、８、９または１０であり、または，
ＴＤＤ  ＵＬ/ＤＬ構成６の場合、ｍが６であれば、前記ｋは３、４、５、９または１０である。
【００５５】
上記いずれの実施例においても、前記処理モジュールは、
前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定し、及び/または
前記ダウンリンク制御チャネルに第１指示子が含まれ、前記第１指示子は、前記ダウンリンク制御チャネルに対応するＰＵＳＣＨの関連情報を示し、及び/または
前記ダウンリンク制御チャネルに第２指示子が含まれ、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示子の値を決定する。
【００５６】
１つの可能の実施態様では、前記処理モジュールは、
前記ダウンリンク制御チャネルがスペシャルサブフレームにおいて伝送されるＰＵＳＣＨに対応すれば、前記ダウンリンク制御チャネルが第１ＤＣＩサイズのアップリンクＤＣＩフォーマットを用いることを決定し、または、前記ダウンリンク制御チャネルがノーマルサブフレームにおいて伝送されるＰＵＳＣＨに対応すれば、前記ダウンリンク制御チャネルが第２ＤＣＩサイズのアップリンクＤＣＩフォーマットを用いることを決定し；前記第１ＤＣＩサイズと前記第２ＤＣＩサイズは異なる。
【００５７】
１つの可能の実施態様では、前記第１指示子に、前記ダウンリンク制御チャネルに対応するＰＵＳＣＨのＨＡＲＱプロセス番号が含まれる。
【００５８】
１つの可能の実施態様では、前記処理モジュールは、
前記ダウンリンク制御チャネルがスペシャルサブフレームにおいて伝送されるＰＵＳＣＨに対応すれば、前記ダウンリンク制御チャネルへのスクランブリングに第１ＲＮＴＩを用いてスクランブリングすることを決定し、または、前記ダウンリンク制御チャネルがノーマルサブフレームにおいて伝送されるＰＵＳＣＨに対応すれば、前記ダウンリンク制御チャネルへのスクランブリングに第２ＲＮＴＩを用いることを決定する；前記第１ＲＮＴＩと前記第２ＲＮＴＩは異なる。
【００５９】
１つの可能の実施態様では、スペシャルサブフレームに対応するＲＮＴＩが複数の端末により共有すれば、前記処理モジュールは、
複数の端末のインデックス値に基づき、複数の端末の再伝送するか否かを示す指示子を、スペシャルサブフレームに対応する前記ダウンリンク制御チャネルにおける対応の位置にマッピングする。
【００６０】
１つの可能の実施態様では、前記サブフレームｍ+ｋは、ノーマルサブフレームにおいて伝送されるＰＵＳＣＨに対応するダウンリンク制御チャネルを伝送するサブフレームと異なる。
【００６１】
前記ｋの定義は以下とおりであり、
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０である。
【００６２】
１つの可能の実施態様では、前記処理モジュールは、
前記ダウンリンク制御チャネルがスペシャルサブフレームにおいて伝送されるＰＵＳＣＨに対応すれば、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記ＵＬ ｉｎｄｅｘのＬＳＢ及びＭＳＢのうちの少なくとも１つを１とする。
【００６３】
第８態様によれば、基地局は、送受信機と、前記送受信機と接続する少なくとも１つのプロセッサとを備え、
前記プロセッサは、メモリに格納されたプログラムを読み出して、
前記送受信機により、スケジューリング端末に、スペシャルサブフレームｍにおいて、物理アップリンク共有チャネル（ＰＵＳＣＨ）を送信させるように、スケジューリングし、前記ｍは整数であり、前記スペシャルサブフレームｍにおいて、前記端末により送信されたＰＵＳＣＨを検出し、
前記スペシャルサブフレームｍの後のダウンリンク伝送リソースが含まれるサブフレームまたはサブフレームｍ+ｋにおいて、前記送受信機が前記端末にアップリンクダウンリンク制御情報（ＤＣＩ）フォーマットを用いるダウンリンク制御チャネルを送信するように制御し、前記ｋは正整数であり、前記ダウンリンク制御チャネルに、前記スペシャルサブフレームｍにおけるＰＵＳＣＨが再伝送するか否かを示す指示子が含まれ、
前記送受信機は、前記プロセッサの制御によりデータを送受信する。
【００６４】
前記プロセッサは、前記メモリに格納されたプログラムを読み出し、第７態様に記載の実施例のスケジューリングモジュール検出モジュール及び処理モジュールの動作を実行する。
【発明の効果】
【００６５】
本発明の実施例に係る方法及び装置によれば、端末がスペシャルサブフレームｍにおいて、物理アップリンク共有チャネル（ＰＵＳＣＨ）を送信した後、前記スペシャルサブフレームｍの後のダウンリンク伝送リソースが含まれるサブフレームまたはサブフレームｍ+ｋにおいて、アップリンクＤＣＩフォーマットを利用するダウンリンク制御チャネルを検出し、前記ダウンリンク制御チャネルにより、前記スペシャルサブフレームｍにおいて伝送されるＰＵＳＣＨを再伝送するか否かを決定する。こうして、スペシャルサブフレームにおいてＰＵＳＣＨ的フィードバック情報を伝送する伝送案が提供され、スペシャルサブフレームにおいて伝送されるＰＵＳＣＨの場合、ＡＣＫ/ＮＡＣＫフィードバック情報を正常に取得することが確保できるようになる。
【図面の簡単な説明】
【００６６】
【図１】図１はLTE TDDシステムにおけるＦＳ２の構成図である。
【図２】図２は本発明の実施例に係るアップリンク伝送のフィードバック情報を受信する方法のフローチャートである。
【図３】図３は本発明の実施例に係るアップリンク伝送のフィードバック情報を送信する方法のフローチャートである。
【図４】図４は本発明の実施例に係る端末の構成図である。
【図５】図５は本発明の実施例に係る他の端末の構成図である。
【図６】図６は本発明の実施例に係る基地局の構成図である。
【図７】図７は本発明の実施例に係る他の基地局の構成図である。
【発明を実施するための形態】
【００６７】
以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。
本発明の技術案は多様な通信システムに応用することができる。例えば、２G，３G，４G，５G通信システム及び次世代の通信システムに適用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【００６８】
本発明に係る実施例では、端末及び/または基地局の視点から説明した。
【００６９】
本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。これらは、言語および/またはデータを無線アクセスネットワークと交換する。例えば、パーソナル通信サービス（PCS）電話、コードレス電話、ＳＩＰ（Ｓｅｓｓｉｏｎ Ｉｎｉｔｉａｔｉｏｎ Ｐｒｏｔｏｃｏｌ）電話、ＷＬＬ（Ｗｉｒｅｌｅｓｓ Ｌｏｃａｌ Ｌｏｏｐ）局、ＰＤＡ（Ｐｅｒｓｏｎａｌ Ｄｉｇｉｔａｌ Ａｓｓｉｓｔａｎｔ） ）およびその他の機器。無線端末は、システム、加入者ユニット、加入者局、移動局、移動局、遠隔局、アクセスポイント、またはアクセスポイント、リモート端末、アクセス端末、ユーザ端末、ユーザエージェント、ユーザデバイス、またはユーザ端末と呼ぶこともできる。
【００７０】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【００７１】
本発明の実施形態は、添付図面を参照して以下でさらに詳細に説明される。 本明細書に記載された実施形態は、単に本発明の例示であり、本発明を限定するものではないことを理解されたい。
【００７２】
図２に示す実施例に係るアップリンク伝送のフィードバック情報を受信する方法は、下記のステップを備える。
【００７３】
Ｓ２１において、端末は、スペシャルサブフレームｍにおいてＰＵＳＣＨを送信する。前記ｍは整数である。
【００７４】
好ましくは、ｍ=１または６である。
【００７５】
好ましくは、前記端末は、スペシャルサブフレームｍにおけるＵｐＰＴＳにおいてＰＵＳＣＨを送信する。勿論、前記端末は、スペシャルサブフレームｍにおけるGPにおいて、ＰＵＳＣＨを送信することもでき、本発明に係る実施例では、ＰＵＳＣＨの具体位置を限定しない。
【００７６】
Ｓ２２において、前記端末は、前記スペシャルサブフレームｍの後のダウンリンク伝送リソースが含まれるサブフレームまたはサブフレームｍ+ｋにおいて、アップリンクＤＣＩフォーマットを利用するダウンリンク制御チャネルを検出する。前記ｋは正整数である。
【００７７】
当該ステップにおいて、前記端末により送信されたＰＵＳＣＨのＨＡＲＱが非同期モードを採用すれば、前記端末は、前記スペシャルサブフレームｍの後のダウンリンク伝送リソースが含まれるサブフレームにおいて検出する。前記端末により送信されたＰＵＳＣＨのＨＡＲＱが同期モードを採用すれば、前記端末は、サブフレームｍ+ｋにおいて検出する。
【００７８】
好ましくは、前記端末は、前記スペシャルサブフレームｍの後のダウンリンク伝送リソースが含まれるサブフレームにおいて、アップリンクＤＣＩフォーマットを利用するダウンリンク制御チャネルを検出する場合、前記スペシャルサブフレームｍの後のダウンリンクリソースが含まれるいずれか１つのサブフレームにおいて検出することができ、または、前記スペシャルサブフレームｍの後の所定時間内のダウンリンクリソースが含まれるいずれか１つのサブフレームにおいて検出することもできる。例えば、前記スペシャルサブフレームｍの後の１０個のサブフレームのうちのいずれか１つのダウンリンクサブフレーム及び/またはスペシャルサブフレームにおいて検出する。これは、基地局のスケジューリング及びリソース割り当て状況に応じて決められる。
【００７９】
Ｓ２３において、前記端末は、前記ダウンリンク制御チャネルにより、前記スペシャルサブフレームｍにおいて伝送されるＰＵＳＣＨを再伝送するか否かを決定する。
【００８０】
本発明の実施例において、端末がスペシャルサブフレームｍにおいて、物理アップリンク共有チャネル（ＰＵＳＣＨ）を送信した後、前記スペシャルサブフレームｍの後のダウンリンク伝送リソースが含まれるサブフレームまたはサブフレームｍ+ｋにおいて、アップリンクＤＣＩフォーマットを利用するダウンリンク制御チャネルを検出し、前記ダウンリンク制御チャネルにより、前記スペシャルサブフレームｍにおいて伝送されるＰＵＳＣＨを再伝送するか否かを決定する。こうして、スペシャルサブフレームにおいてＰＵＳＣＨ的フィードバック情報を伝送する伝送案が提供され、スペシャルサブフレームにおいて伝送されるＰＵＳＣＨの場合、ＡＣＫ/ＮＡＣＫフィードバック情報を正常に取得することが確保できるようになる。
【００８１】
本発明の実施例において、前記端末により送信されたＰＵＳＣＨのＨＡＲＱが同期モード及び非同期モードを採用する場合、Ｓ２３における前記端末が、前記ダウンリンク制御チャネルにより、前記スペシャルサブフレームｍにおいて伝送されるＰＵＳＣＨを再伝送するか否かを決定するのは、詳しく以下で説明する。
【００８２】
前記端末は、前記ダウンリンク制御チャネルにより、前記ダウンリンク制御チャネルがスペシャルサブフレームにおいて伝送されるＰＵＳＣＨに対応するか否かを決定する。
【００８３】
前記端末は、前記ダウンリンク制御チャネルに対応するスペシャルサブフレームにおいて伝送されるＰＵＳＣＨを決定した後、前記ダウンリンク制御チャネルに含まれる再伝送するか否かを示す指示子に基づき、前記スペシャルサブフレームｍにおいて伝送されるＰＵＳＣＨを再伝送するか否かを決定する。
【００８４】
さらに、前記端末が、前記ダウンリンク制御チャネルにより、前記ダウンリンク制御チャネルがスペシャルサブフレームにおいて伝送されるＰＵＳＣＨに対応するか否かを決定する場合、以下の５つの実施方式を備える。
【００８５】
方式１、前記端末は、前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するかを決定する。
【００８６】
当該方式では、スペシャルサブフレームにおいて伝送されるＰＵＳＣＨに対応するダウンリンク制御チャネルに用いるアップリンクＤＣＩフォーマットのサイズ（第１ＤＣＩサイズとする）が、ノーマルサブフレームにおいて伝送されるＰＵＳＣＨに対応するダウンリンク制御チャネルに用いるアップリンクＤＣＩフォーマットのサイズ（第２ＤＣＩサイズとする）と異なるため、検出されたダウンリンク制御チャネルがスペシャルサブフレームにおいて伝送されるＰＵＳＣＨに対応するかを区別することができる（１つの実施方式として、ＵｐＰＴＳにけるＰＵＳＣＨ伝送をサポートする端末の場合、ＵｐＰＴＳに対応するアップリンクＤＣＩフォーマットは、新しく定義したアップリンクＤＣＩフォーマットであるか、または、従来のＤＣＩフォーマットに余分のビットフィールドを追加して得られたアップリンクＤＣＩフォーマットである。ノーマルアップリンクサブフレームに対応するアップリンクＤＣＩフォーマットは、従来のアップリンクＤＣＩフォーマットである。ここで、従来のアップリンクＤＣＩフォーマットは、３GPP ３６.２１２ Rel-１３及び前のRelに定義されたＤＣＩフォーマット０/４であることができる）。
【００８７】
当該方式では、前記端末は、異なるサイズのアップリンクＤＣＩフォーマットをブラインド検出することにより、検出されたダウンリンク制御チャネルがスペシャルサブフレームにおけるＰＵＳＣＨに対応するか、または、ノーマルサブフレームにおけるＰＵＳＣＨに対応するかを区別する。
【００８８】
当該方式では、前記端末が、前記ダウンリンク制御チャネルが第１ＤＣＩサイズのアップリンクＤＣＩフォーマットを用いると検出すれば、前記端末は、前記ダウンリンク制御チャネルがスペシャルサブフレームにおいて伝送されるＰＵＳＣＨに対応することを決定し、または、前記端末が、前記ダウンリンク制御チャネルが第２ＤＣＩサイズのアップリンクＤＣＩフォーマットを用いると検出すれば、前記端末は、前記ダウンリンク制御チャネルがノーマルサブフレームにおいて伝送されるＰＵＳＣＨに対応すると決定する。
【００８９】
<方式２>前記端末は、前記ダウンリンク制御チャネルにおける第１指示子に基づき、前記ダウンリンク制御チャネルがスペシャルサブフレームにおいて伝送されるＰＵＳＣＨに対応するか否かを決定し、前記第１指示子は、前記ダウンリンク制御チャネルに対応するＰＵＳＣＨの関連情報を示す。
【００９０】
好ましくは、前記第１指示子に、前記ダウンリンク制御チャネルに対応するＰＵＳＣＨのＨＡＲＱプロセス番号が含まれる。当該ＨＡＲＱプロセス番号は、ＵｐＰＴＳにおけるＰＵＳＣＨ及びノーマルサブフレームにおけるＰＵＳＣＨにより共有された番号であってもよいし、ＵｐＰＴＳにおけるＰＵＳＣＨそれぞれの番号であってもよ。ノーマルサブフレームにおけるＰＵＳＣＨは、別々に番号がつけられる。勿論、本発明に係る実施例は、前記ダウンリンク制御チャネルに対応するＰＵＳＣＨを識別することができる情報が前記第１指示子として使用され得る限り、前記第１指示子の特定の実施形態を限定しない。
【００９１】
１つの実施方式において、ＵｐＰＴＳにけるＰＵＳＣＨ伝送をサポートする端末の場合、ＵｐＰＴＳに対応するアップリンクＤＣＩフォーマットは、新しく定義したアップリンクＤＣＩフォーマットであるか、または、従来のＤＣＩフォーマットに余分のビットフィールドを追加して得られたアップリンクＤＣＩフォーマットである。そのうちの第１指示子は、ＵｐＰＴＳにおいて伝送されるＰＵＳＣＨのプロセス番号などの情報を示す。当該プロセス番号は、どちらのＵｐＰＴＳにおいて伝送されるＰＵＳＣＨの情報であるかを識別する。ノーマルアップリンクサブフレームに対応するアップリンクＤＣＩフォーマットは、従来のアップリンクＤＣＩフォーマットである。ここで、従来のアップリンクＤＣＩフォーマットは、３GPP ３６.２１２ Rel-１３及び前のRelに定義されたＤＣＩフォーマット０/４であることができる。
【００９２】
他の１つの実施方式において、ＵｐＰＴＳにけるＰＵＳＣＨ伝送をサポートする端末の場合、従来のアップリンクＤＣＩフォーマット内のパディング（padding）ビットを上記第１指示子として再利用する。即ち、この際、ＵｐＰＴＳにけるＰＵＳＣＨ伝送をサポートする端末にとって、ＵｐＰＴＳ及びノーマルアップリンクサブフレームに対応するアップリンクＤＣＩフォーマットは，同様であり、サイズも一致する。paddingビットが第１指示子であるかを分析することにより、当該アップリンクＤＣＩがＵｐＰＴＳに対応するのか、または、ノーマルアップリンクサブフレームに対応するのかを知ることができ、また、どちらのＵｐＰＴＳにおけるＰＵＳＣＨに対応するのかを知られる。例えば、第１指示子は、ＵｐＰＴＳにおけるＰＵＳＣＨ及びノーマルサブフレームにおけるＰＵＳＣＨに対してつけられたＨＡＲＱプロセス番号を示す。さらに、オールゼロである第１指示子は、ノーマルアップリンクサブフレームに対応することを示し、オールゼロでない第1の指示フィールドは、どちらのＵｐＰＴＳにおいて伝送されるＰＵＳＣＨであることを示す。勿論、別の方法で定義することもできる。
【００９３】
他の１つの実施方式において、ＵｐＰＴＳにけるＰＵＳＣＨ伝送をサポートする端末に対し、アップリンクＤＣＩフォーマットＡを定義する。当該アップリンクＤＣＩフォーマットＡは、従来のアップリンクＤＣＩフォーマットに余分な指示子を追加することができる。例えば、ＤＣＩフォーマット０/４に余分な指示子を追加して第１指示子とする。当該指示子は、ＵｐＰＴＳにけるＰＵＳＣＨ伝送をサポートする端末のみに対して有効であるか、または、新しく定義したアップリンクＤＣＩフォーマットである。ここで、第１指示子は、ＵｐＰＴＳにおけるＰＵＳＣＨ及びノーマルサブフレームにおけるＰＵＳＣＨに対してつけられたＨＡＲＱプロセス番号を示す。または第１指示子のの１つの状態哈,ノーマルアップリンクサブフレームに対応することを示し、他の状態はどちらのＵｐＰＴＳにおいて伝送されるＰＵＳＣＨに対応するかを示す。ＵｐＰＴＳにけるＰＵＳＣＨ伝送をサポートする端末は、ＵｐＰＴＳ及びノーマルアップリンクサブフレームにおいて伝送されるＰＵＳＣＨに対して、当該アップリンクＤＣＩフォーマットＡを用いてスケジューリングする。また、ＵｐＰＴＳにおけるＰＵＳＣＨ伝送をサポートする端末をさらに定義することができる。残りのすべてまたは一部のダウンリンクＤＣＩフォーマットは、当該アップリンクＤＣＩフォーマットＡのサイズに従ってｐａｄｄｉｎｇすることができ、または、当該アップリンクＤＣＩフォーマットＡは、残りのすべてまたは一部のダウンリンクＤＣＩフォーマットのサイズに従ってpaddingする。こうして、アップリンクＤＣＩフォーマットＡが全部または一部のダウンリンクＤＣＩフォーマットのサイズと同様であり、端末よるＤＣＩに対するブラインド検出回数を増加しない。例えば、ＵｐＰＴＳにけるＰＵＳＣＨ伝送をサポートする端末の場合、従来の的ＤＣＩフォーマット０に基づき、アップリンクＤＣＩフォーマットを定義し、既存のＤＣＩフォーマット0に基づいて第1の表示フィールドとして少なくとも追加のビット表示フィールドを追加することは言うまでもなく、他の表示フィールドをさらに追加することはもちろん除外されない。指示子が増加された後のアップリンクＤＣＩフォーマット０を、ＵｐＰＴＳにおけるＰＵＳＣＨ伝送をサポートする端末に対応するアップリンクＤＣＩフォーマット０とする。オリジナルのＤＣＩ設計が、アップリンクＤＣＩフォーマット０及びダウンリンクＤＣＩフォーマット１Ａが同じサイズを有することを保証し、それによって、ブラインド検出の回数を減少させるため、元のブラインド検出回数を維持しようとすれば、ＵｐＰＴＳにけるＰＵＳＣＨ伝送をサポートする端末に対応するアップリンクＤＣＩフォーマット０のサイズがダウンリンクＤＣＩフォーマット１Ａより小さい場合、そのＤＣＩサイズが対応するダウンリンクＤＣＩフォーマット１Ａと同じであることを保証するために、ＵｐＰＴＳにけるＰＵＳＣＨ伝送をサポートする端末に対応するＤＣＩフォーマット０に対してpaddingする必要がある（即ち、最後の部分に０をパディングする）。ＵｐＰＴＳにけるＰＵＳＣＨ伝送をサポートする端末に対応するダウンリンクＤＣＩフォーマット１Ａのサイズが、それに対応するアップリンクＤＣＩフォーマット０より小さい場合、そのＤＣＩサイズがそれに対応するアップリンクＤＣＩフォーマット０と同じであることを確保するために、ＵｐＰＴＳにけるＰＵＳＣＨ伝送をサポートする端末に対応するＤＣＩフォーマット１Ａに対してpaddingする必要がある。ここで、ＵｐＰＴＳにけるＰＵＳＣＨ伝送をサポートする端末に対応するダウンリンクＤＣＩフォーマットは、例えば、ＤＣＩフォーマット１Ａであり、ＤＣＩ １B/１C/１D/２/２A/２Bのような他のダウンリンクＤＣＩフォーマットであることを勿論排除しない。従来のダウンリンクＤＣＩフォーマットを再利用することもできる。ブラインド検出回数を維持するため、ＵｐＰＴＳにけるＰＵＳＣＨ伝送をサポートする端末に対応するダウンリンクＤＣＩフォーマット３及び３Aは、そのＤＣＩサイズ画、上記ＵｐＰＴＳにけるＰＵＳＣＨ伝送をサポートする端末に対応するアップリンクＤＣＩフォーマット０及びダウンリンクＤＣＩフォーマット１Ａのサイズと同じである。
【００９４】
＜方式３＞前記端末は、前記ダウンリンク制御チャネルにおける第２指示子んい基づき、前記ダウンリンク制御チャネルがスペシャルサブフレームにおいて伝送されるＰＵＳＣＨに対応するか否かを決定し、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示す。
【００９５】
当該方式では、前記第２指示子は、前記ダウンリンク制御チャネルにおいて新しく定義したビットフィールドであってもよいし、従来のアップリンクＤＣＩフォーマット内の１ビットのアイドルビットフィールド、例えば、パディングビットなどを再利用することができる。従来のアップリンクＤＣＩフォーマット内の１ビットのアイドルビットフィールドを再利用することにより、スペシャルサブフレームに対応するアップリンクＤＣＩフォーマットがノーマルサブフレームに対応するアップリンクＤＣＩフォーマットのサイズと同じであるようにさせ、端末によるアップリンクＤＣＩフォーマットへのブラインド検出回数を削減することができる。
【００９６】
当該方式では、前記第２指示子は、１ビット情報で示す。例えば、前記第２指示子が「０」であれば、スペシャルサブフレームにおいて伝送されるＰＵＳＣＨに対応することを示す。前記第２指示子が「１」であれば、ノーマルサブフレームにおいて伝送されるＰＵＳＣＨに対応することを示す。逆の場合同様である。
【００９７】
１つの実施方式では、ＵｐＰＴＳにけるＰＵＳＣＨ伝送をサポートする端末の場合、従来のアップリンクＤＣＩフォーマット内のパディング（ｐａｄｄｉｎｇ）ビットを再利用して上記第２指示子とする。即ち、この際、ＵｐＰＴＳにけるＰＵＳＣＨ伝送をサポートする端末にとって、ＵｐＰＴＳ及びノーマルアップリンクサブフレームに対応するアップリンクＤＣＩフォーマットは，同様であり、サイズも一致する。ｐａｄｄｉｎｇビットが第２指示子とするかを分析することにより、当該アップリンクＤＣＩがＵｐＰＴＳに対応するのか、または、ノーマルアップリンクサブフレームに対応するのかを知ることができ、また、どちらのＵｐＰＴＳにおけるＰＵＳＣＨに対応するのかを知られる。ここで、オールゼロである第１指示子がノーマルアップリンクサブフレームに対応するように定義し、たのオールゼロではないが、どちらのＵｐＰＴＳにおいて伝送されるＰＵＳＣＨに対応するのかを示す。他の方法で定義ことも勿論できる。
【００９８】
他の１つの実施方式では、ＵｐＰＴＳにけるＰＵＳＣＨ伝送をサポートする端末の場合、アップリンクＤＣＩフォーマットＡを定義する。当該アップリンクＤＣＩフォーマットＡは、従来のアップリンクＤＣＩフォーマットに余分な指示子を追加することができる。例えば、ＤＣＩフォーマット０/４に余分の指示子を追加して第２指示子とする。当該指示子は、ＵｐＰＴＳにけるＰＵＳＣＨ伝送をサポートする端末のみに対して有効であるか、または、新しく定義したアップリンクＤＣＩフォーマットである。ここで、第２指示子は１ビットのみであり、１つの状態がノーマルアップリンクサブフレームに対応することをしめし、他の１つの状態はＵｐＰＴＳに対応することを示す。ＵｐＰＴＳにおける複数のＰＵＳＣＨの場合、第２指示子が１ビットを超えることができ、１つの状態がノーマルアップリンクサブフレームに対応することを示し、他の状態はどちらのＵｐＰＴＳにおいて伝送されるＰＵＳＣＨに対応するかを示す。例えば、プロセス番号などであることが可能である。ＵｐＰＴＳにけるＰＵＳＣＨ伝送をサポートする端末が、ＵｐＰＴＳ及びノーマルアップリンクサブフレームにおいて伝送されるＰＵＳＣＨをスケジューリングする場合、当該アップリンクＤＣＩフォーマットＡを利用する。また、ＵｐＰＴＳにおけるＰＵＳＣＨ伝送をサポートする端末をさらに定義して、残りのすべてまたは一部のダウンリンクＤＣＩフォーマットは、当該アップリンクＤＣＩフォーマットＡのサイズに従ってｐａｄｄｉｎｇすることができ、または、当該アップリンクＤＣＩフォーマットＡは、残りのすべてまたは一部のダウンリンクＤＣＩフォーマットのサイズに従ってｐａｄｄｉｎｇする。こうして、アップリンクＤＣＩフォーマットＡが全部または一部のダウンリンクＤＣＩフォーマットのサイズと同様であり、端末よるＤＣＩに対するブラインド検出回数を増加しない。例えば、ＵｐＰＴＳにけるＰＵＳＣＨ伝送をサポートする端末の場合、従来の的ＤＣＩフォーマット０に基づき、アップリンクＤＣＩフォーマットを定義し、従来のＤＣＩフォーマット０に余分のビット指示子を追加して第２指示子とし、他の指示子をさらに追加することは勿論排除しない。指示子が増加された後のアップリンクＤＣＩフォーマット０を、ＵｐＰＴＳにおけるＰＵＳＣＨ伝送をサポートする端末に対応するアップリンクＤＣＩフォーマット０とする。オリジナルのＤＣＩ設計がアップリンクＤＣＩフォーマット０とダウンリンクＤＣＩフォーマット１Ａのサイズが同じことを確保できるため、ブラインド検出回数が削減される。元のブラインド検出回数を維持しようとすれば、ＵｐＰＴＳにけるＰＵＳＣＨ伝送をサポートする端末に対応するアップリンクＤＣＩフォーマット０のサイズがダウンリンクＤＣＩフォーマット１Ａより小さい場合、そのＤＣＩサイズが対応するダウンリンクＤＣＩフォーマット１Ａと同じであることを保証するために、ＵｐＰＴＳにけるＰＵＳＣＨ伝送をサポートする端末に対応するＤＣＩフォーマット０に対してpaddingする必要がある（即ち、最後の部分に０をパディングする）。ＵｐＰＴＳにけるＰＵＳＣＨ伝送をサポートする端末に対応するダウンリンクＤＣＩフォーマット１Ａのサイズが、それ���対応するアップリンクＤＣＩフォーマット０より小さい場合、そのＤＣＩサイズがそれに対応するアップリンクＤＣＩフォーマット０と同じであることを確保するために、ＵｐＰＴＳにけるＰＵＳＣＨ伝送をサポートする端末に対応するＤＣＩフォーマット１Ａに対してpaddingする必要がある。ここで、ＵｐＰＴＳにけるＰＵＳＣＨ伝送をサポートする端末に対応するダウンリンクＤＣＩフォーマットは、例えば、ＤＣＩフォーマット１Ａであり、ＤＣＩ １B/１C/１D/２/２A/２Bのような他のダウンリンクＤＣＩフォーマットであることを勿論排除しない。従来のダウンリンクＤＣＩフォーマットを再利用することもできる。ブラインド検出回数を維持するため、ＵｐＰＴＳにけるＰＵＳＣＨ伝送をサポートする端末に対応するダウンリンクＤＣＩフォーマット３及び３AのＣＩサイズは、上記ＵｐＰＴＳにけるＰＵＳＣＨ伝送をサポートする端末に対応するアップリンクＤＣＩフォーマット０及びダウンリンクＤＣＩフォーマット１Ａのサイズと同じ。
【００９９】
<方式４>  前記端末は、前記ダウンリンク制御チャネルへのスクランブリングに用いるＲＮＴＩ（Ｒａｄｉｏ Ｎｅｔｗｏｒｋ Ｔｅｍｐｏｒａｒｙ Ｉｄｅｎｔｉｆｉｅｒ）に基づき、前記ダウンリンク制御チャネルがスペシャルサブフレームにおいて伝送されるＰＵＳＣＨに対応するか否かを決定し、１つの実施方式としては、ＵｐＰＴＳにけるＰＵＳＣＨ伝送をサポートする端末は、スケジューリングＵｐＰＴＳにおいて伝送されるＰＵＳＣＨ及びノーマルアップリンクサブフレームにおいて伝送されるＰＵＳＣＨに用いるアップリンクＤＣＩフォーマットが同じくなるようにスケジューリングすることに用いられる。例えば、従来のアップリンクＤＣＩフォーマットを再利用するか、またはアップリンクＤＣＩフォーマットを新しく定義する。ＤＣＩフォーマットが異なることが勿論排除しない。
【０１００】
当該方式では、スペシャルサブフレームにおいて伝送されるＰＵＳＣＨに対応するダウンリンク制御チャネルへのスクランブリングに用いるＲＮＴＩ（第１ＲＮＴＩとする）が、ノーマルサブフレームにおいて伝送されるＰＵＳＣＨに対応するダウンリンク制御チャネルへのスクランブリングに用いるＲＮＴＩ（第２ＲＮＴＩとする）と異なるため、検出されたダウンリンク制御チャネルがスペシャルサブフレームにおいて伝送されるＰＵＳＣＨに対応するか否かを識別する。
【０１０１】
当該方式では、前記端末が第１ＲＮＴＩ及び第２ＲＮＴＩでブラインド検出を行うことにより、検出されたダウンリンク制御チャネルがスペシャルサブフレームにおけるＰＵＳＣＨに対応するか、または、ノーマルサブフレームにおけるＰＵＳＣＨに対応するかを識別する。
【０１０２】
当該方式では、前記端末が、前記ダウンリンク制御チャネルへのスクランブリングに第１ＲＮＴＩを用いると検出すれば、前記端末は、前記ダウンリンク制御チャネルがスペシャルサブフレームにおいて伝送されるＰＵＳＣＨに対応することを決定し、または、前記端末が、前記ダウンリンク制御チャネルへのスクランブリングに第２ＲＮＴＩを用いると検出すれば、前記端末は、前記ダウンリンク制御チャネルがノーマルサブフレームにおいて伝送されるＰＵＳＣＨに対応すると決定する。
【０１０３】
当該方式では、好ましくは、前記第１ＲＮＴＩが複数の端末に共有すれば、前記端末は、前記ダウンリンク制御チャネルがスペシャルサブフレームにおいて伝送されるＰＵＳＣＨに対応することを決定した後、前記方法では、前記端末は、前記端末のインデックス値に基づき、前記端末の再伝送するか否かを示す指示子の前記ダウンリンク制御チャネルにおける対応位置を決定する。
【０１０４】
具体的に、前記第１ＲＮＴＩが前記端末に専用される場合、前記第１ＲＮＴＩを用いてスクランブリング下前記ダウンリンク制御チャネルに、スペシャルサブフレームにおいてＰＵＳＣＨを伝送する端末の再伝送するか否かを示す指示子１つのみが搬送される。前記第１ＲＮＴＩが複数の端末に共有される場合、前記第１ＲＮＴＩでスクランブリングした前記ダウンリンク制御チャネルに、スペシャルサブフレームにおいてＰＵＳＣＨを伝送する端末の再伝送するか否かを示す指示子複数が搬送されることができる。よって、端末どとに１つのインデックス値を設定して、前記ダウンリンク制御チャネルにおける当該端末の再伝送するか否かを示す指示子位置を示す。
【０１０５】
<方式５>  前記端末は、前記ダウンリンク制御チャネルにおけるアップリンクインデックスＵＬ ｉｎｄｅｘ指示子に基づき、前記ダウンリンク制御チャネルがスペシャルサブフレームにおいて伝送されるＰＵＳＣＨに対応するかを決定する。
【０１０６】
当該方式では、前記ＵＬ ｉｎｄｅｘの最低有効ビットＬＳＢ（Ｌｅａｓｔ Ｓｉｇｎｉｆｉｃａｎｔ Ｂｉｔ）及び最高有効ビットＭＳＢ（Ｍｏｓｔ Ｓｉｇｎｉｆｉｃａｎｔ Ｂｉｔ）がともに０とする場合、前記端末は、前記ダウンリンク制御チャネルがスペシャルサブフレームにおいて伝送されるＰＵＳＣＨに対応すると決定する。前記ＵＬ ｉｎｄｅｘのＬＳＢ及びＭＳＢのうちの少なくとも１つを１とすれば、前記端末は、前記ダウンリンク制御チャネルがノーマルアップリンクサブフレームにおいて伝送されるＰＵＳＣＨに対応することを決定する。
【０１０７】
１つの実施方式として、ＴＤＤ  ＵＬ/ＤＬ構成０の場合、従来のアップリンクＤＣＩフォーマット内の２ビットアップリンクインデックス（ＵＬ ｉｎｄｅｘ）フィールドを利用して、該アップリンクＤＣＩフォーマットのダウンリンク制御チャネルがノーマルアップリンクサブフレームにおけるＰＵＳＣＨに対応するかブフレームにおけるＰＵＳＣＨに対応するかを決定する。
【０１０８】
具体的に、２ビットＵＬ ｉｎｄｅｘがともに０であり、即ち、最低有効ビット（Ｌｅａｓｔ Ｓｉｇｎｉｆｉｃａｎｔ Ｂｉｔ，ＬＳＢ）及び最高有効ビット（Ｍｏｓｔ Ｓｉｇｎｉｆｉｃａｎｔ Ｂｉｔ，ＭＳＢ）がともに０とする場合、当該ダウンリンク制御チャネルがスペシャルサブフレームにおいて伝送されるＰＵＳＣＨに対応することを示す。ＬＳＢまたはＭＳＢ内の少なくとも１つのビットと１とする場合、当該ダウンリンク制御チャネルがノーマルアップリンクサブフレームにおいて伝送されるＰＵＳＣＨに対応することを示す。
【０１０９】
当該実施方式において、ｍ+ｋとの原則でダウンリンク制御チャネルの時間領域位置を定義・検出することがである。例えば、スペシャルサブフレームにおけるＰＵＳＣＨの場合、表７に示すＴＤＤ  ＵＬ/ＤＬ構成０に対するｋ値の定義を参考することができる。好ましくは、ｍ=１またはｍ=６の場合、ｋ=４または５または９または１０である。ノーマルアップリンクサブフレームにおけるＰＵＳＣＨの場合、ｋの定義は表３に示す。端末がスペシャルサブフレーム１においてＰＵＳＣＨを送信した場合、ｍ+ｋに対応するサブフレームにおいてダウンリンク制御チャネルを検出し、ｍはスペシャルサブフレーム番号である。当該ダウンリンク制御チャネルにおけるＮＤＩに基づき、スペシャルサブフレーム１におけるＰＵＳＣＨの再伝送有無を決定する。例えば、ｋ=５の場合、端末は、サブフレーム６においてダウンリンク制御チャネルを検出し、当該ダウンリンク制御チャネルにおけるＮＤＩに基づき、スペシャルサブフレーム１におけるＰＵＳＣＨの再伝送有無を決定する。端末がアップリンクサブフレーム２においてＰＵＳＣＨを送信した場合、n+ｋに対応するサブフレームにおいてダウンリンク制御チャネル及び/またはＰＨＩＣＨを検出し、ダウンリンク制御チャネルを検出した場合、当該ダウンリンク制御チャネルにおけるＮＤＩに基づき、スペシャルサブフレーム１におけるＰＵＳＣＨの再伝送有無を決定する。表３に示すように、n=２の場合、ｋ=４であれば、端末は、サブフレーム６においてダウンリンク制御チャネル/ＰＨＩＣＨを検出し、当該ダウンリンク制御チャネルにおけるＮＤＩまたはＰＨＩＣＨに搬送されるフィードバック情報に基づき、アップリンクサブフレーム２におけるＰＵＳＣＨの再伝送有無を決定する。この際、スペシャルサブフレーム１及びアップリンクサブフレーム２におけるＰＵＳＣＨは、もとにサブフレーム６において検出するダウンリンク制御チャネルに対応する。当該端末スペシャルサブフレームに対応するアップリンクＤＣＩフォーマット及びマルアップリンクサブフレームに対応するアップリンクＤＣＩフォーマットのサイズが一致すれば、端末は、サブフレーム６において、ダウンリンク制御チャネルを検出し、かつ、サブフレーム６において検出されたダウンリンク制御チャネルにおけるＵＬ ｉｎｄｅｘフィールドに基づき、当該ダウンリンク制御チャネルがスペシャルサブフレーム１に対応するかアップリンクサブフレーム２におけるＰＵＳＣＨに対応するかを決定する。即ち、ＵＬ ｉｎｄｅｘのＬＳＢ及びＭＳＢがともに０とする場合、当該ダウンリンク制御チャネルがスペシャルサブフレーム１におけるＰＵＳＣＨに対応すると決定し、ＮＤＩに基づき、当該ＰＵＳＣＨの再伝送有無を決定する。ＵＬ ｉｎｄｅｘのＬＳＢ及びＭＳＢのうちの１つが１である場合、当該ダウンリンク制御チャネルがアップリンクサブフレーム２におけるＰＵＳＣＨに対応することを決定し、ＮＤＩに基づき当該ＰＵＳＣＨの再伝送有無を決定する。
【０１１０】
勿論。上記アップリンクＤＣＩにＨＡＲＱプロセス番号指示子をさらに含ませ手もよい。当該指示子は、従来のアップリンク ＤＣＩフォーマット内の従来のビット数を再利用して、スペシャルサブフレームにおけるＰＵＳＣＨプロセス番号をしめすか、またはは、スペシャルサブフレーム及びノーマルサブフレームにおけるＰＵＳＣＨプロセス番号を示す。
【０１１１】
好ましくは、再伝送するか否かを示す指示子はＮＤＩである。
【０１１２】
上記方式１〜５のいずれにおいても、前記端末により送信されたＰＵＳＣＨのＨＡＲＱには非同期モード及び同期モードが適用される。
【０１１３】
上記方式１〜５は、単独で用いてもよいし、組み合わせて用いてもよく、本発明に係る実施例に限定されるものではない。
【０１１４】
本発明の実施例において、前記端末がサブフレームｍ+ｋにおいて、アップリンクＤＣＩフォーマットを利用するダウンリンク制御チャネルを検出すれば、即ち、前記端末により送信されたＰＵＳＣＨのＨＡＲＱに同期モードを用いて、１つの可能の実施形態として、スペシャルサブフレームにおいて伝送されるＰＵＳＣＨに対応するダウンリンク制御チャネルを検出するサブフレームが、ノーマルサブフレームにおいて伝送されるＰＵＳＣＨに対応するダウンリンク制御チャネルを検出するサブフレームと同じであれば、前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８または１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または
ＴＤＤ  ＵＬ/ＤＬ構成６の場合、ｍが１であれば、前記ｋは４、５、８、９または１０であり、または
ＴＤＤ  ＵＬ/ＤＬ構成６の場合、ｍが６であれば、前記ｋは３、４、５、９または１０である。
【０１１５】
スペシャルサブフレームにおいて伝送されるＰＵＳＣＨに対応するダウンリンク制御チャネルを検出するサブフレームが、ノーマルサブフレームにおいて伝送されるＰＵＳＣＨに対応するダウンリンク制御チャネルを検出するサブフレームと同じであり、上記ｋの定義が、スペシャルサブフレームとノーマルサブフレームに対応するアップリンクＤＣＩフォーマットを利用するダウンリンク制御チャネルが、同一のサブフレームにおいて伝送させるため、前記端末は、前記サブフレームｍ+ｋにおいてアップリンクＤＣＩフォーマットを利用するダウンリンク制御チャネルを検出した後、まず、前記ダウンリンク制御チャネルがスペシャルサブフレームにおいて伝送されるＰＵＳＣＨに対応するか否かを決定し、前記ダウンリンク制御チャネルがスペシャルサブフレームにおいて伝送されるＰＵＳＣＨに対応すると決定した後、前記ダウンリンク制御チャネルに含まれる再伝送するか否かを示す指示子に基づき、前記スペシャルサブフレームｍにおいて伝送されるＰＵＳＣＨを再伝送するか否かを決定する必要がある。ここで、前記ダウンリンク制御チャネルがスペシャルサブフレームにおいて伝送されるＰＵＳＣＨに対応するかを決定する場合、上記方式１〜５方式のうちの１つまたはいずれかの組み合わせを採用する。
【０１１６】
上記いずれの実施例においても、Ｓ２３における前記端末が、前記ダウンリンク制御チャネルにより、前記スペシャルサブフレームｍにおいて伝送されるＰＵＳＣＨを再伝送するか否かを決定するのは、詳しくは、以下説明する。
【０１１７】
１、前記端末が前記スペシャルサブフレームｍの後のダウンリンクリソースが含まれるサブフレームにおいて検出する場合，さらに、以下の２つの場合を備える。
【０１１８】
場合１）前記端末が前記スペシャルサブフレームｍの後のダウンリンクリソースが含まれるいずれか１つのサブフレームにおいて検出すれば、即ち、所定時間が定義されていない場合、所定時間が定義されていない場合、前記端末は、当該ＰＵＳＣＨが再伝送されるか否かを決定することができるアップリンクＤＣＩフォーマットを利用するダウンリンク制御チャネル（即ち、スペシャルサブフレームにおいて伝送されるＰＵＳＣＨに対応し、かつ、アップリンクＤＣＩフォーマットを利用するダウンリンク制御チャネル）を受信するまで、前記スペシャルサブフレームｍにおいて送信されたＰＵＳＣＨの関連情を保持する。さらに、当該ダウンリンク制御チャネルに含まれる再伝送するか否かを示す指示子に基づき、前記スペシャルサブフレームｍにおいて伝送されるＰＵＳＣＨを再伝送するか否かを決定する。
【０１１９】
場合２）前記端末が前記スペシャルサブフレームｍの後の所定時間内のダウンリンクリソースが含まれるいずれか１つのサブフレームにおいて検出すれば、即ち、所定時間が定義される場合、
前記端末が、所定時間内でアップリンクＤＣＩフォーマットを利用するダウンリンク制御チャネルを検出できなければ、または、アップリンクＤＣＩフォーマットを利用するダウンリンク制御チャネルを検出したｓが、当該ダウンリンク制御チャネルがノーマルサブフレームにおいて伝送されるＰＵＳＣＨに対応すれば、前記端末は、前記スペシャルサブフレームｍにおいて送信されたＰＵＳＣＨ伝送が成功したと決定し、再伝送が要らなくなる。
【０１２０】
前記端末が所定時間内においてアップリンクＤＣＩフォーマットを利用するダウンリンク制御チャネルを検出し、かつ、当該ダウンリンク制御チャネルがスペシャルサブフレームにおいて伝送されるＰＵＳＣＨに対応すれば、前記端末は、当該ダウンリンク制御チャネルに含まれる再伝送するか否かを示す指示子に基づき、前記スペシャルサブフレームｍにおいて伝送されるＰＵＳＣＨを再伝送するか否かを決定する。
【０１２１】
２、前記端末がサブフレームｍ+ｋにおいて検出することは、詳しく以下とおりである。
【０１２２】
１）前記端末が前記サブフレームｍ+ｋにおいてアップリンクＤＣＩフォーマットを利用するダウンリンク制御チャネルを検出し、かつ、当該ダウンリンク制御チャネルがスペシャルサブフレームにおいて伝送されるＰＵＳＣＨに対応すれば、前記端末は、当該ダウンリンク制御チャネルに含まれる再伝送するか否かを示す指示子に基づき、前記スペシャルサブフレームｍにおいて伝送されるＰＵＳＣＨを再伝送するか否かを決定する。
【０１２３】
２）前記端末が前記サブフレームｍ+ｋにおいてアップリンクＤＣＩフォーマットを利用するダウンリンク制御チャネルを検出し、または、アップリンクＤＣＩフォーマットを利用するダウンリンク制御チャネルを検出したのに、当該ダウンリンク制御チャネルがノーマルサブフレームにおいて伝送されるＰＵＳＣＨに対応すれば、前記端末は、前記スペシャルサブフレームｍにおいて送信されたＰＵＳＣＨ伝送が成功したと決定し、再伝送は要らなくなる。
【０１２４】
好ましくは、再伝送するか否かを示す指示子はＮＤＩであり、即ち、前記端末は、前記ダウンリンク制御チャネルに含まれるＮＤＩに基づき、前記スペシャルサブフレームｍにおいて伝送されるＰＵＳＣＨを再伝送するか否かを決定する。
【０１２５】
具体的に、動的なスケジューリングの場合、即ち、伝送ごとにダウンリンク制御チャネルに対応するＰＵＳＣＨがあれば、前記ダウンリンク制御チャネルにおけるＮＤＩが、前記ＰＵＳＣＨの第１回の伝送に対応するＮＤＩに対して変化しない場合、端末は前記ＰＵＳＣＨを再伝送する必要がある。前記ダウンリンク制御チャネルにおけるＮＤＩがは、前記ＰＵＳＣＨ的第１回の伝送に対応するＮＤＩに対して変化した場合、即ち、前記ダウンリンク制御チャネルが新しいＰＵＳＣＨ伝送をスケジューリングした場合、端末が前記ＰＵＳＣＨを再伝送することが要らなくなる。
【０１２６】
ＳＰＳ（Ｓｅｍｉ-Ｐｅｒｓｉｓｔｅｎｔ Ｓｃｈｅｄｕｌｉｎｇ）ＰＵＳＣＨの場合、前記ダウンリンク制御チャネルにおけるＮＤＩを０とすると、前記ダウンリンク制御チャネルは、ダウンリンクＳＰＳリソースのアクティベーション/リリースを示すダウンリンク制御チャネルであり、即ち、ＳＰＳ ＰＵＳＣＨのスケジューリング命令であり、端末が前記ＰＵＳＣＨを再伝送することが要らなくなる。前記ダウンリンク制御チャネルにおけるＮＤＩが１であれば、端末が前記ＰＵＳＣＨを再伝送する必要がある。
【０１２７】
本発明の実施例において、前記端末がサブフレームｍ+ｋにおいてアップリンクＤＣＩフォーマットを利用するダウンリンク制御チャネルを検出し、即ち、前記端末により送信されたＰＵＳＣＨのＨＡＲＱに同期モードが採用される場合、他の１つの可能の実施形態として、異なるサブフレームにより、スペシャルサブフレームにおいて伝送されるＰＵＳＣＨに対応するダウンリンク制御チャネル及びノーマルサブフレームにおいて伝送されるＰＵＳＣＨに対応するダウンリンク制御チャネルを識別することができる。即ち、前記サブフレームｍ+ｋは、ノーマルサブフレームにおいて伝送されるＰＵＳＣＨに対応するダウンリンク制御チャネルを検出するサブフレームと異なる。前記ｋの定義は以下とおりである。
【０１２８】
１）ＴＤＤ  ＵＬ/ＤＬ構成１の場合、ｍを１または６とし、前記ｋは４または９である。
【０１２９】
具体的に、ＴＤＤ  ＵＬ/ＤＬ構成１の場合、前記端末は、サブフレームｍ+４またはサブフレームｍ+９において、前記スペシャルサブフレームｍにおいて送信されたＰＵＳＣＨに対応するダウンリンク制御チャネルを検出する。即ち、サブフレーム５またはサブフレーム０において、前記スペシャルサブフレーム１または６において送信されたＰＵＳＣＨに対応するダウンリンク制御チャネルを検出する。表６に示すように、端末が、サブフレーム１、サブフレーム４、サブフレーム６またはサブフレーム９において、ノーマルサブフレームにおいて伝送されるＰＵＳＣＨに対応するダウンリンク制御チャネルを検出するため、スペシャルサブフレームにおいて伝送されるＰＵＳＣＨに対応するダウンリンク制御チャネルを検出するサブフレームは、ノーマルサブフレームにおいて伝送されるＰＵＳＣＨに対応するダウンリンク制御チャネルを検出するサブフレームと異なる。
【０１３０】
２）ＴＤＤ  ＵＬ/ＤＬ構成２の場合、ｍを１または６とし、前記ｋは３、４、５、８、９または１０である。
【０１３１】
具体的に、ＴＤＤ  ＵＬ/ＤＬ構成２の場合、前記端末は、サブフレームｍ+３、サブフレームｍ+４、サブフレームｍ+５、サブフレームｍ+８、サブフレームｍ+９またはサブフレームｍ+１０において、前記スペシャルサブフレームｍにおいて送信されたＰＵＳＣＨに対応するダウンリンク制御チャネルを検出する。即ち、サブフレーム０、サブフレーム１、サブフレーム４、サブフレーム５、サブフレーム６またはサブフレーム９において、前記スペシャルサブフレーム１または６において送信されたＰＵＳＣＨに対応するダウンリンク制御チャネルを検出する。表６に示すように、端末がサブフレーム３またはサブフレーム８において、ノーマルサブフレームにおいて伝送されるＰＵＳＣＨに対応するダウンリンク制御チャネルを検出するため、スペシャルサブフレームにおいて伝送されるＰＵＳＣＨに対応するダウンリンク制御チャネルを検出するサブフレームは、ノーマルサブフレームにおいて伝送されるＰＵＳＣＨに対応するダウンリンク制御チャネルを検出するサブフレームと異なる。
【０１３２】
３）ＴＤＤ  ＵＬ/ＤＬ構成３の場合、ｍを１とし、前記ｋは４、５、６または１０である。
【０１３３】
具体的に、ＴＤＤ  ＵＬ/ＤＬ構成３の場合、前記端末は、サブフレームｍ+４、サブフレームｍ+５、サブフレームｍ+６またはサブフレームｍ+１０において、前記スペシャルサブフレームｍにおいて送信されたＰＵＳＣＨに対応するダウンリンク制御チャネルを検出し、即ち、サブフレーム１、サブフレーム５、サブフレーム６またはサブフレーム７において、前記スペシャルサブフレーム１において送信されたＰＵＳＣＨに対応するダウンリンク制御チャネルを検出する。しかし、表６に示すように、端末が、サブフレーム０、サブフレーム８またはサブフレーム９において、ノーマルサブフレームにおいて伝送されるＰＵＳＣＨに対応するダウンリンク制御チャネルを検出するため、スペシャルサブフレームにおいて伝送されるＰＵＳＣＨに対応するダウンリンク制御チャネルを検出するサブフレームは、ノーマルサブフレームにおいて伝送されるＰＵＳＣＨに対応するダウンリンク制御チャネルを検出するサブフレームと異なる。
【０１３４】
４）ＴＤＤ  ＵＬ/ＤＬ構成４の場合、ｍを１とし、前記ｋは３、４、５、６、９または１０である。
【０１３５】
具体的に、ＴＤＤ  ＵＬ/ＤＬ構成４の場合、前記端末は、サブフレームｍ+３、サブフレームｍ+４、サブフレームｍ+５、サブフレームｍ+６、サブフレームｍ+９またはサブフレームｍ+１０において、前記スペシャルサブフレームｍにおいて送信されたＰＵＳＣＨに対応するダウンリンク制御チャネルを検出し、即ち、サブフレーム０、サブフレーム１、サブフレーム４、サブフレーム５、サブフレーム６またはサブフレーム７において、前記スペシャルサブフレーム１において送信されたＰＵＳＣＨに対応するダウンリンク制御チャネルを検出する。しかし、表６に示すように、端末が、サブフレーム８またはサブフレーム９において、ノーマルサブフレームにおいて伝送されるＰＵＳＣＨに対応するダウンリンク制御チャネルを検出するため、スペシャルサブフレームにおいて伝送されるＰＵＳＣＨに対応するダウンリンク制御チャネルを検出するサブフレームは、ノーマルサブフレームにおいて伝送されるＰＵＳＣＨに対応するダウンリンク制御チャネルを検出するサブフレームと異なる。
【０１３６】
５）ＴＤＤ  ＵＬ/ＤＬ構成５の場合、ｍを１とし、前記ｋは２、３、４、５、６、８、９または１０である。
【０１３７】
具体的に、ＴＤＤ  ＵＬ/ＤＬ構成５の場合、前記端末は、サブフレームｍ+２、サブフレームｍ+３、サブフレームｍ+４、サブフレームｍ+５、サブフレームｍ+６、サブフレームｍ+８、サブフレームｍ+９またはサブフレームｍ+１０において、前記スペシャルサブフレームｍにおいて送信されたＰＵＳＣＨに対応するダウンリンク制御チャネルを検出し、即ち、サブフレーム０、サブフレーム１、サブフレーム３、サブフレーム４、サブフレーム５、サブフレーム６、サブフレーム７またはサブフレーム９において、前記スペシャルサブフレーム１において送信されたＰＵＳＣＨに対応するダウンリンク制御チャネルを検出する。しかし、表６に示すように、端末が、サブフレーム８において、ノーマルサブフレームにおいて伝送されるＰＵＳＣＨに対応するダウンリンク制御チャネルを検出するため、スペシャルサブフレームにおいて伝送されるＰＵＳＣＨに対応するダウンリンク制御チャネルを検出するサブフレームは、ノーマルサブフレームにおいて伝送されるＰＵＳＣＨに対応するダウンリンク制御チャネルを検出するサブフレームと異なる。
【０１３８】
具体的に、前記ｋの定義は表７に示す。
【０１３９】
【表７】
2019525535.tif 000012
表７において、ＴＤＤ  ＵＬ/ＤＬ構成（ＴＤＤ ＵＬ/ＤＬ Ｃｏｎｆｉｇｕｒａｔｉｏｎ）は、アップリンクリファレンスＴＤＤ  ＵＬ/ＤＬ構成またはシステム情報により設定されたＴＤＤ  ＵＬ/ＤＬ構成である。
【０１４０】
さらに、前記サブフレームｍ+ｋは、ノーマルサブフレームにおいて伝送されるＰＵＳＣＨに対応するダウンリンク制御チャネルを検出するサブフレームと異なれば、Ｓ２３の前記端末が、前記ダウンリンク制御チャネルにより、前記スペシャルサブフレームｍにおいて伝送されるＰＵＳＣＨを再伝送するか否かを決定するのは、下記２場合を含む。
【０１４１】
（場合１）前記端末が、前記サブフレームｍ+ｋにおいて、アップリンクＤＣＩフォーマットを利用するダウンリンク制御チャネルを検出できなければ、前記端末は、前記スペシャルサブフレームｍにおいて送信されたＰＵＳＣＨ伝送が成功したことを決定し、再伝送は要らなくなる。
【０１４２】
（場合２）前記端末が、前記サブフレームｍ+ｋにおいて、アップリンクＤＣＩフォーマットを利用するダウンリンク制御チャネルを検出すれば、前記端末は、当該ダウンリンク制御チャネルに含まれる再伝送するか否かを示す指示子に基づき、前記スペシャルサブフレームｍにおいて伝送されるＰＵＳＣＨを再伝送するか否かを決定する。
【０１４３】
好ましくは、再伝送するか否かを示す指示子はＮＤＩであり、即ち、前記端末は、前記ダウンリンク制御チャネルに含まれるＮＤＩに基づき、前記スペシャルサブフレームｍにおいて伝送されるＰＵＳＣＨを再伝送するか否かを決定する。
【０１４４】
具体的に、動的なスケジューリングＰＵＳＣＨの場合、前記ダウンリンク制御チャネルにおけるＮＤＩが、前記ＰＵＳＣＨの第１回の伝送に対応するＮＤＩに対して変化しない場合、端末は前記ＰＵＳＣＨを再伝送する必要がある。前記ダウンリンク制御チャネルにおけるＮＤＩがは、前記ＰＵＳＣＨ的第１回の伝送に対応するＮＤＩに対して変化した場合、即ち、前記ダウンリンク制御チャネルが新しいＰＵＳＣＨ伝送をスケジューリングした場合、端末が前記ＰＵＳＣＨを再伝送することが要らなくなる。
【０１４５】
ＳＰＳ ＰＵＳＣＨの場合、前記ダウンリンク制御チャネルにおけるＮＤＩが０であれば、端末が前記ＰＵＳＣＨを再伝送することが要らなくなる。前記ダウンリンク制御チャネルにおけるＮＤＩが１であれば、端末が前記ＰＵＳＣＨを再伝送する必要がある。
【０１４６】
端末がノーマルサブフレームｎにおいてＰＵＳＣＨを送信した場合、サブフレームｎ+ｋにおいて、前記ＰＵＳＣＨに対応するＰＨＩＣＨ及び/またはアップリンクＤＣＩフォーマットを利用するダウンリンク制御チャネルを検出することを説明したい。ここで、ｋがｋＰＨＩＣＨであり、標準において予め定義された値であり、表３に示すように、サブフレームｎにおいて送信されたＰＵＳＣＨがサブフレームｎ+ｋＰＨＩＣＨにおいてＰＨＩＣＨを検出することを定義するためのものである。さらに、検出されたＰＨＩＣＨ及び/またはダウンリンク制御チャネルにより、従来の技術で当該ＰＵＳＣＨの再伝送有無を決定する。
【０１４７】
同様な発明思想に基づき、図３に示す実施例は、アップリンク伝送のフィードバック情報を送信する方法を提供し、前記方法は、下記のステップを備える。
【０１４８】
Ｓ３１において、基地局は、端末に、スペシャルサブフレームｍにおいてＰＵＳＣＨを送信させるように、スケジューリングする。前記ｍは整数である。
【０１４９】
Ｓ３２において、前記基地局は、前記スペシャルサブフレームｍにおいて、前記端末により送信されたＰＵＳＣＨを検出する。
【０１５０】
Ｓ３３において、前記基地局は、前記スペシャルサブフレームｍの後のダウンリンク伝送リソースが含まれるサブフレームまたはサブフレームｍ+ｋにおいて、前記端末にアップリンクＤＣＩフォーマットを利用するダウンリンク制御チャネルを送信し、前記ｋは正整数であり、前記ダウンリンク制御チャネルに、前記スペシャルサブフレームｍにおいて伝送されるＰＵＳＣＨを再伝送するか否かを示す指示子が含まれる。
【０１５１】
好ましくは、前記前記スペシャルサブフレームｍにおけるＰＵＳＣＨが再伝送するか否かを示す指示子はＮＤＩである。
【０１５２】
本発明の実施例において、基地局は、端末に、スペシャルサブフレームｍにおいてＰＵＳＣＨを送信させるように、スケジューリングする。また、前記スペシャルサブフレームｍにおいて、前記端末により送信されたＰＵＳＣＨを検出し、前記基地局は、前記スペシャルサブフレームｍの後のダウンリンク伝送リソースが含まれるサブフレームまたはサブフレームｍ+ｋにおいて、前記端末にアップリンクＤＣＩフォーマットを利用するダウンリンク制御チャネルを送信し、前記ダウンリンク制御チャネルに、前記スペシャルサブフレームｍにおいて伝送されるＰＵＳＣＨを再伝送するか否かを示す指示子が含まれる。こうして、前記端末が前記スペシャルサブフレームｍにおいてＰＵＳＣＨを再送信するか否かを示す。こうして、スペシャルサブフレームにおいてＰＵＳＣＨ的フィードバック情報を伝送する伝送案が提供され、スペシャルサブフレームにおいて伝送されるＰＵＳＣＨの場合、ＡＣＫ/ＮＡＣＫフィードバック情報を正常に取得することが確保できるようになる。
【０１５３】
１つの可能の実施態様では、前記ｋの定義は以下とおりである。
【０１５４】
ＴＤＤ  ＵＬ/ＤＬ構成０の場合、ｍが１または６であれば、前記ｋは４、５、９または１０であり、または、
ＴＤＤ  ＵＬ/ＤＬ構成１の場合、ｍが１または６であれば、前記ｋは３、５、８、１０であり、または、
ＴＤＤ  ＵＬ/ＤＬ構成２の場合、ｍが１または６であれば、前記ｋは２または７であり、または、
ＴＤＤ  ＵＬ/ＤＬ構成３の場合、ｍが１であれば、前記ｋは７、８または９であり、または、
ＴＤＤ  ＵＬ/ＤＬ構成４の場合、ｍが１であれば、前記ｋは７または８であり、または、
ＴＤＤ  ＵＬ/ＤＬ構成５の場合、ｍが１であれば、前記ｋは７であり、または、
ＴＤＤ  ＵＬ/ＤＬ構成６の場合、ｍが１であれば、前記ｋは４、５、８、９または１０であり、または、
ＴＤＤ  ＵＬ/ＤＬ構成６の場合、ｍが６であれば、前記ｋは３、４、５、９または１０である。
【０１５５】
上記いずれの実施例においても、前記基地局が、前記端末にアップリンクＤＣＩフォーマットを利用するダウンリンク制御チャネルを送信する場合、前記基地局は、前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定する。
【０１５６】
及び/または、前記基地局は、前記ダウンリンク制御チャネルに第１指示子が含まれ、前記第１指示子は、前記ダウンリンク制御チャネルに対応するＰＵＳＣＨの関連情報を示す。
【０１５７】
及び/または、前記基地局は、前記ダウンリンク制御チャネルに第２指示子が含ませ、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示す。は
及び/また、前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定する。
【０１５８】
及び/または、前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示子の値を決定する。
【０１５９】
１つの可能の実施態様では、前記基地局は、前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定する場合、
前記ダウンリンク制御チャネルがスペシャルサブフレームにおいて伝送されるＰＵＳＣＨに対応すれば、前記基地局は、前記ダウンリンク制御チャネルが第１ＤＣＩサイズのアップリンクＤＣＩフォーマットを用いることを決定し、または
前記ダウンリンク制御チャネルがノーマルサブフレームにおいて伝送されるＰＵＳＣＨに対応すれば、前記基地局は、前記ダウンリンク制御チャネルが第２ＤＣＩサイズのアップリンクＤＣＩフォーマットを用いることを決定し、
前記第１ＤＣＩサイズと前記第２ＤＣＩサイズは異なる。
【０１６０】
１つの可能の実施態様では、前記第１指示子に、前記ダウンリンク制御チャネルに対応するＰＵＳＣＨのＨＡＲＱプロセス番号が含まれる。
【０１６１】
１つの可能の実施態様では、前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定する場合、
前記ダウンリンク制御チャネルがスペシャルサブフレームにおいて伝送されるＰＵＳＣＨに対応すれば、前記基地局は、前記ダウンリンク制御チャネルへのスクランブリングに第１ＲＮＴＩを用いてスクランブリングすることを決定し、または
前記ダウンリンク制御チャネルがノーマルサブフレームにおいて伝送されるＰＵＳＣＨに対応すれば、前記基地局は、前記ダウンリンク制御チャネルへのスクランブリングに第２ＲＮＴＩを用いることを決定する；
前記第１ＲＮＴＩと前記第２ＲＮＴＩは異なる。
【０１６２】
１つの可能の実施態様では、スペシャルサブフレームに対応するＲＮＴＩが複数の端末により共有すれば、前記基地局は、複数の端末のインデックス値に基づき、複数の端末の再伝送するか否かを示す指示子を、スペシャルサブフレームに対応する前記ダウンリンク制御チャネルにおける対応の位置にマッピングする。
【０１６３】
１つの可能の実施態様では、前記サブフレームｍ+ｋは、ノーマルサブフレームにおいて伝送されるＰＵＳＣＨに対応するダウンリンク制御チャネルを検出するサブフレームと異なる。
【０１６４】
当該方式において、好ましくは、前記ｋの定義は以下とおりである。
【０１６５】
ＴＤＤ  ＵＬ/ＤＬ構成１の場合、ｍを１または６とし、前記ｋは４または９であり、または
ＴＤＤ  ＵＬ/ＤＬ構成２の場合、ｍを１または６とし、前記ｋは３、４、５、８、９または１０であり、または
ＴＤＤ  ＵＬ/ＤＬ構成３の場合、ｍを１とし、前記ｋは、４、５、６または１０であり、または
ＴＤＤ  ＵＬ/ＤＬ構成４の場合、ｍを１とし、前記ｋは３、４、５、６、９または１０であり、または
ＴＤＤ  ＵＬ/ＤＬ構成５の場合、ｍを１とし、前記ｋは２、３、４、５、６、８、９または１０である。
【０１６６】
１つの可能の実施態様では、前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示子の値を決定する場合、
前記ダウンリンク制御チャネルがスペシャルサブフレームにおいて伝送されるＰＵＳＣＨに対応すれば、前記基地局は、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記基地局は、前記ＵＬ ｉｎｄｅｘのＬＳＢ及びＭＳＢのうちの少なくとも１つを１とする。
【０１６７】
以下３つの実施例により、本発明の実施例に係る方法を説明する。
【０１６８】
＜実施例１＞本実施例ではＴＤＤ  ＵＬ/ＤＬ構成１の例を挙げ、スペシャルサブフレーム１または６のＵｐＰＴＳにおいて伝送されるＰＵＳＣＨに非同期ＨＡＲＱが用いられ、ダウンリンク制御チャネルによりフィードバック情報を搬送する。ＵｐＰＴＳにおいて伝送されるＰＵＳＣＨに対応するダウンリンク制御チャネルに第１指示子が含まれ、ＵｐＰＴＳにおいて伝送されるＰＵＳＣＨのＨＡＲＱプロセス番号を示すためのものであり、ここで、スペシャルサブフレーム１のＵｐＰＴＳにおいて伝送されるＨＡＲＱプロセス番号は０であり、スペシャルサブフレーム６のＵｐＰＴＳにおいて伝送されるＨＡＲＱプロセス番号は１である。以下、基地局側及び端末側それぞれにおける実施を説明する。
【０１６９】
１、基地局側
１）端末がスペシャルサブフレーム１のＵｐＰＴＳにおいてＰＵＳＣＨ-１を伝送するようにスケジューリングする。スペシャルサブフレーム１において端末により送信されたＰＵＳＣＨ-１を受信し、かつ、１ビットのＡＣＫ/ＮＡＣＫフィードバック情報を取得する。
【０１７０】
ここで、ＡＣＫ/ＮＡＣＫフィードバック情報がＡＣＫであれば、基地局が新たなアップリンクデータ伝送をスケジューリングする必要がない場合、アップリンクＤＣＩフォーマットを利用するダウンリンク制御チャネルを当該端末に送信する必要はない。基地局が新たなアップリンクデータ伝送をスケジューリングする必要がある場合、基地局が新たなＰＵＳＣＨ-１の第１回伝送に対応するダウンリンク制御チャネルにおけるＮＤＩに対するＮＤＩを反転し（即ち、異なる値とし、例えば、第１回伝送に対応するＮＤＩを０とすれば、当該ダウンリンク制御チャネルにおけるＮＤＩを１とする）、かつ、スペシャルサブフレーム１の後のダウンリンクリソースが含まれるいずれか１つのサブフレーム、または、スペシャルサブフレーム１の後の所定時間内のダウンリンクリソースが含まれるいずれか１つのサブフレームにおいて、（例えば、次の１０個のサブフレームのうちのいずれか１つのダウンリンクサブフレーム及び/またはスペシャルサブフレームは、基地局のスケジューリング及びリソースの割り当てによって決められる）、当該ＮＤＩが含まれるダウンリンク制御チャネルを当該端末に送信する。
【０１７１】
ＡＣＫ/ＮＡＣＫフィードバック情報がＮＡＣＫであれば、基地局は、スペシャルサブフレーム１の後のダウンリンクリソースが含まれるいずれか１つのサブフレーム、または、スペシャルサブフレーム１の後の所定時間内のダウンリンクリソースが含まれるいずれか１つのサブフレームにおいて、（例えば、次の１０個のサブフレームのうちのいずれか１つのダウンリンクサブフレーム及び/またはスペシャルサブフレームは、基地局のスケジューリング及びリソースの割り当てによって決められる）、例えば、サブフレーム９において、アップリンクＤＣＩフォーマットを利用するダウンリンク制御チャネルを当該端末に送信し、当該ダウンリンク制御チャネルにおけるＮＤＩを、当該ＰＵＳＣＨ-１の第１回伝送に対応するダウンリンク制御チャネルにおけるＮＤＩと同様な値とし（例えば、第１回伝送に対応するＮＤＩを０とすれば、当該ダウンリンク制御チャネルにおけるＮＤＩも０とする）、当該ダウンリンク制御チャネルにおける第１指示子に、スペシャルサブフレーム１において送信されたＰＵＳＣＨ-１を示させるようにする。例えば、１ビット第１指示子が「０」とされる場合、ＵｐＰＴＳにおいて伝送されるＰＵＳＣＨのＨＡＲＱプロセス番号０を示す。
【０１７２】
２）スケジューリング端末がスペシャルサブフレーム６のＵｐＰＴＳにおいてＰＵＳＣＨ-２伝送するようにスケジューリングする。スペシャルサブフレーム６において、端末により送信されたＰＵＳＣＨ-２を受信し、かつ、１ビットのＡＣＫ/ＮＡＣＫフィードバック情報を取得する。
【０１７３】
ここで、ＡＣＫ/ＮＡＣＫフィードバック情報がＡＣＫであれば、基地局が新たなアップリンクデータ伝送をスケジューリングする必要がない場合、アップリンクＤＣＩフォーマットを利用するダウンリンク制御チャネルを当該端末に送信する必要はない。基地局が新たなアップリンクデータ伝送をスケジューリングする必要がある場合、ＰＵＳＣＨ-２の第１回伝送に対応するダウンリンク制御チャネルにおけるＮＤＩに対してＮＤＩを反転し（即ち、異なる値とし、例えば、第１回伝送に対応するＮＤＩを０とすれば、当該ダウンリンク制御チャネルにおけるＮＤＩを１とする）、かつ、スペシャルサブフレーム６の後のダウンリンクリソースが含まれるいずれか１つのサブフレーム、または、スペシャルサブフレーム６の後の所定時間内のダウンリンクリソースが含まれるいずれか１つのサブフレームにおいて（例えば、次の１０個のサブフレームのうちのいずれか１つのダウンリンクサブフレーム及び/またはスペシャルサブフレームは、基地局のスケジューリング及びリソースの割り当てによって決められる）、当該ＮＤＩが含まれるダウンリンク制御チャネルを当該端末に送信する。
【０１７４】
ＡＣＫ/ＮＡＣＫフィードバック情報がＮＡＣＫであれば、基地局は、スペシャルサブフレーム６の後のダウンリンクリソースが含まれるいずれか１つのサブフレーム、または、スペシャルサブフレーム６の後の所定時間内のダウンリンクリソースが含まれるいずれか１つのサブフレームにおいて（例えば、次の１０個のサブフレームのうちのいずれか１つのダウンリンクサブフレーム及び/またはスペシャルサブフレームは、基地局のスケジューリング及びリソースの割り当てによって決められる）、例えば、サブフレーム９において、アップリンクＤＣＩフォーマットを利用するダウンリンク制御チャネルを当該端末に送信し、かつ、当該ダウンリンク制御チャネルにおけるＮＤＩを、当該ＰＵＳＣＨ-２の第１回伝送に対応するダウンリンク制御チャネルにおけるＮＤＩと同様な値とし（例えば、第１回伝送に対応するＮＤＩを０とすれば、当該ダウンリンク制御チャネルにおけるＮＤＩも０とする）、また、当該ダウンリンク制御チャネルにおける第１指示子に、スペシャルサブフレーム６において送信されたＰＵＳＣＨ-２を示させるようにしする。例えば、１ビット第１指示子が「１」である場合、ＵｐＰＴＳにおいて伝送されるＰＵＳＣＨのＨＡＲＱプロセス番号１を示す。
【０１７５】
スペシャルサブフレーム１及びスペシャルサブフレーム６のＵｐＰＴＳにおいて伝送されるＰＵＳＣＨ-１及びＰＵＳＣＨ-２のフィードバック情報のいずれも、サブフレーム９において伝送されるダウンリンク制御チャネルにより取得するが、２つのダウンリンク制御チャネルそれぞれ異なるＵｐＰＴＳにおいて伝送されるＰＵＳＣＨのＨＡＲＱプロセス番号を示すため、端末側は、識別ＰＵＳＣＨ-１及びＰＵＳＣＨ-２のフィードバック情報を識別することができる。
【０１７６】
2019525535.tif 000013
【０１７７】
勿論、ＡＣＫ/ＮＡＣＫフィードバック情報がＮＡＣＫであれば、基地局が動的なスケジューリングによいり、ＰＵＳＣＨ-３再伝送に関するリソース及び設定を変化しようとする場合、サブフレーム６において、アップリンクＤＣＩフォーマットを利用するダウンリンク制御チャネルを送信し、かつ、当該ダウンリンク制御チャネルにおけるＮＤＩと、当該ＰＵＳＣＨ-３の第１回伝送に対応するダウンリンク制御チャネルにおけるＮＤＩと同様な値とすることもできる（例えば、第１回伝送に対応するＮＤＩを０とすれば、当該ダウンリンク制御チャネルにおけるＮＤＩも０とする）。 
【０１７８】
２、端末側：
１）端末がスペシャルサブフレーム１のＵｐＰＴＳにおいて伝送されるＰＵＳＣＨ-１をスケジューリングするためのスケジューリング情報を受信し、かつ、スケジューリング情報に基づき、スペシャルサブフレーム１のＵｐＰＴＳにおいて、当該ＰＵＳＣＨ-１を送信する。スペシャルサブフレーム１の後のダウンリンク伝送リソースが含まれるサブフレーム、または、スペシャルサブフレーム１の後の所定時間内のダウンリンクリソースが含まれるいずれか１つのサブフレームにおいて（例えば、次の１０個のサブフレーム内の各ダウンリンクサブフレーム及び/またはスペシャルサブフレーム）、アップリンクＤＣＩフォーマットを利用するダウンリンク制御チャネルを検出する。
【０１７９】
具体的に、所定時間が設定されれば、所定時間内で検出されていない場合、端末は、基地局が再伝送が指示されたダウンリンク制御チャネルを送信しなかったと判断し、即ち、端末は、ＰＵＳＣＨ-１伝送が成功したと判断し、再伝送は要らなくなる。所定時間が設定されていなければ、当該ＰＵＳＣＨ-１の再伝送有無を判断できるＤＣＩを受信して更なる動作を行うまで、端末はＰＵＳＣＨ-１の情報を保持する。検出した場合、例えば、サブフレーム９において、ダウンリンク制御チャネルを検出すれば、端末は、当該ダウンリンク制御チャネルにおける第１指示子により示すプロセス番号に基づき、スペシャルサブフレーム１のＵｐＰＴＳにおいて伝送されるＰＵＳＣＨ-１に対応すると決定し、そして、当該ダウンリンク制御チャネルにおけるＮＤＩが当該ＰＵＳＣＨ-１的第１回伝送に対応するＮＤＩに対して反転するか否かにより、再伝送の要否を決定する。例えば、当該ＮＤＩが第１回伝送に対応するＮＤＩと同じであれば、端末は、再伝送が必要と決定し、かつ、当該ダウンリンク制御チャネルにおけるスケジューリング情報に基づき（即ち、指示されたリソース及び変調符号化レベルなどの情報）ＰＵＳＣＨ-１を再伝送する。また、例えば、当該ＮＤＩが第１回伝送に対応するＮＤＩと異なる場合、端末は、新データ伝送であると決定し、スケジューリング情報に基づき、新データを伝送し始まる。即ち、ＰＵＳＣＨ-１伝送が成功したと判断し、再伝送は要らなくなる。
【０１８０】
２）端末がスペシャルサブフレーム６のＵｐＰＴＳにおいて伝送されるＰＵＳＣＨ-２をスケジューリングするためのスケジューリング情報を受信し、スケジューリング情報に基づき、スペシャルサブフレーム６のＵｐＰＴＳにおいて、当該ＰＵＳＣＨ-２を送信する。スペシャルサブフレーム６の後のダウンリンク伝送リソースが含まれるサブフレーム、または、スペシャルサブフレーム６の後の所定時間内のダウンリンクリソースが含まれるいずれか１つのサブフレームにおいて（例えば、次の１０個のサブフレーム内の各ダウンリンクサブフレーム及び/またはスペシャルサブフレーム）、アップリンクＤＣＩフォーマットを利用するダウンリンク制御チャネルを検出する。
【０１８１】
具体的に、所定時間が設定されれば、所定時間内で検出されていない場合、端末は、基地局が再伝送が指示されたダウンリンク制御チャネルを送信しなかったと判断し、即ち、端末はＰＵＳＣＨ-２伝送が成功したと判断し、再伝送は要らなくなる，所定時間が設定されていなければ、当該ＰＵＳＣＨ-２の再伝送有無を判断できるＤＣＩを受信してさらに動作を行うまで、端末は、ＰＵＳＣＨ-２の情報を保持する。検出した場合、例えば、サブフレーム９において、ダウンリンク制御チャネルを検出すれば、端末は、当該ダウンリンク制御チャネルにおける第１指示子により示すプロセス番号に基づき、スペシャルサブフレーム６のＵｐＰＴＳにおいて伝送されるＰＵＳＣＨ-２に対応すると決定する。そして、当該ダウンリンク制御チャネルにおけるＮＤＩが当該ＰＵＳＣＨ-２の第１回伝送に対応するＮＤＩに対して反転するか否かにより、再伝送するかを決定する。例えば、当該ＮＤＩが第１回伝送に対応するＮＤＩと同じであれば、端末は、再伝送が必要と決定し、かつ、当該ダウンリンク制御チャネルにおけるスケジューリング情報に基づき（即ち、指示されたリソース及び変調符号化レベルなどの情報）ＰＵＳＣＨ-２を再伝送する。また、例えば、当該ＮＤＩが第１回伝送に対応するＮＤＩと異なる場合、端末は、新データ伝送であると決定し、スケジューリング情報に基づき、新データを伝送し始まる。即ち、ＰＵＳＣＨ-２伝送が成功したと判断し、再伝送は要らなくなる。
【０１８２】
2019525535.tif 000014
【０１８３】
勿論、端末は、サブフレーム６において、アップリンクＤＣＩフォーマットを利用するダウンリンク制御チャネルを同時に検出し、検出されなかった場合、上記ＰＨＩＣＨ内のフィードバック情報を採用する。検出した場合、当該ダウンリンク制御チャネルにおけるＮＤＩが当該ＰＵＳＣＨ-３の第１回伝送に対応するＮＤＩに対して反転するか否かに基づき、再伝送するかを決定する。具体的に、当該ＮＤＩが第１回伝送に対応するＮＤＩと同じであれば、端末は、再伝送が必要と決定し、かつ、当該ダウンリンク制御チャネルにおけるスケジューリング情報に基づき（即ち、指示されたリソース及び変調符号化レベルなどの情報）、ＰＵＳＣＨ-３を再伝送する。当該ＮＤＩが第１回伝送に対応するＮＤＩと異なる場合、端末は、新データ伝送であると決定し、スケジューリング情報に基づき、新データを伝送し始まる。即ち、ＰＵＳＣＨ-３伝送が成功したと判断し、再伝送は要らなくなる。
【０１８４】
本実施例では、ＵｐＰＴＳにおいて伝送されるＰＵＳＣＨに対応するダウンリンク制御チャネルに用いられるＤＣＩサイズが、ノーマルアップリンクサブフレームにおいて伝送されるＰＵＳＣＨに対応するダウンリンク制御チャネルに用いられるＤＣＩサイズと異なる場合、ノーマルアップリンクサブフレームに対応するＰＨＩＣＨ伝送サブフレームにおいて、ＵｐＰＴＳにおいて伝送されるＰＵＳＣＨに対応するダウンリンク制御チャネルを伝送することもできる。この際、端末は、異なるサイズのＤＣＩをブラインド検出することにより、ダウンリンク制御チャネルがＵｐＰＴＳのＰＵＳＣＨに対応するかノーマルアップリンクサブフレームにおけるＰＵＳＣＨに対応するかを識別することができる。ＵｐＰＴＳにおいて伝送されるＰＵＳＣＨに対応するダウンリンク制御チャネルに用いられるＤＣＩサイズが、ノーマルアップリンクサブフレームにおいて伝送されるＰＵＳＣＨに対応するダウンリンク制御チャネルに用いられるＤＣＩサイズと同じであれば、基地局は、ＵｐＰＴＳにおいて伝送されるＰＵＳＣＨに対応するダウンリンク制御チャネル及びノーマルアップリンクサブフレームにおいて伝送されるＰＵＳＣＨに対応するダウンリンク制御チャネルが同一のサブフレームにおいて伝送しないようにスケジューリングするか、または定義し、または、ＵｐＰＴＳにおいて伝送されるＰＵＳＣＨに対応するダウンリンク制御チャネル及びノーマルアップリンクサブフレームにおいて伝送されるＰＵＳＣＨに対応するダウンリンク制御チャネルを、異なるＲＮＴＩで識別するように設定する。または、ＵｐＰＴＳにおいて伝送されるＰＵＳＣＨに対応するダウンリンク制御チャネル及びノーマルアップリンクサブフレームにおいて伝送されるＰＵＳＣＨに対応するダウンリンク制御チャネルの第２ビットフィールドの指示子を定義することにより識別する。ここで、ノーマルアップリンクサブフレームにおけるオリジナルＤＣＩサイズを変化させないため、当該ＤＣＩ内のアイドルビットフィールドを利用して再び第２ビットフィールドとする。
【０１８５】
＜実施例２＞本実施例では、ＴＤＤ  ＵＬ/ＤＬ構成１の例を挙げ、スペシャルサブフレーム１または６のＵｐＰＴＳにおいて伝送されるＰＵＳＣＨに非同期ＨＡＲＱが用いられ、ダウンリンク制御チャネルによりフィードバック情報を搬送する。以下、基地局側及び端末側別で、説明する。
【０１８６】
１、基地局側
１）端末がスペシャルサブフレーム１のＵｐＰＴＳにおいてＰＵＳＣＨ-１を伝送するようにスケジューリングする。スペシャルサブフレーム１において端末により送信されたＰＵＳＣＨ-１を受信し、かつ、１ビットのＡＣＫ/ＮＡＣＫフィードバック情報を取得する。
【０１８７】
ここで、ＡＣＫ/ＮＡＣＫフィードバック情報がＡＣＫであれば、基地局が新たなアップリンクデータ伝送をスケジューリングする必要がない場合、アップリンクＤＣＩフォーマットを利用するダウンリンク制御チャネルを当該端末に送信する必要はない。基地局が新たなアップリンクデータ伝送をスケジューリングする必要がある場合、基地局が新たなＰＵＳＣＨ-１の第１回伝送に対応するダウンリンク制御チャネルにおけるＮＤＩに対するＮＤＩを反転し（即ち、異なる値とし、例えば、第１回伝送に対応するＮＤＩを０とすれば、当該ダウンリンク制御チャネルにおけるＮＤＩを１とする）、かつ、スペシャルサブフレーム１の後のダウンリンクリソースが含まれるいずれか１つのサブフレーム、または、スペシャルサブフレーム１の後の所定時間内のダウンリンクリソースが含まれるいずれか１つのサブフレームにおいて、（例えば、次の１０個のサブフレームのうちのいずれか１つのダウンリンクサブフレーム及び/またはスペシャルサブフレームは、基地局のスケジューリング及びリソースの割り当てによって決められる）、当該ＮＤＩが含まれるダウンリンク制御チャネルを当該端末に送信する。
【０１８８】
ＡＣＫ/ＮＡＣＫフィードバック情報がＮＡＣＫであれば、基地局は、スペシャルサブフレーム１の後のダウンリンクリソースが含まれるいずれか１つのサブフレーム、または、スペシャルサブフレーム１の後の所定時間内のダウンリンクリソースが含まれるいずれか１つのサブフレームにおいて、（例えば、次の１０個のサブフレームのうちのいずれか１つのダウンリンクサブフレーム及び/またはスペシャルサブフレームは、基地局のスケジューリング及びリソースの割り当てによって決められる）、例えば、サブフレーム６において、アップリンクＤＣＩフォーマットを利用するダウンリンク制御チャネルを当該端末に送信し、当該ダウンリンク制御チャネルにおけるＮＤＩと、当該ＰＵＳＣＨ-１の第１回伝送に対応するダウンリンク制御チャネルにおけるＮＤＩと同様な値とする。例えば、第１回伝送に対応するＮＤＩを０とすれば、当該ダウンリンク制御チャネルにおけるＮＤＩも０とする。さらに、基地局以下のいずれ方法で、当該ダウンリンク制御チャネルを処理することができる。
【０１８９】
方法Ａでは、当該ダウンリンク制御チャネルの場合、第１ＤＣＩサイズで伝送し、当該第１ＤＣＩサイズは、ノーマルアップリンクサブフレームに対応するＤＣＩサイズと異なる。
【０１９０】
方法Ｂでは、当該ダウンリンク制御チャネルにおける第２指示子を「１」とする場合、当該ダウンリンク制御チャネルがＵｐＰＴＳにおいて伝送されるＰＵＳＣＨに対応すると示す。
【０１９１】
方法Ｃでは、第１ＲＮＴＩで当該ダウンリンク制御チャネルをスクランブリングし、当該第１ＲＮＴＩは、ノーマルアップリンクサブフレームに対応するＲＮＴＩと異なり、ノーマルアップリンクサブフレームにおけるＰＵＳＣＨに対応するダウンリンク制御チャネルを識別するに用いられる。
【０１９２】
2019525535.tif 000015
【０１９３】
勿論、ＡＣＫ/ＮＡＣＫフィードバック情報がＮＡＣＫであれば、基地局は、動的なスケジューリングにより、ＰＵＳＣＨ-２再伝送のリソース及び構成を変化しようとする場合、サブフレーム６において、アップリンクＤＣＩフォーマットを利用するダウンリンク制御チャネルを送信し、かつ、当該ダウンリンク制御チャネルにおけるＮＤＩを、当該ＰＵＳＣＨ-２の第１回伝送に対応するダウンリンク制御チャネルにおけるＮＤＩと同様な値とし，例えば、第１回伝送に対応するＮＤＩを０とすれば、当該ダウンリンク制御チャネルにおけるＮＤＩも０とする。さらに、基地局以下のいずれ方法で、当該ダウンリンク制御チャネルを処理することができ。：
方法１では、当該ダウンリンク制御チャネルの場合、第２ＤＣＩサイズで伝送し、当該第２ＤＣＩサイズは、ノーマルアップリンクサブフレームに対応するＤＣＩサイズである。
【０１９４】
方法２では、当該ダウンリンク制御チャネルにおける第２指示子を「０」とする場合、当該ダウンリンク制御チャネルがノーマルアップリンクサブフレームにおいて伝送されるＰＵＳＣＨに対応することを示す。
【０１９５】
方法３では、第２ＲＮＴＩで当該ダウンリンク制御チャネルをスクランブリングし、ＵｐＰＴＳにおけるＰＵＳＣＨに対応するダウンリンク制御チャネルを識別する
２、端末側
１）端末がスペシャルサブフレーム１のＵｐＰＴＳにおいて伝送されるＰＵＳＣＨ-１をスケジューリングするためのスケジューリング情報を受信し、スケジューリング情報に基づき、スペシャルサブフレーム１のＵｐＰＴＳにおいて、当該ＰＵＳＣＨ-１を送信する。スペシャルサブフレーム１の後のダウンリンク伝送リソースが含まれるサブフレーム、または、スペシャルサブフレーム１の後の所定時間内のダウンリンクリソースが含まれるいずれか１つのサブフレームにおいて（例えば、次の１０個のサブフレーム内の各ダウンリンクサブフレーム及び/またはスペシャルサブフレーム）、アップリンクＤＣＩフォーマットを利用するダウンリンク制御チャネルを検出する。所定時間が定義されれば、所定時間内で、アップリンクＤＣＩフォーマットを利用するダウンリンク制御チャネルを検出できなかった場合、端末は、基地局が再伝送が指示されたダウンリンク制御チャネルを送信しなかったと判断し、即ち、当該ＰＵＳＣＨ-１伝送が成功したと判断し、再伝送は要らなくなる。所定時間が設定されていなければ、当該ＰＵＳＣＨ-１の再伝送有無を判断できるＤＣＩを受信して更なる動作を行うまで、端末はＰＵＳＣＨ-１の情報を保持する。アップリンクＤＣＩフォーマットを利用するダウンリンク制御チャネルを検出した場合、例えば、サブフレーム６において、ダウンリンク制御チャネルを検出した場合、端末は、基地局側に対応する方法で処理する。
【０１９６】
方法Ａでは、検出されたＤＣＩサイズが第１ＤＣＩサイズであれば（即ち、第１ＤＣＩ及び第２ＤＣＩサイズをブラインド検出することにより、当該ダウンリンク制御チャネルが第１ＤＣＩサイズを用いるダウンリンク制御チャネルと決定する）、当該ダウンリンク制御チャネルがＵｐＰＴＳ内のＰＵＳＣＨに対応すると決定する。
【０１９７】
方法Ｂでは、当該ダウンリンク制御チャネルにおける第２指示子が「１」である場合、当該ダウンリンク制御チャネルがＵｐＰＴＳ内のＰＵＳＣＨに対応すると決定する。
【０１９８】
方法Ｃでは、当該ダウンリンク制御チャネルに第１ＲＮＴＩで スクランブリング擦れば（即ち、第１ＲＮＴＩ及び第２ＲＮＴＩをブラインド検出することにより、当該ダウンリンク制御チャネルが第１ＲＮＴＩでスクランブリングされることを決定する）、当該ダウンリンク制御チャネルがＵｐＰＴＳ内のＰＵＳＣＨに対応すると決定する。
【０１９９】
さらに、端末は、当該ダウンリンク制御チャネルにおけるＮＤＩが当該ＰＵＳＣＨ-１的第１回伝送に対応するＮＤＩに対して反転するか否かに基づき、再伝送するかを決定する。例えば、当該ＮＤＩは、第１回伝送に対応するＮＤＩと同様であり、端末は、再伝送が必要と決定し、かつ、当該ダウンリンク制御チャネルにおけるスケジューリング情報に基づき（即ち、指示されたリソース及び変調符号化レベルなどの情報）ＰＵＳＣＨ-１を再伝送する。また、例えば、当該ＮＤＩは、第１回伝送に対応するＮＤＩと異なり、端末は、新データ伝送であると決定し、スケジューリング情報に基づき、新データを伝送し始まる。即ち、ＰＵＳＣＨ-１伝送が成功したと判断し、再伝送は要らなくなる。
【０２００】
2019525535.tif 000016
【０２０１】
方法１では、検出されたＤＣＩサイズが第２ＤＣＩサイズ（即ち、第１ＤＣＩ及び第２ＤＣＩサイズをブラインド検出することにより、当該ダウンリンク制御チャネルが第２ＤＣＩサイズを用いるＤＣＩフォーマットであると決定する）であることにより、当該ダウンリンク制御チャネルがノーマルアップリンクサブフレームにおけるＰＵＳＣＨに対応すると決定する。
【０２０２】
方法２では、当該ダウンリンク制御チャネルにおける第２指示子が「０」であることにより、当該ダウンリンク制御チャネルがノーマルアップリンクサブフレームにおけるＰＵＳＣＨに対応すると決定する。
【０２０３】
方法３では、当該ダウンリンク制御チャネルに第２ＲＮＴＩでスクランブリングすることにより（即ち、第１ＲＮＴＩ及び第２ＲＮＴＩをブラインド検出することにより、当該ダウンリンク制御チャネルが第２ＲＮＴＩでスクランブリングされたと決定する）、当該ダウンリンク制御チャネルがノーマルアップリンクサブフレームにおけるＰＵＳＣＨに対応すると決定する。
【０２０４】
さらに、端末は、当該ダウンリンク制御チャネルにおけるＮＤＩが当該ＰＵＳＣＨ-２の第１回伝送に対応するＮＤＩに対して反転するか否かに基づき、再伝送するかを決定する。例えば、当該ＮＤＩは、第１回伝送に対応するＮＤＩと同様であり、端末は、再伝送が必要と決定し、かつ、当該ダウンリンク制御チャネルにおけるスケジューリング情報に基づき（即ち、指示されたリソース及び変調符号化レベルなどの情報）ＰＵＳＣＨ-２を再伝送する。また、例えば、当該ＮＤＩは、第１回伝送に対応するＮＤＩと異なり、端末は、新データ伝送であると決定し、スケジューリング情報に基づき、新データを伝送し始まる。即ち、ＰＵＳＣＨ-２伝送が成功したと判断し、再伝送は要らなくなる。
【０２０５】
＜実施例３＞本実施例では、ＴＤＤ  ＵＬ/ＤＬ構成１の例を挙げ、スペシャルサブフレーム１または６のＵｐＰＴＳにおいて伝送されるＰＵＳＣＨが同期ＨＡＲＱで、スペシャルサブフレームｍにおいて伝送されるＰＵＳＣＨのＡＣＫ/ＮＡＣＫフィードバック情報は、在サブフレームｍ+ｋにおいてＡＣＫ/ＮＡＣＫフィードバック情報を搬送するダウンリンク制御チャネルを検出することにより、取得される。ここで、ｋ=４とする。以下、基地局側及び端末側別で、説明する。
【０２０６】
１、基地局側
１）端末がスペシャルサブフレーム１のＵｐＰＴＳにおいてＰＵＳＣＨ-１を伝送するようにスケジューリングする。スペシャルサブフレーム１において端末により送信されたＰＵＳＣＨ-１を受信し、かつ、１ビットのＡＣＫ/ＮＡＣＫフィードバック情報を取得する。
【０２０７】
ここで、ＡＣＫ/ＮＡＣＫフィードバック情報がＡＣＫであれば、基地局が新たなアップリンクデータ伝送をスケジューリングする必要がない場合、アップリンクＤＣＩフォーマットを利用するダウンリンク制御チャネルを当該端末に送信する必要はない。基地局が新たなアップリンクデータ伝送をスケジューリングする必要がある場合、基地局が新たなＰＵＳＣＨ-１の第１回伝送に対応するダウンリンク制御チャネルにおけるＮＤＩに対するＮＤＩを反転し（即ち、異なる値とし、例えば、第１回伝送に対応するＮＤＩを０とすれば、当該ダウンリンク制御チャネルにおけるＮＤＩを１とする）、かつ、サブフレーム５（ｍ+ｋにより得られる）において、当該ＮＤＩが含まれるダウンリンク制御チャネルを当該端末に送信する。
【０２０８】
ＡＣＫ/ＮＡＣＫフィードバック情報がＮＡＣＫであれば、基地局は、サブフレーム５（ｍ+ｋにより得られる）において、アップリンクＤＣＩフォーマットを利用するダウンリンク制御チャネルを当該端末に送信し、当該ダウンリンク制御チャネルにおけるＮＤＩと、当該ＰＵＳＣＨ-１の第１回伝送に対応するダウンリンク制御チャネルにおけるＮＤＩと同様な値とする。例えば、第１回伝送に対応するＮＤＩを０とすれば、当該ダウンリンク制御チャネルにおけるＮＤＩも０とする。
【０２０９】
2019525535.tif 000017
【０２１０】
勿論、ＡＣＫ/ＮＡＣＫフィードバック情報がＮＡＣＫであれば、基地局は、動的なスケジューリングにより、ＰＵＳＣＨ-２再伝送のリソース及び構成を変化しようとする場合、サブフレーム６において、アップリンクＤＣＩフォーマットを利用するダウンリンク制御チャネルを送信し、かつ、当該ダウンリンク制御チャネルにおけるＮＤＩを、当該ＰＵＳＣＨ-２の第１回伝送に対応するダウンリンク制御チャネルにおけるＮＤＩと同様な値とする。例えば、第１回伝送に対応するＮＤＩを０とすれば、当該ダウンリンク制御チャネルにおけるＮＤＩも０とする。
【０２１１】
定義したフィードバックサブフレームの位置が異なるため、上述したサブフレーム５及びサブフレーム６において送信されたＡＣＫ/ＮＡＣＫフィードバック情報を搬送するダウンリンク制御チャネルは、同様なＤＣＩ及び同様なＲＮＴＩでスクランブリングし、端末は、ダウンリンク制御チャネルのサブフレームを検出することにより、当該ダウンリンク制御チャネルに対応するＰＵＳＣＨがＵｐＰＴＳに対応するか、ノーマルアップリンクサブフレームに対応するかを判断する。
【０２１２】
２、端末側
１）端末がスペシャルサブフレーム１のＵｐＰＴＳにおいて伝送されるＰＵＳＣＨ-１をスケジューリングするためのスケジューリング情報を受信し、スケジューリング情報に基づき、スペシャルサブフレーム１のＵｐＰＴＳにおいて、当該ＰＵＳＣＨ-１を送信する。ｍ+ｋにより、サブフレーム５において、アップリンクＤＣＩフォーマットを利用するダウンリンク制御チャネルを検出することを、決定する。
【０２１３】
具体的に、検出されなかった場合、端末は、基地局が再伝送が指示されたダウンリンク制御チャネルを送信しなかったと判断し、即ち、当該ＰＵＳＣＨ-１伝送が成功したと判断し、再伝送は要らなくなる。
【０２１４】
検出した場合、端末は、当該ダウンリンク制御チャネルにおけるＮＤＩが当該ＰＵＳＣＨ-１的第１回伝送に対応するＮＤＩに対して反転するか否かに基づき、再伝送するかを決定する。例えば、当該ＮＤＩが第１回伝送に対応するＮＤＩと同じであれば、端末は、再伝送が必要と決定し、かつ、当該ダウンリンク制御チャネルにおけるスケジューリング情報に基づき（即ち、指示されたリソース及び変調符号化レベルなどの情報）ＰＵＳＣＨ-１を再伝送する。また、例えば、当該ＮＤＩが第１回伝送に対応するＮＤＩと異なる場合、端末は、新データ伝送であると決定し、スケジューリング情報に基づき、新データを伝送し始まる。即ち、ＰＵＳＣＨ-１伝送が成功したと判断し、再伝送は要らなくなる。
【０２１５】
2019525535.tif 000018
【０２１６】
勿論、端末は、サブフレーム６において、アップリンクＤＣＩフォーマットを利用するダウンリンク制御チャネルを検出することもできる。検出されなかった場合、次に、上記ＰＨＩＣＨにおけるフィードバック情報を採用する。検出した場合、当該ダウンリンク制御チャネルにおけるＮＤＩが当該ＰＵＳＣＨ-２の第１回伝送に対応するＮＤＩに対して反転するか否かに基づき、再伝送するかを決定する。例えば、当該ＮＤＩが第１回伝送に対応するＮＤＩと同じであれば、端末は、再伝送が必要と決定し、かつ、当該ダウンリンク制御チャネルにおけるスケジューリング情報に基づき（即ち、指示されたリソース及び変調符号化レベルなどの情報）ＰＵＳＣＨ-２を再伝送する。また、例えば、当該ＮＤＩが第１回伝送に対応するＮＤＩと異なる場合、端末は、新データ伝送であると決定し、スケジューリング情報に基づき、新データを伝送し始まる。即ち、ＰＵＳＣＨ-２伝送が成功したと判断し、再伝送は要らなくなる。
【０２１７】
以上の実施例において、動的にスケジューリングされたＰＵＳＣＨの例を挙げて説明したが、本発明に係る実施例に係る方法は、ＳＰＳ ＰＵＳＣＨの場合も同様に適用する。ただし、ＳＰＳ ＰＵＳＣＨの場合、ＮＤＩの定義が反転ではなく、１が再伝送を示し、０が初伝送を示し、他の処理は、動的なスケジューリングされたＰＵＳＣＨと同様であり、ここでは例を挙げない。
【０２１８】
上述した実施例１及び２では、ＵｐＰＴＳにおけるＰＵＳＣＨに非同期ＨＡＲＱを用いる例を挙げたが、ＵｐＰＴＳにおけるＰＵＳＣＨに同期ＨＡＲＱを用いるにも同様に適用する。同期ＨＡＲＱの場合、流れは類似するが、ただし、基地局側がＵｐＰＴＳにおけるＰＵＳＣＨに対応するダウンリンク制御チャネルを伝送するサブフレームは、スペシャルサブフレームの後の任意のサブフレームまたはスペシャルサブフレームの後の所定時間内の任意のサブフレームではなく、ＵｐＰＴＳのサブフレーム番号及び表７に決定した固定サブフレームの位置であり、また、端末側がＵｐＰＴＳにおけるＰＵＳＣＨに対応するダウンリンク制御チャネルを検出場合も、ＵｐＰＴＳの後の各サブフレームにおいて検出しない、または、ＵｐＰＴＳの後の所定時間内の各サブフレームにおいて検出しなく、ＵｐＰＴＳのサブフレーム番号番号及び表７に決定した固定サブフレームの位置において検出する。
【０２１９】
上記の処理フローは、前記憶媒体に格納可能なソフトウェアプログラムによって実現することができ、前記憶されたソフトウェアプログラムが呼び出されると、方法ステップが実行される。
【０２２０】
同様な発明思想に基づき、図４の実施例は端末を提供し、当該端末は、
スペシャルサブフレームｍにおいて物理アップリンク共有チャネル（ＰＵＳＣＨ）を送信し、ｍは整数である送信モジュール４１と、
前記スペシャルサブフレームｍの後のダウンリンク伝送リソースが含まれるサブフレームまたはサブフレームｍ+ｋにおいて、アップリンクダウンリンク制御情報（ＤＣＩ）フォーマットを用いるダウンリンク制御チャネルを検出し、前記ｋは正整数である検出モジュール４２と、
前記ダウンリンク制御チャネルにより、前記スペシャルサブフレームｍにおいて伝送されるＰＵＳＣＨを再伝送するか否かを決定する決定モジュール４３とを備える。
【０２２１】
１つの可能の実施態様では、前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８または１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または
ＴＤＤ  ＵＬ/ＤＬ構成６の場合、ｍが１であれば、前記ｋは４、５、８、９または１０であり、または
ＴＤＤ  ＵＬ/ＤＬ構成６の場合、ｍが６であれば、前記ｋは３、４、５、９または１０である。
【０２２２】
上記いずれの実施例においても、前記決定モジュールは、
前記ダウンリンク制御チャネルにより、前記ダウンリンク制御チャネルがスペシャルサブフレームにおいて伝送されるＰＵＳＣＨに対応するか否かを決定し、
前記ダウンリンク制御チャネルがスペシャルサブフレームにおいて伝送されるＰＵＳＣＨに対応すると決定した後、前記ダウンリンク制御チャネルに含まれる再伝送するか否かを示す指示子に基づき、前記スペシャルサブフレームｍにおいて伝送されるＰＵＳＣＨを再伝送するか否かを決定する。
【０２２３】
１つの可能の実施態様では、前記決定モジュールは、
前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記ダウンリンク制御チャネルにおける第１指示子に基づき、前記ダウンリンク制御チャネルがスペシャルサブフレームにおいて伝送されるＰＵＳＣＨに対応するか否かを決定し、前記第１指示子は、前記ダウンリンク制御チャネルに対応するＰＵＳＣＨの関連情報を示し、及び/または
前記ダウンリンク制御チャネルにおける第２指示子に基づき、前記ダウンリンク制御チャネルがスペシャルサブフレームにおいて伝送されるＰＵＳＣＨに対応するか否かを決定し、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記ダウンリンク制御チャネルにおける２ビットアップリンクインデックスＵＬ ｉｎｄｅｘ指示子に基づき、前記ダウンリンク制御チャネルがスペシャルサブフレームにおいて伝送されるＰＵＳＣＨに対応するかを決定する。
【０２２４】
１つの可能の実施態様では、前記決定モジュールは、前記検出モジュールが、前記ダウンリンク制御チャネルが第１ＤＣＩサイズのアップリンクＤＣＩフォーマットを用いると検出すれば、前記ダウンリンク制御チャネルがスペシャルサブフレームにおいて伝送されるＰＵＳＣＨに対応することを決定し、または、前記検出モジュールが、前記ダウンリンク制御チャネルが第２ＤＣＩサイズのアップリンクＤＣＩフォーマットを用いると検出すれば、前記ダウンリンク制御チャネルがノーマルサブフレームにおいて伝送されるＰＵＳＣＨに対応することを決定し、前記第１ＤＣＩサイズと前記第２ＤＣＩサイズは異なる。
【０２２５】
１つの可能の実施態様では、前記第１指示子に、前記ダウンリンク制御チャネルに対応するＰＵＳＣＨのＨＡＲＱプロセス番号が含まれる。
【０２２６】
１つの可能の実施態様では、前記決定モジュールは、前記検出モジュールが第１ＲＮＴＩで前記ダウンリンク制御チャネルへスクランブリングを行うことを検出すれば、前記ダウンリンク制御チャネルがスペシャルサブフレームにおいて伝送されるＰＵＳＣＨに対応することを決定し、または、前記検出モジュールが第２ＲＮＴＩで前記ダウンリンク制御チャネルへのスクランブリングを行うことを検出すれば、前記ダウンリンク制御チャネルがノーマルサブフレームにおいて伝送されるＰＵＳＣＨに対応することを決定し、前記第１ＲＮＴＩと前記第２ＲＮＴＩは異なる。
【０２２７】
１つの可能の実施態様では、前記第１ＲＮＴＩが複数の端末に共有すれば、前記決定モジュールは、前記端末のインデックス値に基づき、前記端末の再伝送するか否かを示す指示子の前記ダウンリンク制御チャネルにおける対応位置を決定する。
【０２２８】
１つの可能の実施態様では、前記サブフレームｍ+ｋは、ノーマルサブフレームにおいて伝送されるＰＵＳＣＨに対応するダウンリンク制御チャネルを検出するサブフレームと異なる。
【０２２９】
前記ｋの定義は以下とおりであり、
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０である。
【０２３０】
１つの可能の実施態様では、前記決定モジュールは、
前記ダウンリンク制御チャネルに含まれる再伝送するか否かを示す指示子に基づき、前記スペシャルサブフレームｍにおいて伝送されるＰＵＳＣＨを再伝送するか否かを決定する。
【０２３１】
１つの可能の実施態様では、前記決定モジュールは、
前記ＵＬ ｉｎｄｅｘの最低有効ビットＬＳＢ及び最高有効ビットＭＳＢのいずれを０とすれば、前記ダウンリンク制御チャネルがスペシャルサブフレームにおいて伝送されるＰＵＳＣＨに対応することを決定し、
前記ＵＬ ｉｎｄｅｘのＬＳＢ及びＭＳＢのうちの少なくとも１つを１とすれば、前記ダウンリンク制御チャネルがノーマルアップリンクサブフレームにおいて伝送されるＰＵＳＣＨに対応することを決定する。
【０２３２】
同様な発明思想に基づき、図５に示す実施例は、他の端末を提供する。当該端末は、送受信機６１０と、前記送受信機６１０に接続する少なくとも１つのプロセッサ６００，とを備える。
【０２３３】
前記プロセッサ６００は、前記メモリ６２０に格納されたプログラムを読み出し、前記送受信機６１０がスペシャルサブフレームｍがにおいてＰＵＳＣＨを送信するように制御し、ｍは整数であり、前記スペシャルサブフレームｍの後のダウンリンク伝送リソースが含まれるサブフレームまたはサブフレームｍ+ｋにおいて、アップリンクＤＣＩフォーマットを利用するダウンリンク制御チャネルを検出し、前記ｋは正整数であり、前記ダウンリンク制御チャネルにより、前記スペシャルサブフレームｍにおいて送信されたＰＵＳＣＨを再伝送するか否かを決定する。
【０２３４】
前記送受信機６１０は、プロセッサ６００の制御により、データを送受信する。
【０２３５】
ここで、図５において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー装置に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。プロセッサ６００は、バズアーキテクチャ及び通常の処理を監視し、メモリ６２０は、プロセッサ６００が動作する際に利用するデータを記憶することができる。
【０２３６】
本実施例では、前記プロセッサ６００は、前記メモリ６２０に格納されたプログラムを読み出し、図４に示す実施例に係る検出モジュール４２及び決定モジュール４３が実行する動作を実施する。前記送受信機６１０は、前記プロセッサ６００の制御により、図４に示す実施例に係る送信モジュール４１が実行する動作を実施する。図４に示す実施例の記載を参考すればよいため、繰り返して説明しない。
【０２３７】
同様な発明思想に基づき、図６に示す実施例に係る基地局は、
端末に、スペシャルサブフレームｍにおいて、物理アップリンク共有チャネル（ＰＵＳＣＨ）を送信させるように、スケジューリングし、前記ｍは整数でありスケジューリングモジュール６１と、
前記スペシャルサブフレームｍにおいて、前記端末により送信されたＰＵＳＣＨを検出する検出モジュール６２と、
前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信し、ｋは正整数であり、前記ダウンリンク制御チャネルに前記スペシャルサブフレームｍにおけるＰＵＳＣＨが再伝送するか否かを示す指示子が含まれる処理モジュール６３とを備える。
【０２３８】
１つの可能の実施態様では、前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８、１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または，
ＴＤＤ  ＵＬ/ＤＬ構成６の場合、ｍが１であれば、前記ｋは４、５、８、９または１０であり、または，
ＴＤＤ  ＵＬ/ＤＬ構成６の場合、ｍが６であれば、前記ｋは３、４、５、９または１０である。
【０２３９】
上記いずれの実施例においても、前記処理モジュールは、
前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定し、及び/または
前記ダウンリンク制御チャネルに第１指示子が含まれ、前記第１指示子は、前記ダウンリンク制御チャネルに対応するＰＵＳＣＨの関連情報を示し、及び/または
前記ダウンリンク制御チャネルに第２指示子が含まれ、前記第２指示子は、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示子の値を決定する。
【０２４０】
１つの可能の実施態様では、前記処理モジュールは、
前記ダウンリンク制御チャネルがスペシャルサブフレームにおいて伝送されるＰＵＳＣＨに対応すれば、前記ダウンリンク制御チャネルが第１ＤＣＩサイズのアップリンクＤＣＩフォーマットを用いることを決定し、または、前記ダウンリンク制御チャネルがノーマルサブフレームにおいて伝送されるＰＵＳＣＨに対応すれば、前記ダウンリンク制御チャネルが第２ＤＣＩサイズのアップリンクＤＣＩフォーマットを用いることを決定し；前記第１ＤＣＩサイズと前記第２ＤＣＩサイズは異なる。
【０２４１】
１つの可能の実施態様では、前記第１指示子に、前記ダウンリンク制御チャネルに対応するＰＵＳＣＨのＨＡＲＱプロセス番号が含まれる。
【０２４２】
１つの可能の実施態様では、前記処理モジュールは、
前記ダウンリンク制御チャネルがスペシャルサブフレームにおいて伝送されるＰＵＳＣＨに対応すれば、前記ダウンリンク制御チャネルへのスクランブリングに第１ＲＮＴＩを用いてスクランブリングすることを決定し、または、前記ダウンリンク制御チャネルがノーマルサブフレームにおいて伝送されるＰＵＳＣＨに対応すれば、前記ダウンリンク制御チャネルへのスクランブリングに第２ＲＮＴＩを用いることを決定する；前記第１ＲＮＴＩと前記第２ＲＮＴＩは異なる。
【０２４３】
１つの可能の実施態様では、スペシャルサブフレームに対応するＲＮＴＩが複数の端末により共有すれば、前記処理モジュールは、複数の端末のインデックス値に基づき、複数の端末の再伝送するか否かを示す指示子を、スペシャルサブフレームに対応する前記ダウンリンク制御チャネルにおける対応の位置にマッピングする。
【０２４４】
１つの可能の実施態様では、前記サブフレームｍ+ｋは、ノーマルサブフレームにおいて伝送されるＰＵＳＣＨに対応するダウンリンク制御チャネルを伝送するサブフレームと異なる。
【０２４５】
前記ｋの定義は以下とおりであり、
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０である。
【０２４６】
１つの可能の実施態様では、前記処理モジュールは、
前記ダウンリンク制御チャネルがスペシャルサブフレームにおいて伝送されるＰＵＳＣＨに対応すれば、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記ＵＬ ｉｎｄｅｘのＬＳＢ及びＭＳＢのうちの少なくとも１つを１とする。
【０２４７】
同様な発明思想に基づき、図７に示す実施例に係る他の基地局は、送受信機５１０と、前記送受信機５１０に接続する少なくとも１つのプロセッサ５００とを備える。
【０２４８】
前記プロセッサ５００は、メモリ５２０に格納されたプログラムを読み出して、前記送受信機５１０により、端末に、スペシャルサブフレームｍにおいて、物理アップリンク共有チャネル（ＰＵＳＣＨ）を送信させるように、スケジューリングし、ｍは整数であり、前記スペシャルサブフレームｍにおいて、前記端末により送信されたＰＵＳＣＨを検出する。前記スペシャルサブフレームｍの後のダウンリンク伝送リソースが含まれるサブフレームまたはサブフレームｍ+ｋにおいて、制御前記送受信機５１０前記端末にアップリンクダウンリンク制御情報（ＤＣＩ）フォーマットを用いるダウンリンク制御チャネルを送信し、ｋは正整数であり、前記ダウンリンク制御チャネルに、前記スペシャルサブフレームｍにおけるＰＵＳＣＨが再伝送するか否かを示す指示子が含まれる。
【０２４９】
前記送受信機５１０は、前記プロセッサ５００の制御により、データを送受信する。
【０２５０】
ここで、図７において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バズアーキテクチャ及び通常の処理を監視し、メモリ５２０は、プロセッサ５００が動作する際に利用するデータを記憶することができる。
【０２５１】
本実施例では、前記プロセッサ５００は、前記メモリ５２０に格納されたプログラムを読み出して、図６に示す実施例に係るスケジューリングモジュール６１、検出モジュール６２及び処理モジュール６３が実行する動作を実施する。具体的には、図６に示す実施例の記載を参考すればよいため、繰り返して説明しない。
【０２５２】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたはいは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０２５３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実行し、フロー図における一つまたはいは複数のフローおよび／またはブロック図における一つまたはいは複数のブロックに指定する機能を実現する。  
【０２５４】
これらのコンピュータプログラム指令は又、コンピュータまたはいは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたはいは複数のフローおよび／またはブロック図における一つまたはいは複数のブロックに指定する機能を実現する。
【０２５５】
これらコンピュータプログラム指令はさらに、コンピュータまたはいは他のプログラム可能なデータ処理装置設備に実装もできる。コンピュータプログラム指令が実装されたコンピュータまたはいは他のプログラム可能設備は、一連の操作ステップを実行することによって、関連の処理を実現し、コンピュータまたはいは他のプログラム可能な設備において実行される指令によって、フロー図における一つまたはいは複数のフローおよび／またはブロック図における一つまたはいは複数のブロックに指定する機能を実現する。  
【０２５６】
上述した実施形態に記述された技術的な解決手段を改造し、またはいはその中の一部の技術要素を置換することもできる。そのような、改造と置換は本発明の各実施形態の技術の範囲から逸脱するとは見なされない。
【０２５７】
無論、当業者によって、上述した実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。  
【０２５８】
本出願は、２０１６年８月１５日に中国特許局に提出し、出願番号が２０１６１０６７１９８５.Xであり、発明名称が「アップリンク伝送のフィードバック情報を送信するための方法および装置」、２０１６年８月５日に中国特許局に提出し、出願番号が２０１６１０６４１３６０.９であり、発明名称が「アップリンク伝送のフィードバック情報を送信するための方法および装置」、及び、２０１６年６月２２日に中国特許局に提出し、出願番号が２０１６１０４６０９１１.１であり、発明名称が「アップリンク伝送のフィードバック情報を送信するための方法および装置」との中国特許出願を基礎とする優先権を主張し、その開示の総てをここに取り込む。
【図１】
2019525535.tif 000019
【図２】
2019525535.tif 000020
【図３】
2019525535.tif 000021
【図４】
2019525535.tif 000022
【図５】
2019525535.tif 000023
【図６】
2019525535.tif 000024
【図７】
2019525535.tif 000025
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
端末は、スペシャルサブフレームｍにおいて、物理アップリンク共有チャネル（ＰＵＳＣＨ）を送信するステップと、
前記端末は、前記スペシャルサブフレームｍの後のダウンリンク伝送リソースが含まれるサブフレームまたはサブフレームｍ+ｋにおいて、アップリンクダウンリンク制御情報（ＤＣＩ）フォーマットを用いるダウンリンク制御チャネルを検出するステップと、
前記端末は、前記ダウンリンク制御チャネルにより、前記スペシャルサブフレームｍにおいて伝送されるＰＵＳＣＨを再伝送するか否かを決定するステップとを備え、
前記ｍは整数であり、前記ｋは正整数であることを特徴とするアップリンク伝送のフィードバック情報を受信する方法。
【請求項２】
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８または１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または
ＴＤＤ  ＵＬ/ＤＬ構成６の場合、ｍが１であれば、前記ｋは４、５、８、９または１０であり、または
ＴＤＤ  ＵＬ/ＤＬ構成６の場合、ｍが６であれば、前記ｋは３、４、５、９または１０であり、または、
前記サブフレームｍ+ｋは、ノーマルサブフレームにおいて伝送されるＰＵＳＣＨに対応するダウンリンク制御チャネルを検出するサブフレームと異なることを特徴とする請求項１に記載のアップリンク伝送のフィードバック情報を受信する方法。
【請求項３】
前記端末は、前記ダウンリンク制御チャネルにより、前記スペシャルサブフレームｍにおいて伝送されるＰＵＳＣＨを再伝送するか否かを決定するステップでは、
前記端末は、前記ダウンリンク制御チャネルにより、前記ダウンリンク制御チャネルがスペシャルサブフレームにおいて伝送されるＰＵＳＣＨに対応するか否かを決定し、
前記端末は、前記ダウンリンク制御チャネルに対応するスペシャルサブフレームにおいて伝送されるＰＵＳＣＨを決定した後、前記ダウンリンク制御チャネルに含まれる再伝送するか否かを示す指示フィールドに基づき、前記スペシャルサブフレームｍにおいて伝送されるＰＵＳＣＨを再伝送するか否かを決定することを特徴とする請求項１または請求項２に記載のアップリンク伝送のフィードバック情報を受信する方法。
【請求項４】
前記端末は、前記ダウンリンク制御チャネルにより、前記ダウンリンク制御チャネルがスペシャルサブフレームにおいて伝送されるＰＵＳＣＨに対応するかを決定するのは、
前記端末は、前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記端末は、前記ダウンリンク制御チャネルにおける第１指示フィールドに基づき、前記ダウンリンク制御チャネルがスペシャルサブフレームにおいて伝送されるＰＵＳＣＨに対応するか否かを決定し、前記第１指示フィールドは、前記ダウンリンク制御チャネルに対応するＰＵＳＣＨの関連情報を示し、及び/または
前記端末は、前記ダウンリンク制御チャネルにおける第２指示フィールドに基づき、前記ダウンリンク制御チャネルがスペシャルサブフレームにおいて伝送されるＰＵＳＣＨに対応するか否かを決定し、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記端末は、前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記端末は、前記ダウンリンク制御チャネルにおける２ビットアップリンクインデックスＵＬ ｉｎｄｅｘ指示フィールドに基づき、前記ダウンリンク制御チャネルがスペシャルサブフレームにおいて伝送されるＰＵＳＣＨに対応するかを決定することを特徴とする請求項３に記載のアップリンク伝送のフィードバック情報を受信する方法。
【請求項５】
前記端末は、前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定するのは、
前記端末が、前記ダウンリンク制御チャネルが第１ＤＣＩサイズのアップリンクＤＣＩフォーマットを用いると検出すれば、前記端末は、前記ダウンリンク制御チャネルがスペシャルサブフレームにおいて伝送されるＰＵＳＣＨに対応することを決定し、または
前記端末が、前記ダウンリンク制御チャネルが第２ＤＣＩサイズのアップリンクＤＣＩフォーマットを用いると検出すれば、前記端末は、前記ダウンリンク制御チャネルがノーマルサブフレームにおいて伝送されるＰＵＳＣＨに対応することを決定し、
前記第１ＤＣＩサイズと前記第２ＤＣＩサイズは異なり、
前記端末は、前記ダウンリンク制御チャネルにおける第１指示フィールドに基づき、前記ダウンリンク制御チャネルがスペシャルサブフレームにおいて伝送されるＰＵＳＣＨに対応するか否かを決定し、ここで、前記第１指示フィールドに、前記ダウンリンク制御チャネルに対応するＰＵＳＣＨのＨＡＲＱプロセス番号が含まれ、
前記端末が、前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定するのは、
前記端末が、前記ダウンリンク制御チャネルへのスクランブリングに第１ＲＮＴＩを用いると検出すれば、前記端末は、前記ダウンリンク制御チャネルがスペシャルサブフレームにおいて伝送されるＰＵＳＣＨに対応することを決定し、または
前記端末が、前記ダウンリンク制御チャネルへのスクランブリングに第２ＲＮＴＩを用いると検出すれば、前記端末は、前記ダウンリンク制御チャネルがノーマルサブフレームにおいて伝送されるＰＵＳＣＨに対応することを決定し、
前記第１ＲＮＴＩと前記第２ＲＮＴＩは異なり、
前記端末は、前記ダウンリンク制御チャネルにおける２ビットアップリンクインデックスＵＬ ｉｎｄｅｘ指示フィールドに基づき、前記ダウンリンク制御チャネルがスペシャルサブフレームにおいて伝送されるＰＵＳＣＨに対応するか否かを決定するのは、
前記ＵＬ ｉｎｄｅｘの最低有効ビットＬＳＢ及び最高有効ビットＭＳＢのいずれを０とすれば、前記端末は、前記ダウンリンク制御チャネルがスペシャルサブフレームにおいて伝送されるＰＵＳＣＨに対応することを決定し、
前記ＵＬ ｉｎｄｅｘのＬＳＢ及びＭＳＢのうちの少なくとも１つを１とすれば、前記端末は、前記ダウンリンク制御チャネルがノーマルアップリンクサブフレームにおいて伝送されるＰＵＳＣＨに対応することを決定することを特徴とする請求項４に記載のアップリンク伝送のフィードバック情報を受信する方法。
【請求項６】
前記第１ＲＮＴＩが複数の端末に共有すれば、前記端末は、前記ダウンリンク制御チャネルがスペシャルサブフレームにおいて伝送されるＰＵＳＣＨに対応することを決定した後、
前記端末は、前記端末のインデックス値に基づき、前記端末の再伝送するか否かを示す指示フィールドの前記ダウンリンク制御チャネルにおける対応位置を決定することを特徴とする請求項５に記載のアップリンク伝送のフィードバック情報を受信する方法。
【請求項７】
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０であり、
前記端末が、前記ダウンリンク制御チャネルにより、前記スペシャルサブフレームｍにおいて伝送されるＰＵＳＣＨを再伝送するか否かを決定するのは、
前記端末は、前記ダウンリンク制御チャネルに含まれる再伝送するか否かを示す指示フィールドに基づき、前記スペシャルサブフレームｍにおいて伝送されるＰＵＳＣＨを再伝送するか否かを決定することを特徴とする請求項２に記載のアップリンク伝送のフィードバック情報を受信する方法。  
【請求項８】
基地局は、端末に、スペシャルサブフレームｍにおいて、物理アップリンク共有チャネル（ＰＵＳＣＨ）を送信させるように、スケジューリングするステップと、
前記基地局は、前記スペシャルサブフレームｍにおいて、前記端末により送信されたＰＵＳＣＨを検出するステップと、
前記基地局は、前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信するステップとを備え、
前記ｍは整数であり、前記ｋは正整数であり、前記ダウンリンク制御チャネルに前記スペシャルサブフレームｍにおけるＰＵＳＣＨが再伝送するか否かを示す指示フィールドが含まれることを特徴とするアップリンク伝送のフィードバック情報を送信する方法。
【請求項９】
前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８、１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または，
ＴＤＤ  ＵＬ/ＤＬ構成６の場合、ｍが１であれば、前記ｋは４、５、８、９または１０であり、または，
ＴＤＤ  ＵＬ/ＤＬ構成６の場合、ｍが６であれば、前記ｋは３、４、５、９または１０であり、
前記サブフレームｍ+ｋは、ノーマルサブフレームにおいて伝送されるＰＵＳＣＨに対応するダウンリンク制御チャネルを検出するサブフレームと異なることを特徴とする請求項８に記載のアップリンク伝送のフィードバック情報を送信する方法。
【請求項１０】
前記基地局は、前記端末にアップリンクＤＣＩフォーマットを利用するダウンリンク制御チャネルを送信するステップでは、
前記基地局は、前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定し、及び/または
前記基地局は、前記ダウンリンク制御チャネルに第１指示フィールドを含ませ、前記第１指示フィールドは、前記ダウンリンク制御チャネルに対応するＰＵＳＣＨの関連情報を示し、及び/または
前記基地局は、前記ダウンリンク制御チャネルに第２指示フィールドを含ませ、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示フィールドの値を決定することを特徴とする請求項８または請求項９に記載のアップリンク伝送のフィードバック情報を送信する方法。
【請求項１１】
前記基地局は、前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定するのは、
前記ダウンリンク制御チャネルがスペシャルサブフレームにおいて伝送されるＰＵＳＣＨに対応すれば、前記基地局は、前記ダウンリンク制御チャネルが第１ＤＣＩサイズのアップリンクＤＣＩフォーマットを用いることを決定し、または
前記ダウンリンク制御チャネルがノーマルサブフレームにおいて伝送されるＰＵＳＣＨに対応すれば、前記基地局は、前記ダウンリンク制御チャネルが第２ＤＣＩサイズのアップリンクＤＣＩフォーマットを用いることを決定し、
前記第１ＤＣＩサイズと前記第２ＤＣＩサイズは異なり、
前記基地局が、前記ダウンリンク制御チャネルに第１指示フィールドを含ませ、ここで、前記第１指示フィールドに、前記ダウンリンク制御チャネルに対応するＰＵＳＣＨのＨＡＲＱプロセス番号が含まれ、
前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定するのは、
前記ダウンリンク制御チャネルがスペシャルサブフレームにおいて伝送されるＰＵＳＣＨに対応すれば、前記基地局は、前記ダウンリンク制御チャネルへのスクランブリングに第１ＲＮＴＩを用いてスクランブリングすることを決定し、または
前記ダウンリンク制御チャネルがノーマルサブフレームにおいて伝送されるＰＵＳＣＨに対応すれば、前記基地局は、前記ダウンリンク制御チャネルへのスクランブリングに第２ＲＮＴＩを用いることを決定し、
前記第１ＲＮＴＩと前記第２ＲＮＴＩは異なり、
前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示フィールドの値を決定する場合、
前記ダウンリンク制御チャネルがスペシャルサブフレームにおいて伝送されるＰＵＳＣＨに対応すれば、前記基地局は、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記基地局は、前記ＵＬ ｉｎｄｅｘのＬＳＢ及びＭＳＢのうちの少なくとも１つを１とすることを特徴とする請求項１０に記載のアップリンク伝送のフィードバック情報を送信する方法。
【請求項１２】
スペシャルサブフレームに対応するＲＮＴＩが複数の端末により共有すれば、
前記基地局は、複数の端末のインデックス値に基づき、複数の端末の再伝送するか否かを示す指示フィールドを、スペシャルサブフレームに対応する前記ダウンリンク制御チャネルにおける対応の位置にマッピングすることを特徴とする請求項１１に記載のアップリンク伝送のフィードバック情報を送信する方法。
【請求項１３】
前記サブフレームｍ+ｋは、ノーマルサブフレームにおいて伝送されるＰＵＳＣＨに対応するダウンリンク制御チャネルを検出するサブフレームと異なれば、
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０であることを特徴とする請求項９に記載のアップリンク伝送のフィードバック情報を送信する方法。
【請求項１４】
スペシャルサブフレームｍにおいて物理アップリンク共有チャネル（ＰＵＳＣＨ）を送信し、ｍは整数である送信モジュールと、
前記スペシャルサブフレームｍの後のダウンリンク伝送リソースが含まれるサブフレームまたはサブフレームｍ+ｋにおいて、アップリンクダウンリンク制御情報（ＤＣＩ）フォーマットを用いるダウンリンク制御チャネルを検出し、前記ｋは正整数である検出モジュールと、
前記ダウンリンク制御チャネルにより、前記スペシャルサブフレームｍにおいて伝送されるＰＵＳＣＨを再伝送するか否かを決定する決定モジュールとを備えることを特徴とする端末。
【請求項１５】
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８または１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または
ＴＤＤ  ＵＬ/ＤＬ構成６の場合、ｍが１であれば、前記ｋは４、５、８、９または１０であり、または
ＴＤＤ  ＵＬ/ＤＬ構成６の場合、ｍが６であれば、前記ｋは３、４、５、９または１０であり、
前記サブフレームｍ+ｋは、ノーマルサブフレームにおいて伝送されるＰＵＳＣＨに対応するダウンリンク制御チャネルを検出するサブフレームと異なることを特徴とする請求項１４に記載の端末。
【請求項１６】
前記決定モジュールは、
前記ダウンリンク制御チャネルにより、前記ダウンリンク制御チャネルがスペシャルサブフレームにおいて伝送されるＰＵＳＣＨに対応するか否かを決定し、
前記ダウンリンク制御チャネルがスペシャルサブフレームにおいて伝送されるＰＵＳＣＨに対応すると決定した後、前記ダウンリンク制御チャネルに含まれる再伝送するか否かを示す指示フィールドに基づき、前記スペシャルサブフレームｍにおいて伝送されるＰＵＳＣＨを再伝送するか否かを決定することを特徴とする請求項１４または請求項１５に記載の端末。
【請求項１７】
前記決定モジュールは、
前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記ダウンリンク制御チャネルにおける第１指示フィールドに基づき、前記ダウンリンク制御チャネルがスペシャルサブフレームにおいて伝送されるＰＵＳＣＨに対応するか否かを決定し、前記第１指示フィールドは、前記ダウンリンク制御チャネルに対応するＰＵＳＣＨの関連情報を示し、及び/または
前記ダウンリンク制御チャネルにおける第２指示フィールドに基づき、前記ダウンリンク制御チャネルがスペシャルサブフレームにおいて伝送されるＰＵＳＣＨに対応するか否かを決定し、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記ダウンリンク制御チャネルにおける２ビットアップリンクインデックスＵＬ ｉｎｄｅｘ指示フィールドに基づき、前記ダウンリンク制御チャネルがスペシャルサブフレームにおいて伝送されるＰＵＳＣＨに対応するかを決定することを特徴とする請求項１６に記載の端末。
【請求項１８】
前記決定モジュールは、
前記検出モジュールが、前記ダウンリンク制御チャネルが第１ＤＣＩサイズのアップリンクＤＣＩフォーマットを用いると検出すれば、前記ダウンリンク制御チャネルがスペシャルサブフレームにおいて伝送されるＰＵＳＣＨに対応することを決定し、
または、前記検出モジュールが、前記ダウンリンク制御チャネルが第２ＤＣＩサイズのアップリンクＤＣＩフォーマットを用いると検出すれば、前記ダウンリンク制御チャネルがノーマルサブフレームにおいて伝送されるＰＵＳＣＨに対応することを決定し、前記第１ＤＣＩサイズと前記第２ＤＣＩサイズは異なり、
前記決定モジュールは、前記ダウンリンク制御チャネルにおける第１指示フィールドに基づき、前記ダウンリンク制御チャネルがスペシャルサブフレームにおいて伝送されるＰＵＳＣＨに対応すると決定し、ここで、前記第１指示フィールドに、前記ダウンリンク制御チャネルに対応するＰＵＳＣＨのＨＡＲＱプロセス番号が含まれ、
前記決定モジュールは、
前記検出モジュールが第１ＲＮＴＩで前記ダウンリンク制御チャネルへスクランブリングを行うことを検出すれば、前記ダウンリンク制御チャネルがスペシャルサブフレームにおいて伝送されるＰＵＳＣＨに対応することを決定し、
または、前記検出モジュールが第２ＲＮＴＩで前記ダウンリンク制御チャネルへのスクランブリングを行うことを検出すれば、前記ダウンリンク制御チャネルがノーマルサブフレームにおいて伝送されるＰＵＳＣＨに対応することを決定し、
前記第１ＲＮＴＩと前記第２ＲＮＴＩは異なり、
前記決定モジュールは、
前記ＵＬ ｉｎｄｅｘの最低有効ビットＬＳＢ及び最高有効ビットＭＳＢのいずれを０とすれば、前記ダウンリンク制御チャネルがスペシャルサブフレームにおいて伝送されるＰＵＳＣＨに対応することを決定し、
前記ＵＬ ｉｎｄｅｘのＬＳＢ及びＭＳＢのうちの少なくとも１つを１とすれば、前記ダウンリンク制御チャネルがノーマルアップリンクサブフレームにおいて伝送されるＰＵＳＣＨに対応することを決定することを特徴とする請求項に記載の端末。
【請求項１９】
前記第１ＲＮＴＩが複数の端末に共有すれば、前記決定モジュールは、
前記端末のインデックス値に基づき、前記端末の再伝送するか否かを示す指示フィールドの前記ダウンリンク制御チャネルにおける対応位置を決定することを特徴とする請求項１８に記載の端末。
【請求項２０】
前記サブフレームｍ+ｋは、ノーマルサブフレームにおいて伝送されるＰＵＳＣＨに対応するダウンリンク制御チャネルを検出するサブフレームと異なれば、
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０であり、
及び/または、
前記決定モジュールは、
前記ダウンリンク制御チャネルに含まれる再伝送するか否かを示す指示フィールドに基づき、前記スペシャルサブフレームｍにおいて伝送されるＰＵＳＣＨを再伝送するか否かを決定することを特徴とする請求項１４に記載の端末。
【請求項２１】
端末に、スペシャルサブフレームｍにおいて、物理アップリンク共有チャネル（ＰＵＳＣＨ）を送信させるように、スケジューリングし、前記ｍは整数であるスケジューリングモジュールと、
前記スペシャルサブフレームｍにおいて、前記端末により送信されたＰＵＳＣＨを検出する検出モジュールと、
前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信し、ｋは正整数であり、前記ダウンリンク制御チャネルに前記スペシャルサブフレームｍにおけるＰＵＳＣＨが再伝送するか否かを示す指示フィールドが含まれる処理モジュールとを備えることを特徴とする基地局。
【請求項２２】
前記ｋの定義は以下とおりであり、
ＴＤＤ  ＵＬ/ＤＬ構成０の場合、ｍが１または６であれば、前記ｋは４、５、９または１０であり、または
ＴＤＤ  ＵＬ/ＤＬ構成１の場合、ｍが１または６であれば、前記ｋは３、５、８、１０であり、または
ＴＤＤ  ＵＬ/ＤＬ構成２の場合、ｍが１または６であれば、前記ｋは２または７であり、または
ＴＤＤ  ＵＬ/ＤＬ構成３の場合、ｍが１であれば、前記ｋは７、８または９であり、または
ＴＤＤ  ＵＬ/ＤＬ構成４の場合、ｍが１であれば、前記ｋは７または８であり、または
ＴＤＤ  ＵＬ/ＤＬ構成５の場合、ｍが１であれば、前記ｋは７であり、または，
ＴＤＤ  ＵＬ/ＤＬ構成６の場合、ｍが１であれば、前記ｋは４、５、８、９または１０であり、または，
ＴＤＤ  ＵＬ/ＤＬ構成６の場合、ｍが６であれば、前記ｋは３、４、５、９または１０であり、または、
前記サブフレームｍ+ｋは、ノーマルサブフレームにおいて伝送されるＰＵＳＣＨに対応するダウンリンク制御チャネルを検出するサブフレームと異なることを特徴とする請求項２１に記載の基地局。
【請求項２３】
前記処理モジュールは、
前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定し、及び/または
前記ダウンリンク制御チャネルに第１指示フィールドが含まれ、前記第１指示フィールドは、前記ダウンリンク制御チャネルに対応するＰＵＳＣＨの関連情報を示し、及び/または
前記ダウンリンク制御チャネルに第２指示フィールドが含まれ、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示フィールドの値を決定することを特徴とする請求項２１または請求項２２に記載の基地局。
【請求項２４】
前記処理モジュールは、
前記ダウンリンク制御チャネルがスペシャルサブフレームにおいて伝送されるＰＵＳＣＨに対応すれば、前記ダウンリンク制御チャネルが第１ＤＣＩサイズのアップリンクＤＣＩフォーマットを用いることを決定し、
または、前記ダウンリンク制御チャネルがノーマルサブフレームにおいて伝送されるＰＵＳＣＨに対応すれば、前記ダウンリンク制御チャネルが第２ＤＣＩサイズのアップリンクＤＣＩフォーマットを用いることを決定し、
前記第１ＤＣＩサイズと前記第２ＤＣＩサイズは異なり、
前記処理モジュールは、前記ダウンリンク制御チャネルに第１指示フィールドを含ませ、前記第１指示フィールドに、前記ダウンリンク制御チャネルに対応するＰＵＳＣＨのＨＡＲＱプロセス番号が含まれ、
前記処理モジュールは、
前記ダウンリンク制御チャネルがスペシャルサブフレームにおいて伝送されるＰＵＳＣＨに対応すれば、前記ダウンリンク制御チャネルへのスクランブリングに第１ＲＮＴＩを用いてスクランブリングすることを決定し、
または、前記ダウンリンク制御チャネルがノーマルサブフレームにおいて伝送されるＰＵＳＣＨに対応すれば、前記ダウンリンク制御チャネルへのスクランブリングに第２ＲＮＴＩを用いることを決定し、
前記第１ＲＮＴＩと前記第２ＲＮＴＩは異なり、
前記処理モジュールは、
前記ダウンリンク制御チャネルがスペシャルサブフレームにおいて伝送されるＰＵＳＣＨに対応すれば、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記ＵＬ ｉｎｄｅｘのＬＳＢ及びＭＳＢのうちの少なくとも１つを１とすることを特徴とする請求項２３に記載の基地局。
【請求項２５】
スペシャルサブフレームに対応するＲＮＴＩが複数の端末により共有すれば、前記処理モジュールは、
複数の端末のインデックス値に基づき、複数の端末の再伝送するか否かを示す指示フィールドを、スペシャルサブフレームに対応する前記ダウンリンク制御チャネルにおける対応の位置にマッピングすることを特徴とする請求項２４に記載の基地局。
【請求項２６】
前記サブフレームｍ+ｋは、ノーマルサブフレームにおいて伝送されるＰＵＳＣＨに対応するダウンリンク制御チャネルを伝送するサブフレームと異なれば、
ＴＤＤ  ＵＬ/ＤＬ構成１の場合、ｍが１または６であれば、前記ｋは４または９であり、または
ＴＤＤ  ＵＬ/ＤＬ構成２の場合、ｍが１または６であれば、前記ｋは３、４、５、８、９または１０であり、または
ＴＤＤ  ＵＬ/ＤＬ構成３の場合、ｍが１であれば、前記ｋは、４、５、６または１０であり、または
ＴＤＤ  ＵＬ/ＤＬ構成４の場合、ｍが１であれば、前記ｋは３、４、５、６、９または１０であり、または
ＴＤＤ  ＵＬ/ＤＬ構成５の場合、ｍが１であれば、前記ｋは２、３、４、５、６、８、９または１０であることを特徴とする請求項２２に記載の基地局。
【手続補正２】
【補正対象書類名】明細書
【補正対象項目名】００１２
【補正方法】変更
【補正の内容】
【００１２】
【表６】
2019525535.tif 000026
さらに、端末は、ＰＨＩＣＨのために検出されたサブフレームにおいて、ＵＬ ｇｒａｎｔを搬送するダウンリンク制御チャネルを検出する必要があり、すなわち、アップリンクＤＣＩフォーマットを利用するダウンリンク制御チャネルを検出する必要がある。上記ダウンリンク制御チャネルが検出された場合、ＮＤＩ指示フィールドの反転有無によって、当該ダウンリンク制御チャネルが新しいデータ送信をスケジューリングするために使用されるか、または新データ伝送をスケジューリングするために使用されるか、または以前のＰＵＳＣＨをスケジュールして再伝送するために使用されるかを決定する。例えば、最初にＰＵＳＣＨを送信する際に、対応するダウンリンク制御チャネルのＮＤＩが０である場合、ＰＵＳＣＨ後のＰＨＩＣＨ検出用のサブフレームにおいて、ＮＤＩ = ０のダウンリンク制御チャネルが受信された場合、ＮＤＩは反転しないことを意味する。すなわち当該ダウンリンク制御チャネルは、再送信のためにこのＰＵＳＣＨの再送信するように、スケジュールするために使用される。１つのＰＨＩＣＨ検出用のサブフレームにおいて、ＰＨＩＣＨ及びダウンリンク制御チャネルをともに検出すれば、ダウンリンク制御チャネルの情報を基準とする。即ち、ち、ダウンリンク制御チャネルのＮＤＩにより、再伝送するかどうかを決定する。再伝送の場合、当該ダウンリンク制御チャネルにより指示するスケジューリング情報により、当該ＰＵＳＣＨを再伝送する。ＰＨＩＣＨのみを受信し、かつ、ＰＨＩＣＨがＮＡＣＫを指示する場合、当該ＰＵＳＣＨを初回伝送際と同様な構成で再伝送する。
【手続補正３】
【補正対象書類名】明細書
【補正対象項目名】００１７
【補正方法】変更
【補正の内容】
【００１７】
上記いずれの実施例においても、前記端末は、前記ダウンリンク制御チャネルにより、前記スペシャルサブフレームｍにおいて伝送されるＰＵＳＣＨを再伝送するか否かを決定するのは、
前記端末は、前記ダウンリンク制御チャネルにより、前記ダウンリンク制御チャネルがスペシャルサブフレームにおいて伝送されるＰＵＳＣＨに対応するか否かを決定し、
前記端末は、前記ダウンリンク制御チャネルに対応するスペシャルサブフレームにおいて伝送されるＰＵＳＣＨを決定した後、前記ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正４】
【補正対象書類名】明細書
【補正対象項目名】００１８
【補正方法】変更
【補正の内容】
【００１８】
１つの可能の実施態様では、前記端末は、前記ダウンリンク制御チャネルにより、前記ダウンリンク制御チャネルがスペシャルサブフレームにおいて伝送されるＰＵＳＣＨに対応するか否かを決定するのは、
前記端末は、前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記端末は、前記ダウンリンク制御チャネルにおける第１指示フィールドに基づき、前記ダウンリンク制御チャネルがスペシャルサブフレームにおいて伝送されるＰＵＳＣＨに対応するか否かを決定し、前記第１指示フィールドは、前記ダウンリンク制御チャネルに対応するＰＵＳＣＨの関連情報を示し、及び/または
前記端末は、前記ダウンリンク制御チャネルにおける第２指示フィールドに基づき、前記ダウンリンク制御チャネルがスペシャルサブフレームにおいて伝送されるＰＵＳＣＨに対応するか否かを決定し、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記端末は、前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記端末は、前記ダウンリンク制御チャネルにおける２ビットアップリンクインデックスＵＬ ｉｎｄｅｘ指示フィールドに基づき、前記ダウンリンク制御チャネルがスペシャルサブフレームにおいて伝送されるＰＵＳＣＨに対応するかを決定する。
【手続補正５】
【補正対象書類名】明細書
【補正対象項目名】００２０
【補正方法】変更
【補正の内容】
【００２０】
１つの可能の実施態様では、前記第１指示フィールドに、前記ダウンリンク制御チャネルに対応するＰＵＳＣＨのＨＡＲＱプロセス番号が含まれる。
【手続補正６】
【補正対象書類名】明細書
【補正対象項目名】００２２
【補正方法】変更
【補正の内容】
【００２２】
１つの可能の実施態様では、前記第１ＲＮＴＩが複数の端末に共有すれば、前記端末は、前記ダウンリンク制御チャネルがスペシャルサブフレームにおいて伝送されるＰＵＳＣＨに対応することを決定した後、前記方法では、
前記端末は、前記端末のインデックス値に基づき、前記端末の再伝送するか否かを示す指示フィールドの前記ダウンリンク制御チャネルにおける対応位置を決定する。
【手続補正７】
【補正対象書類名】明細書
【補正対象項目名】００２５
【補正方法】変更
【補正の内容】
【００２５】
さらに、前記端末は、前記ダウンリンク制御チャネルにより、前記スペシャルサブフレームｍにおいて伝送されるＰＵＳＣＨを再伝送するか否かを決定するのは、
前記端末は、前記ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正８】
【補正対象書類名】明細書
【補正対象項目名】００２６
【補正方法】変更
【補正の内容】
【００２６】
１つの可能の実施態様では、前記端末は、前記ダウンリンク制御チャネルにおける２ビットアップリンクインデックスＵＬ ｉｎｄｅｘ指示フィールドに基づき、前記ダウンリンク制御チャネルがスペシャルサブフレームにおいて伝送されるＰＵＳＣＨに対応するか否かを決定するのは、
前記ＵＬ ｉｎｄｅｘの最低有効ビットＬＳＢ及び最高有効ビットＭＳＢのいずれを０とすれば、前記端末は、前記ダウンリンク制御チャネルがスペシャルサブフレームにおいて伝送されるＰＵＳＣＨに対応することを決定し、
前記ＵＬ ｉｎｄｅｘのＬＳＢ及びＭＳＢのうちの少なくとも１つを１とすれば、前記端末は、前記ダウンリンク制御チャネルがノーマルアップリンクサブフレームにおいて伝送されるＰＵＳＣＨに対応することを決定する。
【手続補正９】
【補正対象書類名】明細書
【補正対象項目名】００２７
【補正方法】変更
【補正の内容】
【００２７】
第２態様によれば、アップリンク伝送のフィードバック情報を送信する方法では、
基地局は、端末に、スペシャルサブフレームｍにおいて、物理アップリンク共有チャネル（ＰＵＳＣＨ）を送信させるように、スケジューリングするステップと、
前記基地局は、前記スペシャルサブフレームｍにおいて、前記端末により送信されたＰＵＳＣＨを検出するステップと、
前記基地局は、前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信するステップとを備え、
前記ｍは整数であり、前記ｋは正整数であり、前記ダウンリンク制御チャネルに前記スペシャルサブフレームｍにおけるＰＵＳＣＨが再伝送するか否かを示す指示フィールドが含まれる。
【手続補正１０】
【補正対象書類名】明細書
【補正対象項目名】００２９
【補正方法】変更
【補正の内容】
【００２９】
上記いずれの実施例においても、前記基地局は、前記端末にアップリンクＤＣＩフォーマットを利用するダウンリンク制御チャネルを送信するのは、
前記基地局は、前記ダウンリンク制御チャネルに第１指示フィールドを含ませ、前記第１指示フィールドは、前記ダウンリンク制御チャネルに対応するＰＵＳＣＨの関連情報を示し、及び/または
前記基地局は、前記ダウンリンク制御チャネルに第２指示フィールドを含ませ、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示フィールドの値を決定する。
【手続補正１１】
【補正対象書類名】明細書
【補正対象項目名】００３１
【補正方法】変更
【補正の内容】
【００３１】
１つの可能の実施態様では、前記第１指示フィールドに、前記ダウンリンク制御チャネルに対応するＰＵＳＣＨのＨＡＲＱプロセス番号が含まれる。
【手続補正１２】
【補正対象書類名】明細書
【補正対象項目名】００３３
【補正方法】変更
【補正の内容】
【００３３】
１つの可能の実施態様では、スペシャルサブフレームに対応するＲＮＴＩが複数の端末により共有すれば、前記基地局は、複数の端末のインデックス値に基づき、複数の端末の再伝送するか否かを示す指示フィールドを、スペシャルサブフレームに対応する前記ダウンリンク制御チャネルにおける対応の位置にマッピングする。
【手続補正１３】
【補正対象書類名】明細書
【補正対象項目名】００３６
【補正方法】変更
【補正の内容】
【００３６】
１つの可能の実施態様では、前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示フィールドの値を決定するのは、
前記ダウンリンク制御チャネルがスペシャルサブフレームにおいて伝送されるＰＵＳＣＨに対応すれば、前記基地局は、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記基地局は、前記ＵＬ ｉｎｄｅｘのＬＳＢ及びＭＳＢのうちの少なくとも１つを１とする。
【手続補正１４】
【補正対象書類名】明細書
【補正対象項目名】００４１
【補正方法】変更
【補正の内容】
【００４１】
上記いずれの実施例においても、前記決定モジュールは、
前記ダウンリンク制御チャネルにより、前記ダウンリンク制御チャネルがスペシャルサブフレームにおいて伝送されるＰＵＳＣＨに対応するか否かを決定し、
前記ダウンリンク制御チャネルがスペシャルサブフレームにおいて伝送されるＰＵＳＣＨに対応すると決定した後、前記ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正１５】
【補正対象書類名】明細書
【補正対象項目名】００４２
【補正方法】変更
【補正の内容】
【００４２】
１つの可能の実施態様では、前記決定モジュールは、
前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記ダウンリンク制御チャネルにおける第１指示フィールドに基づき、前記ダウンリンク制御チャネルがスペシャルサブフレームにおいて伝送されるＰＵＳＣＨに対応するか否かを決定し、前記第１指示フィールドは、前記ダウンリンク制御チャネルに対応するＰＵＳＣＨの関連情報を示し、及び/または
前記ダウンリンク制御チャネルにおける第２指示フィールドに基づき、前記ダウンリンク制御チャネルがスペシャルサブフレームにおいて伝送されるＰＵＳＣＨに対応するか否かを決定し、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記ダウンリンク制御チャネルにおける２ビットアップリンクインデックスＵＬ ｉｎｄｅｘ指示フィールドに基づき、前記ダウンリンク制御チャネルがスペシャルサブフレームにおいて伝送されるＰＵＳＣＨに対応するかを決定する。
【手続補正１６】
【補正対象書類名】明細書
【補正対象項目名】００４４
【補正方法】変更
【補正の内容】
【００４４】
１つの可能の実施態様では、前記第１指示フィールドに、前記ダウンリンク制御チャネルに対応するＰＵＳＣＨのＨＡＲＱプロセス番号が含まれる。
【手続補正１７】
【補正対象書類名】明細書
【補正対象項目名】００４６
【補正方法】変更
【補正の内容】
【００４６】
１つの可能の実施態様では、前記第１ＲＮＴＩが複数の端末に共有すれば、前記決定モジュールは、
前記端末のインデックス値に基づき、前記端末の再伝送するか否かを示す指示フィールドの前記ダウンリンク制御チャネルにおける対応位置を決定する。
【手続補正１８】
【補正対象書類名】明細書
【補正対象項目名】００４９
【補正方法】変更
【補正の内容】
【００４９】
さらに、前記決定モジュールは、前記ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正１９】
【補正対象書類名】明細書
【補正対象項目名】００５３
【補正方法】変更
【補正の内容】
【００５３】
第７態様によれば、基地局は、
端末に、スペシャルサブフレームｍにおいて、物理アップリンク共有チャネル（ＰＵＳＣＨ）を送信させるように、スケジューリングし、前記ｍは整数であるスケジューリングモジュールと、
前記スペシャルサブフレームｍにおいて、前記端末により送信されたＰＵＳＣＨを検出する検出モジュールと、
前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信し、ｋは正整数であり、前記ダウンリンク制御チャネルに前記スペシャルサブフレームｍにおけるＰＵＳＣＨが再伝送するか否かを示す指示フィールドが含まれる処理モジュールとを備える。
【手続補正２０】
【補正対象書類名】明細書
【補正対象項目名】００５５
【補正方法】変更
【補正の内容】
【００５５】
上記いずれの実施例においても、前記処理モジュールは、
前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定し、及び/または
前記ダウンリンク制御チャネルに第１指示フィールドが含まれ、前記第１指示フィールドは、前記ダウンリンク制御チャネルに対応するＰＵＳＣＨの関連情報を示し、及び/または
前記ダウンリンク制御チャネルに第２指示フィールドが含まれ、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示フィールドの値を決定する。
【手続補正２１】
【補正対象書類名】明細書
【補正対象項目名】００５６
【補正方法】変更
【補正の内容】
【００５６】
１つの可能の実施態様では、前記処理モジュールは、
前記ダウンリンク制御チャネルがスペシャルサブフレームにおいて伝送されるＰＵＳＣＨに対応すれば、前記ダウンリンク制御チャネルが第１ＤＣＩサイズのアップリンクＤＣＩフォーマットを用いることを決定し、または、前記ダウンリンク制御チャネルがノーマルサブフレームにおいて伝送されるＰＵＳＣＨに対応すれば、前記ダウンリンク制御チャネルが第２ＤＣＩサイズのアップリンクＤＣＩフォーマットを用いることを決定する。前記第１ＤＣＩサイズと前記第２ＤＣＩサイズは異なる。
【手続補正２２】
【補正対象書類名】明細書
【補正対象項目名】００５７
【補正方法】変更
【補正の内容】
【００５７】
１つの可能の実施態様では、前記第１指示フィールドに、前記ダウンリンク制御チャネルに対応するＰＵＳＣＨのＨＡＲＱプロセス番号が含まれる。
【手続補正２３】
【補正対象書類名】明細書
【補正対象項目名】００５９
【補正方法】変更
【補正の内容】
【００５９】
１つの可能の実施態様では、スペシャルサブフレームに対応するＲＮＴＩが複数の端末により共有すれば、前記処理モジュールは、
複数の端末のインデックス値に基づき、複数の端末の再伝送するか否かを示す指示フィールドを、スペシャルサブフレームに対応する前記ダウンリンク制御チャネルにおける対応の位置にマッピングする。
【手続補正２４】
【補正対象書類名】明細書
【補正対象項目名】００６３
【補正方法】変更
【補正の内容】
【００６３】
第８態様によれば、基地局は、送受信機と、前記送受信機と接続する少なくとも１つのプロセッサとを備え、
前記プロセッサは、メモリに格納されたプログラムを読み出して、
前記送受信機により、端末に、スペシャルサブフレームｍにおいて、物理アップリンク共有チャネル（ＰＵＳＣＨ）を送信させるように、スケジューリングし、前記ｍは整数であり、前記スペシャルサブフレームｍにおいて、前記端末により送信されたＰＵＳＣＨを検出し、
前記スペシャルサブフレームｍの後のダウンリンク伝送リソースが含まれるサブフレームまたはサブフレームｍ+ｋにおいて、前記送受信機が前記端末にアップリンクダウンリンク制御情報（ＤＣＩ）フォーマットを用いるダウンリンク制御チャネルを送信するように制御し、前記ｋは正整数であり、前記ダウンリンク制御チャネルに、前記スペシャルサブフレームｍにおけるＰＵＳＣＨが再伝送するか否かを示す指示フィールドが含まれ、
前記送受信機は、前記プロセッサの制御によりデータを送受信する。
【手続補正２５】
【補正対象書類名】明細書
【補正対象項目名】００８３
【補正方法】変更
【補正の内容】
【００８３】
前記端末は、前記ダウンリンク制御チャネルに対応するスペシャルサブフレームにおいて伝送されるＰＵＳＣＨを決定した後、前記ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正２６】
【補正対象書類名】明細書
【補正対象項目名】００８９
【補正方法】変更
【補正の内容】
【００８９】
<方式２>前記端末は、前記ダウンリンク制御チャネルにおける第１指示フィールドに基づき、前記ダウンリンク制御チャネルがスペシャルサブフレームにおいて伝送されるＰＵＳＣＨに対応するか否かを決定し、前記第１指示フィールドは、前記ダウンリンク制御チャネルに対応するＰＵＳＣＨの関連情報を示す。
【手続補正２７】
【補正対象書類名】明細書
【補正対象項目名】００９０
【補正方法】変更
【補正の内容】
【００９０】
好ましくは、前記第１指示フィールドに、前記ダウンリンク制御チャネルに対応するＰＵＳＣＨのＨＡＲＱプロセス番号が含まれる。当該ＨＡＲＱプロセス番号は、ＵｐＰＴＳにおけるＰＵＳＣＨ及びノーマルサブフレームにおけるＰＵＳＣＨにより共有された番号であってもよいし、ＵｐＰＴＳにおけるＰＵＳＣＨそれぞれの番号であってもよい。ノーマルサブフレームにおけるＰＵＳＣＨは、別々に番号がつけられる。勿論、本発明に係る実施例は、前記ダウンリンク制御チャネルに対応するＰＵＳＣＨを識別することができる情報が前記第１指示フィールドとして使用され得る限り、前記第１指示フィールドの特定の実施形態を限定しない。
【手続補正２８】
【補正対象書類名】明細書
【補正対象項目名】００９１
【補正方法】変更
【補正の内容】
【００９１】
１つの実施方式において、ＵｐＰＴＳにけるＰＵＳＣＨ伝送をサポートする端末の場合、ＵｐＰＴＳに対応するアップリンクＤＣＩフォーマットは、新しく定義したアップリンクＤＣＩフォーマットであるか、または、従来のＤＣＩフォーマットに余分のビットフィールドを追加して得られたアップリンクＤＣＩフォーマットである。そのうちの第１指示フィールドは、ＵｐＰＴＳにおいて伝送されるＰＵＳＣＨのプロセス番号などの情報を示す。当該プロセス番号は、どちらのＵｐＰＴＳにおいて伝送されるＰＵＳＣＨの情報であるかを識別する。ノーマルアップリンクサブフレームに対応するアップリンクＤＣＩフォーマットは、従来のアップリンクＤＣＩフォーマットである。ここで、従来のアップリンクＤＣＩフォーマットは、３GPP ３６.２１２ Rel-１３及び前のRelに定義されたＤＣＩフォーマット０/４であることができる。
【手続補正２９】
【補正対象書類名】明細書
【補正対象項目名】００９２
【補正方法】変更
【補正の内容】
【００９２】
他の１つの実施方式において、ＵｐＰＴＳにけるＰＵＳＣＨ伝送をサポートする端末の場合、従来のアップリンクＤＣＩフォーマット内のパディング（ｐａｄｄｉｎｇ）ビットを上記第１指示フィールドとして再利用する。即ち、この際、ＵｐＰＴＳにけるＰＵＳＣＨ伝送をサポートする端末にとって、ＵｐＰＴＳ及びノーマルアップリンクサブフレームに対応するアップリンクＤＣＩフォーマットは、同様であり、サイズも一致する。ｐａｄｄｉｎｇビットが第１指示フィールドであるかを分析することにより、当該アップリンクＤＣＩがＵｐＰＴＳに対応するのか、または、ノーマルアップリンクサブフレームに対応するのかを知ることができ、また、どちらのＵｐＰＴＳにおけるＰＵＳＣＨに対応するのかを知られる。例えば、第１指示フィールドは、ＵｐＰＴＳにおけるＰＵＳＣＨ及びノーマルサブフレームにおけるＰＵＳＣＨに対してつけられたＨＡＲＱプロセス番号を示す。さらに、オールゼロである第１指示フィールドは、ノーマルアップリンクサブフレームに対応することを示し、オールゼロでない第1の指示フィールドは、どちらのＵｐＰＴＳにおいて伝送されるＰＵＳＣＨであることを示す。勿論、別の方法で定義することもできる。
【手続補正３０】
【補正対象書類名】明細書
【補正対象項目名】００９３
【補正方法】変更
【補正の内容】
【００９３】
他の１つの実施方式において、ＵｐＰＴＳにけるＰＵＳＣＨ伝送をサポートする端末に対し、アップリンクＤＣＩフォーマットＡを定義する。当該アップリンクＤＣＩフォーマットＡは、従来のアップリンクＤＣＩフォーマットに余分な指示フィールドを追加することができる。例えば、ＤＣＩフォーマット０/４に余分な指示フィールドを追加して第１指示フィールドとする。当該指示フィールドは、ＵｐＰＴＳにけるＰＵＳＣＨ伝送をサポートする端末のみに対して有効であるか、または、新しく定義したアップリンクＤＣＩフォーマットである。ここで、第１指示フィールドは、ＵｐＰＴＳにおけるＰＵＳＣＨ及びノーマルサブフレームにおけるＰＵＳＣＨに対してつけられたＨＡＲＱプロセス番号を示す。または第１指示フィールドの１つの状態は、ノーマルアップリンクサブフレームに対応することを示し、他の状態はどちらのＵｐＰＴＳにおいて伝送されるＰＵＳＣＨに対応するかを示す。ＵｐＰＴＳにけるＰＵＳＣＨ伝送をサポートする端末は、ＵｐＰＴＳ及びノーマルアップリンクサブフレームにおいて伝送されるＰＵＳＣＨに対して、当該アップリンクＤＣＩフォーマットＡを用いてスケジューリングする。また、ＵｐＰＴＳにおけるＰＵＳＣＨ伝送をサポートする端末をさらに定義することができる。残りのすべてまたは一部のダウンリンクＤＣＩフォーマットは、当該アップリンクＤＣＩフォーマットＡのサイズに従ってｐａｄｄｉｎｇすることができ、または、当該アップリンクＤＣＩフォーマットＡは、残りのすべてまたは一部のダウンリンクＤＣＩフォーマットのサイズに従ってｐａｄｄｉｎｇする。こうして、アップリンクＤＣＩフォーマットＡが全部または一部のダウンリンクＤＣＩフォーマットのサイズと同様であり、端末よるＤＣＩに対するブラインド検出回数を増加しない。例えば、ＵｐＰＴＳにけるＰＵＳＣＨ伝送をサポートする端末の場合、従来の的ＤＣＩフォーマット０に基づき、アップリンクＤＣＩフォーマットを定義し、既存のＤＣＩフォーマット0に基づいて第1の表示フィールドとして少なくとも追加のビット表示フィールドを追加することは言うまでもなく、他の表示フィールドをさらに追加することはもちろん除外されない。指示フィールドが増加された後のアップリンクＤＣＩフォーマット０を、ＵｐＰＴＳにおけるＰＵＳＣＨ伝送をサポートする端末に対応するアップリンクＤＣＩフォーマット０とする。オリジナルのＤＣＩ設計が、アップリンクＤＣＩフォーマット０及びダウンリンクＤＣＩフォーマット１Ａが同じサイズを有することを保証し、それによって、ブラインド検出の回数を減少させるため、元のブラインド検出回数を維持しようとすれば、ＵｐＰＴＳにけるＰＵＳＣＨ伝送をサポートする端末に対応するアップリンクＤＣＩフォーマット０のサイズがダウンリンクＤＣＩフォーマット１Ａより小さい場合、そのＤＣＩサイズが対応するダウンリンクＤＣＩフォーマット１Ａと同じであることを保証するために、ＵｐＰＴＳにけるＰＵＳＣＨ伝送をサポートする端末に対応するＤＣＩフォーマット０に対してｐａｄｄｉｎｇする必要がある（即ち、最後の部分に０をパディングする）。ＵｐＰＴＳにけるＰＵＳＣＨ伝送をサポートする端末に対応するダウンリンクＤＣＩフォーマット１Ａのサイズが、それに対応するアップリンクＤＣＩフォーマット０より小さい場合、そのＤＣＩサイズがそれに対応するアップリンクＤＣＩフォーマット０と同じであることを確保するために、ＵｐＰＴＳにけるＰＵＳＣＨ伝送をサポートする端末に対応するＤＣＩフォーマット１Ａに対してｐａｄｄｉｎｇする必要がある。ここで、ＵｐＰＴＳにけるＰＵＳＣＨ伝送をサポートする端末に対応するダウンリンクＤＣＩフォーマットは、例えば、ＤＣＩフォーマット１Ａであり、ＤＣＩ １Ｂ/１Ｃ/１Ｄ/２/２Ａ/２Ｂのような他のダウンリンクＤＣＩフォーマットであることを勿論排除しない。従来のダウンリンクＤＣＩフォーマットを再利用することもできる。ブラインド検出回数を維持するため、ＵｐＰＴＳにけるＰＵＳＣＨ伝送をサポートする端末に対応するダウンリンクＤＣＩフォーマット３及び３Aは、そのＤＣＩサイズが、上記ＵｐＰＴＳにけるＰＵＳＣＨ伝送をサポートする端末に対応するアップリンクＤＣＩフォーマット０及びダウンリンクＤＣＩフォーマット１Ａのサイズと同じである。
【手続補正３１】
【補正対象書類名】明細書
【補正対象項目名】００９４
【補正方法】変更
【補正の内容】
【００９４】
＜方式３＞前記端末は、前記ダウンリンク制御チャネルにおける第２指示フィールドに基づき、前記ダウンリンク制御チャネルがスペシャルサブフレームにおいて伝送されるＰＵＳＣＨに対応するか否かを決定し、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示す。
【手続補正３２】
【補正対象書類名】明細書
【補正対象項目名】００９５
【補正方法】変更
【補正の内容】
【００９５】
当該方式では、前記第２指示フィールドは、前記ダウンリンク制御チャネルにおいて新しく定義したビットフィールドであってもよいし、従来のアップリンクＤＣＩフォーマット内の１ビットのアイドルビットフィールド、例えば、パディングビットなどを再利用することができる。従来のアップリンクＤＣＩフォーマット内の１ビットのアイドルビットフィールドを再利用することにより、スペシャルサブフレームに対応するアップリンクＤＣＩフォーマットがノーマルサブフレームに対応するアップリンクＤＣＩフォーマットのサイズと同じであるようにさせ、端末によるアップリンクＤＣＩフォーマットへのブラインド検出回数を削減することができる。
【手続補正３３】
【補正対象書類名】明細書
【補正対象項目名】００９６
【補正方法】変更
【補正の内容】
【００９６】
当該方式では、前記第２指示フィールドは、１ビット情報で示す。例えば、前記第２指示フィールドが「０」であれば、スペシャルサブフレームにおいて伝送されるＰＵＳＣＨに対応することを示す。前記第２指示フィールドが「１」であれば、ノーマルサブフレームにおいて伝送されるＰＵＳＣＨに対応することを示す。逆の場合同様である。
【手続補正３４】
【補正対象書類名】明細書
【補正対象項目名】００９７
【補正方法】変更
【補正の内容】
【００９７】
１つの実施方式では、ＵｐＰＴＳにけるＰＵＳＣＨ伝送をサポートする端末の場合、従来のアップリンクＤＣＩフォーマット内のパディング（ｐａｄｄｉｎｇ）ビットを再利用して上記第２指示フィールドとする。即ち、この際、ＵｐＰＴＳにけるＰＵＳＣＨ伝送をサポートする端末にとって、ＵｐＰＴＳ及びノーマルアップリンクサブフレームに対応するアップリンクＤＣＩフォーマットは，同様であり、サイズも一致する。ｐａｄｄｉｎｇビットが第２指示フィールドとするかを分析することにより、当該アップリンクＤＣＩがＵｐＰＴＳに対応するのか、または、ノーマルアップリンクサブフレームに対応するのかを知ることができ、また、どちらのＵｐＰＴＳにおけるＰＵＳＣＨに対応するのかを知られる。ここで、オールゼロである第１指示フィールドがノーマルアップリンクサブフレームに対応するように定義し、他のオールゼロではないが、どちらのＵｐＰＴＳにおいて伝送されるＰＵＳＣＨに対応するのかを示す。他の方法で定義ことも勿論できる。
【手続補正３５】
【補正対象書類名】明細書
【補正対象項目名】００９８
【補正方法】変更
【補正の内容】
【００９８】
他の１つの実施方式では、ＵｐＰＴＳにけるＰＵＳＣＨ伝送をサポートする端末の場合、アップリンクＤＣＩフォーマットＡを定義する。当該アップリンクＤＣＩフォーマットＡは、従来のアップリンクＤＣＩフォーマットに余分な指示フィールドを追加することができる。例えば、ＤＣＩフォーマット０/４に余分の指示フィールドを追加して第２指示フィールドとする。当該指示フィールドは、ＵｐＰＴＳにけるＰＵＳＣＨ伝送をサポートする端末のみに対して有効であるか、または、新しく定義したアップリンクＤＣＩフォーマットである。ここで、第２指示フィールドは１ビットのみであり、１つの状態がノーマルアップリンクサブフレームに対応することをしめし、他の１つの状態はＵｐＰＴＳに対応することを示す。ＵｐＰＴＳにおける複数のＰＵＳＣＨの場合、第２指示フィールドが１ビットを超えることができ、１つの状態がノーマルアップリンクサブフレームに対応することを示し、他の状態はどちらのＵｐＰＴＳにおいて伝送されるＰＵＳＣＨに対応するかを示す。例えば、プロセス番号などであることが可能である。ＵｐＰＴＳにけるＰＵＳＣＨ伝送をサポートする端末が、ＵｐＰＴＳ及びノーマルアップリンクサブフレームにおいて伝送されるＰＵＳＣＨをスケジューリングする場合、当該アップリンクＤＣＩフォーマットＡを利用する。また、ＵｐＰＴＳにおけるＰＵＳＣＨ伝送をサポートする端末をさらに定義して、残りのすべてまたは一部のダウンリンクＤＣＩフォーマットは、当該アップリンクＤＣＩフォーマットＡのサイズに従ってｐａｄｄｉｎｇすることができ、または、当該アップリンクＤＣＩフォーマットＡは、残りのすべてまたは一部のダウンリンクＤＣＩフォーマットのサイズに従ってｐａｄｄｉｎｇする。こうして、アップリンクＤＣＩフォーマットＡが全部または一部のダウンリンクＤＣＩフォーマットのサイズと同様であり、端末よるＤＣＩに対するブラインド検出回数を増加しない。例えば、ＵｐＰＴＳにけるＰＵＳＣＨ伝送をサポートする端末の場合、従来の的ＤＣＩフォーマット０に基づき、アップリンクＤＣＩフォーマットを定義し、従来のＤＣＩフォーマット０に余分のビット指示フィールドを追加して第２指示フィールドとし、他の指示フィールドをさらに追加することは勿論排除しない。指示フィールドが増加された後のアップリンクＤＣＩフォーマット０を、ＵｐＰＴＳにおけるＰＵＳＣＨ伝送をサポートする端末に対応するアップリンクＤＣＩフォーマット０とする。オリジナルのＤＣＩ設計がアップリンクＤＣＩフォーマット０とダウンリンクＤＣＩフォーマット１Ａのサイズが同じことを確保できるため、ブラインド検出回数が削減される。元のブラインド検出回数を維持しようとすれば、ＵｐＰＴＳにけるＰＵＳＣＨ伝送をサポートする端末に対応するアップリンクＤＣＩフォーマット０のサイズがダウンリンクＤＣＩフォーマット１Ａより小さい場合、そのＤＣＩサイズが対応するダウンリンクＤＣＩフォーマット１Ａと同じであることを保証するために、ＵｐＰＴＳにけるＰＵＳＣＨ伝送をサポートする端末に対応するＤＣＩフォーマット０に対してｐａｄｄｉｎｇする必要がある（即ち、最後の部分に０をパディングする）。ＵｐＰＴＳにけるＰ��ＳＣＨ伝送をサポートする端末に対応するダウンリンクＤＣＩフォーマット１Ａのサイズが、それに対応するアップリンクＤＣＩフォーマット０より小さい場合、そのＤＣＩサイズがそれに対応するアップリンクＤＣＩフォーマット０と同じであることを確保するために、ＵｐＰＴＳにけるＰＵＳＣＨ伝送をサポートする端末に対応するＤＣＩフォーマット１Ａに対してｐａｄｄｉｎｇする必要がある。ここで、ＵｐＰＴＳにけるＰＵＳＣＨ伝送をサポートする端末に対応するダウンリンクＤＣＩフォーマットは、例えば、ＤＣＩフォーマット１Ａであり、ＤＣＩ １Ｂ/１Ｃ/１Ｄ/２/２Ａ/２Ｂのような他のダウンリンクＤＣＩフォーマットであることを勿論排除しない。従来のダウンリンクＤＣＩフォーマットを再利用することもできる。ブラインド検出回数を維持するため、ＵｐＰＴＳにけるＰＵＳＣＨ伝送をサポートする端末に対応するダウンリンクＤＣＩフォーマット３及び３AのＣＩサイズは、上記ＵｐＰＴＳにけるＰＵＳＣＨ伝送をサポートする端末に対応するアップリンクＤＣＩフォーマット０及びダウンリンクＤＣＩフォーマット１Ａのサイズと同じ。
【手続補正３６】
【補正対象書類名】明細書
【補正対象項目名】００９９
【補正方法】変更
【補正の内容】
【００９９】
<方式４>  前記端末は、前記ダウンリンク制御チャネルへのスクランブリングに用いるＲＮＴＩ（Ｒａｄｉｏ Ｎｅｔｗｏｒｋ Ｔｅｍｐｏｒａｒｙ Ｉｄｅｎｔｉｆｉｅｒ）に基づき、前記ダウンリンク制御チャネルがスペシャルサブフレームにおいて伝送されるＰＵＳＣＨに対応するか否かを決定し、１つの実施方式としては、ＵｐＰＴＳにけるＰＵＳＣＨ伝送をサポートする端末はＵｐＰＴＳにおいて伝送されるＰＵＳＣＨ及びノーマルアップリンクサブフレームにおいて伝送されるＰＵＳＣＨに用いるアップリンクＤＣＩフォーマットが同じくなるようにスケジューリングすることに用いられる。例えば、従来のアップリンクＤＣＩフォーマットを再利用するか、またはアップリンクＤＣＩフォーマットを新しく定義する。ＤＣＩフォーマットが異なることが勿論排除しない。
【手続補正３７】
【補正対象書類名】明細書
【補正対象項目名】０１０３
【補正方法】変更
【補正の内容】
【０１０３】
当該方式では、好ましくは、前記第１ＲＮＴＩが複数の端末に共有すれば、前記端末は、前記ダウンリンク制御チャネルがスペシャルサブフレームにおいて伝送されるＰＵＳＣＨに対応することを決定した後、前記方法では、前記端末は、前記端末のインデックス値に基づき、前記端末の再伝送するか否かを示す指示フィールドの前記ダウンリンク制御チャネルにおける対応位置を決定する。
【手続補正３８】
【補正対象書類名】明細書
【補正対象項目名】０１０４
【補正方法】変更
【補正の内容】
【０１０４】
具体的に、前記第１ＲＮＴＩが前記端末に専用される場合、前記第１ＲＮＴＩを用いてスクランブリングした前記ダウンリンク制御チャネルに、スペシャルサブフレームにおいてＰＵＳＣＨを伝送する端末の再伝送するか否かを示す指示フィールド１つのみが搬送される。前記第１ＲＮＴＩが複数の端末に共有される場合、前記第１ＲＮＴＩでスクランブリングした前記ダウンリンク制御チャネルに、スペシャルサブフレームにおいてＰＵＳＣＨを伝送する端末の再伝送するか否かを示す指示フィールド複数が搬送されることができる。よって、端末どとに１つのインデックス値を設定して、前記ダウンリンク制御チャネルにおける当該端末の再伝送するか否かを示す指示フィールド位置を示す。
【手続補正３９】
【補正対象書類名】明細書
【補正対象項目名】０１０５
【補正方法】変更
【補正の内容】
【０１０５】
<方式５>  前記端末は、前記ダウンリンク制御チャネルにおけるアップリンクインデックスＵＬ ｉｎｄｅｘ指示フィールドに基づき、前記ダウンリンク制御チャネルがスペシャルサブフレームにおいて伝送されるＰＵＳＣＨに対応するかを決定する。
【手続補正４０】
【補正対象書類名】明細書
【補正対象項目名】０１０９
【補正方法】変更
【補正の内容】
【０１０９】
当該実施方式において、ｍ+ｋとの原則でダウンリンク制御チャネルの時間領域位置を定義・検出することがである。例えば、スペシャルサブフレームにおけるＰＵＳＣＨの場合、表７に示すＴＤＤ  ＵＬ/ＤＬ構成０に対するｋ値の定義を参考することができる。好ましくは、ｍ=１またはｍ=６の場合、ｋ=４または５または９または１０である。ノーマルアップリンクサブフレームにおけるＰＵＳＣＨの場合、ｋの定義は表３に示す。端末がスペシャルサブフレーム１においてＰＵＳＣＨを送信した場合、ｍ+ｋに対応するサブフレームにおいてダウンリンク制御チャネルを検出し、ｍはスペシャルサブフレーム番号である。当該ダウンリンク制御チャネルにおけるＮＤＩに基づき、スペシャルサブフレーム１におけるＰＵＳＣＨの再伝送有無を決定する。例えば、ｋ=５の場合、端末は、サブフレーム６においてダウンリンク制御チャネルを検出し、当該ダウンリンク制御チャネルにおけるＮＤＩに基づき、スペシャルサブフレーム１におけるＰＵＳＣＨの再伝送有無を決定する。端末がアップリンクサブフレーム２においてＰＵＳＣＨを送信した場合、n+ｋに対応するサブフレームにおいてダウンリンク制御チャネル及び/またはＰＨＩＣＨを検出し、ダウンリンク制御チャネルを検出した場合、当該ダウンリンク制御チャネルにおけるＮＤＩに基づき、スペシャルサブフレーム１におけるＰＵＳＣＨの再伝送有無を決定する。表３に示すように、n=２の場合、ｋ=４であれば、端末は、サブフレーム６においてダウンリンク制御チャネル/ＰＨＩＣＨを検出し、当該ダウンリンク制御チャネルにおけるＮＤＩまたはＰＨＩＣＨに搬送されるフィードバック情報に基づき、アップリンクサブフレーム２におけるＰＵＳＣＨの再伝送有無を決定する。この際、スペシャルサブフレーム１及びアップリンクサブフレーム２におけるＰＵＳＣＨは、サブフレーム６において検出するダウンリンク制御チャネルに対応する。当該端末スペシャルサブフレームに対応するアップリンクＤＣＩフォーマット及びマルアップリンクサブフレームに対応するアップリンクＤＣＩフォーマットのサイズが一致すれば、端末は、サブフレーム６において、ダウンリンク制御チャネルを検出し、かつ、サブフレーム６において検出されたダウンリンク制御チャネルにおけるＵＬ ｉｎｄｅｘフィールドに基づき、当該ダウンリンク制御チャネルがスペシャルサブフレーム１に対応するかアップリンクサブフレーム２におけるＰＵＳＣＨに対応するかを決定する。即ち、ＵＬ ｉｎｄｅｘのＬＳＢ及びＭＳＢがともに０とする場合、当該ダウンリンク制御チャネルがスペシャルサブフレーム１におけるＰＵＳＣＨに対応すると決定し、ＮＤＩに基づき、当該ＰＵＳＣＨの再伝送有無を決定する。ＵＬ ｉｎｄｅｘのＬＳＢ及びＭＳＢのうちの１つが１である場合、当該ダウンリンク制御チャネルがアップリンクサブフレーム２におけるＰＵＳＣＨに対応することを決定し、ＮＤＩに基づき当該ＰＵＳＣＨの再伝送有無を決定する。
【手続補正４１】
【補正対象書類名】明細書
【補正対象項目名】０１１０
【補正方法】変更
【補正の内容】
【０１１０】
勿論、上記アップリンクＤＣＩにＨＡＲＱプロセス番号指示フィールドをさらに含ませてもよい。当該指示フィールドは、従来のアップリンク ＤＣＩフォーマット内の従来のビット数を再利用して、スペシャルサブフレームにおけるＰＵＳＣＨプロセス番号をしめすか、または、スペシャルサブフレーム及びノーマルサブフレームにおけるＰＵＳＣＨプロセス番号を示す。
【手続補正４２】
【補正対象書類名】明細書
【補正対象項目名】０１１１
【補正方法】変更
【補正の内容】
【０１１１】
好ましくは、再伝送するか否かを示す指示フィールドはＮＤＩである。
【手続補正４３】
【補正対象書類名】明細書
【補正対象項目名】０１１５
【補正方法】変更
【補正の内容】
【０１１５】
スペシャルサブフレームにおいて伝送されるＰＵＳＣＨに対応するダウンリンク制御チャネルを検出するサブフレームが、ノーマルサブフレームにおいて伝送されるＰＵＳＣＨに対応するダウンリンク制御チャネルを検出するサブフレームと同じであり、上記ｋの定義が、スペシャルサブフレームとノーマルサブフレームに対応するアップリンクＤＣＩフォーマットを利用するダウンリンク制御チャネルが、同一のサブフレームにおいて伝送させるため、前記端末は、前記サブフレームｍ+ｋにおいてアップリンクＤＣＩフォーマットを利用するダウンリンク制御チャネルを検出した後、まず、前記ダウンリンク制御チャネルがスペシャルサブフレームにおいて伝送されるＰＵＳＣＨに対応するか否かを決定し、前記ダウンリンク制御チャネルがスペシャルサブフレームにおいて伝送されるＰＵＳＣＨに対応すると決定した後、前記ダウンリンク制御チャネルに含まれる再伝送するか否かを示す指示フィールドに基づき、前記スペシャルサブフレームｍにおいて伝送されるＰＵＳＣＨを再伝送するか否かを決定する必要がある。ここで、前記ダウンリンク制御チャネルがスペシャルサブフレームにおいて伝送されるＰＵＳＣＨに対応するかを決定する場合、上記方式１〜５方式のうちの１つまたはいずれかの組み合わせを採用する。
【手続補正４４】
【補正対象書類名】明細書
【補正対象項目名】０１１８
【補正方法】変更
【補正の内容】
【０１１８】
場合１）前記端末が前記スペシャルサブフレームｍの後のダウンリンクリソースが含まれるいずれか１つのサブフレームにおいて検出すれば、即ち、所定時間が定義されていない場合、所定時間が定義されていない場合、前記端末は、当該ＰＵＳＣＨが再伝送されるか否かを決定することができるアップリンクＤＣＩフォーマットを利用するダウンリンク制御チャネル（即ち、スペシャルサブフレームにおいて伝送されるＰＵＳＣＨに対応し、かつ、アップリンクＤＣＩフォーマットを利用するダウンリンク制御チャネル）を受信するまで、前記スペシャルサブフレームｍにおいて送信されたＰＵＳＣＨの関連情を保持する。さらに、当該ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正４５】
【補正対象書類名】明細書
【補正対象項目名】０１２０
【補正方法】変更
【補正の内容】
【０１２０】
前記端末が所定時間内においてアップリンクＤＣＩフォーマットを利用するダウンリンク制御チャネルを検出し、かつ、当該ダウンリンク制御チャネルがスペシャルサブフレームにおいて伝送されるＰＵＳＣＨに対応すれば、前記端末は、当該ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正４６】
【補正対象書類名】明細書
【補正対象項目名】０１２２
【補正方法】変更
【補正の内容】
【０１２２】
１）前記端末が前記サブフレームｍ+ｋにおいてアップリンクＤＣＩフォーマットを利用するダウンリンク制御チャネルを検出し、かつ、当該ダウンリンク制御チャネルがスペシャルサブフレームにおいて伝送されるＰＵＳＣＨに対応すれば、前記端末は、当該ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正４７】
【補正対象書類名】明細書
【補正対象項目名】０１２４
【補正方法】変更
【補正の内容】
【０１２４】
好ましくは、再伝送するか否かを示す指示フィールドはＮＤＩであり、即ち、前記端末は、前記ダウンリンク制御チャネルに含まれるＮＤＩに基づき、前記スペシャルサブフレームｍにおいて伝送されるＰＵＳＣＨを再伝送するか否かを決定する。
【手続補正４８】
【補正対象書類名】明細書
【補正対象項目名】０１４２
【補正方法】変更
【補正の内容】
【０１４２】
（場合２）前記端末が、前記サブフレームｍ+ｋにおいて、アップリンクＤＣＩフォーマットを利用するダウンリンク制御チャネルを検出すれば、前記端末は、当該ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正４９】
【補正対象書類名】明細書
【補正対象項目名】０１４３
【補正方法】変更
【補正の内容】
【０１４３】
好ましくは、再伝送するか否かを示す指示フィールドはＮＤＩであり、即ち、前記端末は、前記ダウンリンク制御チャネルに含まれるＮＤＩに基づき、前記スペシャルサブフレームｍにおいて伝送されるＰＵＳＣＨを再伝送するか否かを決定する。
【手続補正５０】
【補正対象書類名】明細書
【補正対象項目名】０１５０
【補正方法】変更
【補正の内容】
【０１５０】
Ｓ３３において、前記基地局は、前記スペシャルサブフレームｍの後のダウンリンク伝送リソースが含まれるサブフレームまたはサブフレームｍ+ｋにおいて、前記端末にアップリンクＤＣＩフォーマットを利用するダウンリンク制御チャネルを送信し、前記ｋは正整数であり、前記ダウンリンク制御チャネルに、前記スペシャルサブフレームｍにおいて伝送されるＰＵＳＣＨを再伝送するか否かを示す指示フィールドが含まれる。
【手続補正５１】
【補正対象書類名】明細書
【補正対象項目名】０１５１
【補正方法】変更
【補正の内容】
【０１５１】
好ましくは、前記前記スペシャルサブフレームｍにおけるＰＵＳＣＨが再伝送するか否かを示す指示フィールドはＮＤＩである。
【手続補正５２】
【補正対象書類名】明細書
【補正対象項目名】０１５２
【補正方法】変更
【補正の内容】
【０１５２】
本発明の実施例において、基地局は、端末に、スペシャルサブフレームｍにおいてＰＵＳＣＨを送信させるように、スケジューリングする。また、前記スペシャルサブフレームｍにおいて、前記端末により送信されたＰＵＳＣＨを検出し、前記基地局は、前記スペシャルサブフレームｍの後のダウンリンク伝送リソースが含まれるサブフレームまたはサブフレームｍ+ｋにおいて、前記端末にアップリンクＤＣＩフォーマットを利用するダウンリンク制御チャネルを送信し、前記ダウンリンク制御チャネルに、前記スペシャルサブフレームｍにおいて伝送されるＰＵＳＣＨを再伝送するか否かを示す指示フィールドが含まれる。こうして、前記端末が前記スペシャルサブフレームｍにおいてＰＵＳＣＨを再送信するか否かを示す。こうして、スペシャルサブフレームにおいてＰＵＳＣＨ的フィードバック情報を伝送する伝送案が提供され、スペシャルサブフレームにおいて伝送されるＰＵＳＣＨの場合、ＡＣＫ/ＮＡＣＫフィードバック情報を正常に取得することが確保できるようになる。
【手続補正５３】
【補正対象書類名】明細書
【補正対象項目名】０１５６
【補正方法】変更
【補正の内容】
【０１５６】
及び/または、前記基地局は、前記ダウンリンク制御チャネルに第１指示フィールドを含ませ、前記第１指示フィールドは、前記ダウンリンク制御チャネルに対応するＰＵＳＣＨの関連情報を示す。
【手続補正５４】
【補正対象書類名】明細書
【補正対象項目名】０１５７
【補正方法】変更
【補正の内容】
【０１５７】
及び/または、前記基地局は、前記ダウンリンク制御チャネルに第２指示フィールドを含ませ、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示す。
及び/また、前記基地局は、前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定する。
【手続補正５５】
【補正対象書類名】明細書
【補正対象項目名】０１５８
【補正方法】変更
【補正の内容】
【０１５８】
及び/または、前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示フィールドの値を決定する。
【手続補正５６】
【補正対象書類名】明細書
【補正対象項目名】０１６０
【補正方法】変更
【補正の内容】
【０１６０】
１つの可能の実施態様では、前記第１指示フィールドに、前記ダウンリンク制御チャネルに対応するＰＵＳＣＨのＨＡＲＱプロセス番号が含まれる。
【手続補正５７】
【補正対象書類名】明細書
【補正対象項目名】０１６２
【補正方法】変更
【補正の内容】
【０１６２】
１つの可能の実施態様では、スペシャルサブフレームに対応するＲＮＴＩが複数の端末により共有すれば、前記基地局は、複数の端末のインデックス値に基づき、複数の端末の再伝送するか否かを示す指示フィールドを、スペシャルサブフレームに対応する前記ダウンリンク制御チャネルにおける対応の位置にマッピングする。
【手続補正５８】
【補正対象書類名】明細書
【補正対象項目名】０１６６
【補正方法】変更
【補正の内容】
【０１６６】
１つの可能の実施態様では、前記基地局は、前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示フィールドの値を決定する場合、
前記ダウンリンク制御チャネルがスペシャルサブフレームにおいて伝送されるＰＵＳＣＨに対応すれば、前記基地局は、前記ＵＬ ｉｎｄｅｘの最低有効ビットＬＳＢ及び最高有効ビットＭＳＢを０とし、
前記ダウンリンク制御チャネルがノーマルアップリンクサブフレームにおいて伝送されるＰＵＳＣＨに対応すれば、前記基地局は、前記ＵＬ ｉｎｄｅｘのＬＳＢ及びＭＳＢのうちの少なくとも１つを１とする。
【手続補正５９】
【補正対象書類名】明細書
【補正対象項目名】０１６８
【補正方法】変更
【補正の内容】
【０１６８】
＜実施例１＞本実施例ではＴＤＤ  ＵＬ/ＤＬ構成１の例を挙げ、スペシャルサブフレーム１または６のＵｐＰＴＳにおいて伝送されるＰＵＳＣＨに非同期ＨＡＲＱが用いられ、ダウンリンク制御チャネルによりフィードバック情報を搬送する。ＵｐＰＴＳにおいて伝送されるＰＵＳＣＨに対応するダウンリンク制御チャネルに第１指示フィールドが含まれ、ＵｐＰＴＳにおいて伝送されるＰＵＳＣＨのＨＡＲＱプロセス番号を示すためのものであり、ここで、スペシャルサブフレーム１のＵｐＰＴＳにおいて伝送されるＨＡＲＱプロセス番号は０であり、スペシャルサブフレーム６のＵｐＰＴＳにおいて伝送されるＨＡＲＱプロセス番号は１である。以下、基地局側及び端末側それぞれにおける実施を説明する。
【手続補正６０】
【補正対象書類名】明細書
【補正対象項目名】０１７１
【補正方法】変更
【補正の内容】
【０１７１】
ＡＣＫ/ＮＡＣＫフィードバック情報がＮＡＣＫであれば、基地局は、スペシャルサブフレーム１の後のダウンリンクリソースが含まれるいずれか１つのサブフレーム、または、スペシャルサブフレーム１の後の所定時間内のダウンリンクリソースが含まれるいずれか１つのサブフレームにおいて、（例えば、次の１０個のサブフレームのうちのいずれか１つのダウンリンクサブフレーム及び/またはスペシャルサブフレームは、基地局のスケジューリング及びリソースの割り当てによって決められる）、例えば、サブフレーム９において、アップリンクＤＣＩフォーマットを利用するダウンリンク制御チャネルを当該端末に送信し、当該ダウンリンク制御チャネルにおけるＮＤＩを、当該ＰＵＳＣＨ-１の第１回伝送に対応するダウンリンク制御チャネルにおけるＮＤＩと同様な値とし（例えば、第１回伝送に対応するＮＤＩを０とすれば、当該ダウンリンク制御チャネルにおけるＮＤＩも０とする）、当該ダウンリンク制御チャネルにおける第１指示フィールドに、スペシャルサブフレーム１において送信されたＰＵＳＣＨ-１を示させるようにする。例えば、１ビット第１指示フィールドが「０」とされる場合、ＵｐＰＴＳにおいて伝送されるＰＵＳＣＨのＨＡＲＱプロセス番号０を示す。
【手続補正６１】
【補正対象書類名】明細書
【補正対象項目名】０１７２
【補正方法】変更
【補正の内容】
【０１７２】
２）端末がスペシャルサブフレーム６のＵｐＰＴＳにおいてＰＵＳＣＨ-２伝送するようにスケジューリングする。スペシャルサブフレーム６において、端末により送信されたＰＵＳＣＨ-２を受信し、かつ、１ビットのＡＣＫ/ＮＡＣＫフィードバック情報を取得する。
【手続補正６２】
【補正対象書類名】明細書
【補正対象項目名】０１７４
【補正方法】変更
【補正の内容】
【０１７４】
ＡＣＫ/ＮＡＣＫフィードバック情報がＮＡＣＫであれば、基地局は、スペシャルサブフレーム６の後のダウンリンクリソースが含まれるいずれか１つのサブフレーム、または、スペシャルサブフレーム６の後の所定時間内のダウンリンクリソースが含まれるいずれか１つのサブフレームにおいて（例えば、次の１０個のサブフレームのうちのいずれか１つのダウンリンクサブフレーム及び/またはスペシャルサブフレームは、基地局のスケジューリング及びリソースの割り当てによって決められる）、例えば、サブフレーム９において、アップリンクＤＣＩフォーマットを利用するダウンリンク制御チャネルを当該端末に送信し、かつ、当該ダウンリンク制御チャネルにおけるＮＤＩを、当該ＰＵＳＣＨ-２の第１回伝送に対応するダウンリンク制御チャネルにおけるＮＤＩと同様な値とし（例えば、第１回伝送に対応するＮＤＩを０とすれば、当該ダウンリンク制御チャネルにおけるＮＤＩも０とする）、また、当該ダウンリンク制御チャネルにおける第１指示フィールドに、スペシャルサブフレーム６において送信されたＰＵＳＣＨ-２を示させるようにしする。例えば、１ビット第１指示フィールドが「１」である場合、ＵｐＰＴＳにおいて伝送されるＰＵＳＣＨのＨＡＲＱプロセス番号１を示す。
【手続補正６３】
【補正対象書類名】明細書
【補正対象項目名】０１７９
【補正方法】変更
【補正の内容】
【０１７９】
具体的に、所定時間が設定されれば、所定時間内で検出されていない場合、端末は、基地局が再伝送が指示されたダウンリンク制御チャネルを送信しなかったと判断し、即ち、端末は、ＰＵＳＣＨ-１伝送が成功したと判断し、再伝送は要らなくなる。所定時間が設定されていなければ、当該ＰＵＳＣＨ-１の再伝送有無を判断できるＤＣＩを受信して更なる動作を行うまで、端末はＰＵＳＣＨ-１の情報を保持する。検出した場合、例えば、サブフレーム９において、ダウンリンク制御チャネルを検出すれば、端末は、当該ダウンリンク制御チャネルにおける第１指示フィールドにより示すプロセス番号に基づき、スペシャルサブフレーム１のＵｐＰＴＳにおいて伝送されるＰＵＳＣＨ-１に対応すると決定し、そして、当該ダウンリンク制御チャネルにおけるＮＤＩが当該ＰＵＳＣＨ-１的第１回伝送に対応するＮＤＩに対して反転するか否かにより、再伝送の要否を決定する。例えば、当該ＮＤＩが第１回伝送に対応するＮＤＩと同じであれば、端末は、再伝送が必要と決定し、かつ、当該ダウンリンク制御チャネルにおけるスケジューリング情報に基づき（即ち、指示されたリソース及び変調符号化レベルなどの情報）ＰＵＳＣＨ-１を再伝送する。また、例えば、当該ＮＤＩが第１回伝送に対応するＮＤＩと異なる場合、端末は、新データ伝送であると決定し、スケジューリング情報に基づき、新データを伝送し始まる。即ち、ＰＵＳＣＨ-１伝送が成功したと判断し、再伝送は要らなくなる。
【手続補正６４】
【補正対象書類名】明細書
【補正対象項目名】０１８１
【補正方法】変更
【補正の内容】
【０１８１】
具体的に、所定時間が設定されれば、所定時間内で検出されていない場合、端末は、基地局が再伝送が指示されたダウンリンク制御チャネルを送信しなかったと判断し、即ち、端末はＰＵＳＣＨ-２伝送が成功したと判断し、再伝送は要らなくなる，所定時間が設定されていなければ、当該ＰＵＳＣＨ-２の再伝送有無を判断できるＤＣＩを受信してさらに動作を行うまで、端末は、ＰＵＳＣＨ-２の情報を保持する。検出した場合、例えば、サブフレーム９において、ダウンリンク制御チャネルを検出すれば、端末は、当該ダウンリンク制御チャネルにおける第１指示フィールドにより示すプロセス番号に基づき、スペシャルサブフレーム６のＵｐＰＴＳにおいて伝送されるＰＵＳＣＨ-２に対応すると決定する。そして、当該ダウンリンク制御チャネルにおけるＮＤＩが当該ＰＵＳＣＨ-２の第１回伝送に対応するＮＤＩに対して反転するか否かにより、再伝送するかを決定する。例えば、当該ＮＤＩが第１回伝送に対応するＮＤＩと同じであれば、端末は、再伝送が必要と決定し、かつ、当該ダウンリンク制御チャネルにおけるスケジューリング情報に基づき（即ち、指示されたリソース及び変調符号化レベルなどの情報）ＰＵＳＣＨ-２を再伝送する。また、例えば、当該ＮＤＩが第１回伝送に対応するＮＤＩと異なる場合、端末は、新データ伝送であると決定し、スケジューリング情報に基づき、新データを伝送し始まる。即ち、ＰＵＳＣＨ-２伝送が成功したと判断し、再伝送は要らなくなる。
【手続補正６５】
【補正対象書類名】明細書
【補正対象項目名】０１８４
【補正方法】変更
【補正の内容】
【０１８４】
本実施例では、ＵｐＰＴＳにおいて伝送されるＰＵＳＣＨに対応するダウンリンク制御チャネルに用いられるＤＣＩサイズが、ノーマルアップリンクサブフレームにおいて伝送されるＰＵＳＣＨに対応するダウンリンク制御チャネルに用いられるＤＣＩサイズと異なる場合、ノーマルアップリンクサブフレームに対応するＰＨＩＣＨ伝送サブフレームにおいて、ＵｐＰＴＳにおいて伝送されるＰＵＳＣＨに対応するダウンリンク制御チャネルを伝送することもできる。この際、端末は、異なるサイズのＤＣＩをブラインド検出することにより、ダウンリンク制御チャネルがＵｐＰＴＳのＰＵＳＣＨに対応するかノーマルアップリンクサブフレームにおけるＰＵＳＣＨに対応するかを識別することができる。ＵｐＰＴＳにおいて伝送されるＰＵＳＣＨに対応するダウンリンク制御チャネルに用いられるＤＣＩサイズが、ノーマルアップリンクサブフレームにおいて伝送されるＰＵＳＣＨに対応するダウンリンク制御チャネルに用いられるＤＣＩサイズと同じであれば、基地局は、ＵｐＰＴＳにおいて伝送されるＰＵＳＣＨに対応するダウンリンク制御チャネル及びノーマルアップリンクサブフレームにおいて伝送されるＰＵＳＣＨに対応するダウンリンク制御チャネルが同一のサブフレームにおいて伝送しないようにスケジューリングするか、または定義し、または、ＵｐＰＴＳにおいて伝送されるＰＵＳＣＨに対応するダウンリンク制御チャネル及びノーマルアップリンクサブフレームにおいて伝送されるＰＵＳＣＨに対応するダウンリンク制御チャネルを、異なるＲＮＴＩで識別するように設定する。または、ＵｐＰＴＳにおいて伝送されるＰＵＳＣＨに対応するダウンリンク制御チャネル及びノーマルアップリンクサブフレームにおいて伝送されるＰＵＳＣＨに対応するダウンリンク制御チャネルの第２ビットフィールドの指示フィールドを定義することにより識別する。ここで、ノーマルアップリンクサブフレームにおけるオリジナルＤＣＩサイズを変化させないため、当該ＤＣＩ内のアイドルビットフィールドを利用して再び第２ビットフィールドとする。
【手続補正６６】
【補正対象書類名】明細書
【補正対象項目名】０１９０
【補正方法】変更
【補正の内容】
【０１９０】
方法Ｂでは、当該ダウンリンク制御チャネルにおける第２指示フィールドを「１」とする場合、当該ダウンリンク制御チャネルがＵｐＰＴＳにおいて伝送されるＰＵＳＣＨに対応すると示す。
【手続補正６７】
【補正対象書類名】明細書
【補正対象項目名】０１９４
【補正方法】変更
【補正の内容】
【０１９４】
方法２では、当該ダウンリンク制御チャネルにおける第２指示フィールドを「０」とする場合、当該ダウンリンク制御チャネルがノーマルアップリンクサブフレームにおいて伝送されるＰＵＳＣＨに対応することを示す。
【手続補正６８】
【補正対象書類名】明細書
【補正対象項目名】０１９７
【補正方法】変更
【補正の内容】
【０１９７】
方法Ｂでは、当該ダウンリンク制御チャネルにおける第２指示フィールドが「１」である場合、当該ダウンリンク制御チャネルがＵｐＰＴＳ内のＰＵＳＣＨに対応すると決定する。
【手続補正６９】
【補正対象書類名】明細書
【補正対象項目名】０２０２
【補正方法】変更
【補正の内容】
【０２０２】
方法２では、当該ダウンリンク制御チャネルにおける第２指示フィールドが「０」であることにより、当該ダウンリンク制御チャネルがノーマルアップリンクサブフレームにおけるＰＵＳＣＨに対応すると決定する。
【手続補正７０】
【補正対象書類名】明細書
【補正対象項目名】０２２２
【補正方法】変更
【補正の内容】
【０２２２】
上記いずれの実施例においても、前記決定モジュールは、
前記ダウンリンク制御チャネルにより、前記ダウンリンク制御チャネルがスペシャルサブフレームにおいて伝送されるＰＵＳＣＨに対応するか否かを決定し、
前記ダウンリンク制御チャネルがスペシャルサブフレームにおいて伝送されるＰＵＳＣＨに対応すると決定した後、前記ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正７１】
【補正対象書類名】明細書
【補正対象項目名】０２２３
【補正方法】変更
【補正の内容】
【０２２３】
１つの可能の実施態様では、前記決定モジュールは、
前記ダウンリンク制御チャネルに用いるアップリンクＤＣＩフォーマットのサイズに基づき、前記ダウンリンク制御チャネルがスペシャルサブフレームにおいて伝送されるＰＵＳＣＨに対応するか否かを決定し、及び/または
前記ダウンリンク制御チャネルにおける第１指示フィールドに基づき、前記ダウンリンク制御チャネルがスペシャルサブフレームにおいて伝送されるＰＵＳＣＨに対応するか否かを決定し、前記第１指示フィールドは、前記ダウンリンク制御チャネルに対応するＰＵＳＣＨの関連情報を示し、及び/または
前記ダウンリンク制御チャネルにおける第２指示フィールドに基づき、前記ダウンリンク制御チャネルがスペシャルサブフレームにおいて伝送されるＰＵＳＣＨに対応するか否かを決定し、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルへのスクランブリングに用いるＲＮＴＩに基づき、前記ダウンリンク制御チャネルがスペシャルサブフレームにおいて伝送されるＰＵＳＣＨに対応するか否かを決定し、及び/または
前記ダウンリンク制御チャネルにおける２ビットアップリンクインデックスＵＬ ｉｎｄｅｘ指示フィールドに基づき、前記ダウンリンク制御チャネルがスペシャルサブフレームにおいて伝送されるＰＵＳＣＨに対応するかを決定する。
【手続補正７２】
【補正対象書類名】明細書
【補正対象項目名】０２２５
【補正方法】変更
【補正の内容】
【０２２５】
１つの可能の実施態様では、前記第１指示フィールドに、前記ダウンリンク制御チャネルに対応するＰＵＳＣＨのＨＡＲＱプロセス番号が含まれる。
【手続補正７３】
【補正対象書類名】明細書
【補正対象項目名】０２２７
【補正方法】変更
【補正の内容】
【０２２７】
１つの可能の実施態様では、前記第１ＲＮＴＩが複数の端末に共有すれば、前記決定モジュールは、前記端末のインデックス値に基づき、前記端末の再伝送するか否かを示す指示フィールドの前記ダウンリンク制御チャネルにおける対応位置を決定する。
【手続補正７４】
【補正対象書類名】明細書
【補正対象項目名】０２３０
【補正方法】変更
【補正の内容】
【０２３０】
１つの可能の実施態様では、前記決定モジュールは、
前記ダウンリンク制御チャネルに含まれる再伝送するか否かを示す指示フィールドに基づき、前記スペシャルサブフレームｍにおいて伝送されるＰＵＳＣＨを再伝送するか否かを決定する。
【手続補正７５】
【補正対象書類名】明細書
【補正対象項目名】０２３７
【補正方法】変更
【補正の内容】
【０２３７】
同様な発明思想に基づき、図６に示す実施例に係る基地局は、
端末に、スペシャルサブフレームｍにおいて、物理アップリンク共有チャネル（ＰＵＳＣＨ）を送信させるように、スケジューリングし、前記ｍは整数でありスケジューリングモジュール６１と、
前記スペシャルサブフレームｍにおいて、前記端末により送信されたＰＵＳＣＨを検出する検出モジュール６２と、
前記スペシャルサブフレームｍの後のダウンリンク伝送リソースが含まれるサブフレームまたはサブフレームｍ+ｋにおいて、前記端末にアップリンクダウンリンク制御情報（ＤＣＩ）フォーマットを用いるダウンリンク制御チャネルを送信し、ｋは正整数であり、前記ダウンリンク制御チャネルに前記スペシャルサブフレームｍにおけるＰＵＳＣＨが再伝送するか否かを示す指示フィールドが含まれる処理モジュール６３とを備える。
【手続補正７６】
【補正対象書類名】明細書
【補正対象項目名】０２３９
【補正方法】変更
【補正の内容】
【０２３９】
上記いずれの実施例においても、前記処理モジュールは、
前記ダウンリンク制御チャネルがスペシャルサブフレームにおいて伝送されるＰＵＳＣＨに対応するか否かに基づき、前記ダウンリンク制御チャネルが用いるアップリンクＤＣＩフォーマットのサイズを決定し、及び/または
前記ダウンリンク制御チャネルに第１指示フィールドが含まれ、前記第１指示フィールドは、前記ダウンリンク制御チャネルに対応するＰＵＳＣＨの関連情報を示し、及び/または
前記ダウンリンク制御チャネルに第２指示フィールドが含まれ、前記第２指示フィールドは、前記ダウンリンク制御チャネルに対応するＰＵＳＣＨがスペシャルサブフレームにおけるＰＵＳＣＨまたはノーマルサブフレームにおけるＰＵＳＣＨであることを示し、及び/または
前記ダウンリンク制御チャネルがスペシャルサブフレームにおいて伝送されるＰＵＳＣＨに対応するか否かに基づき、前記ダウンリンク制御チャネルへのスクランブリングに用いるＲＮＴＩを決定し、及び/または
前記ダウンリンク制御チャネルがスペシャルサブフレームにおいて伝送されるＰＵＳＣＨに対応するか否かに基づき、前記ダウンリンク制御チャネルにおける２ビットアップリンクインデックスＵＬ ｉｎｄｅｘ指示フィールドの値を決定する。
【手続補正７７】
【補正対象書類名】明細書
【補正対象項目名】０２４１
【補正方法】変更
【補正の内容】
【０２４１】
１つの可能の実施態様では、前記第１指示フィールドに、前記ダウンリンク制御チャネルに対応するＰＵＳＣＨのＨＡＲＱプロセス番号が含まれる。
【手続補正７８】
【補正対象書類名】明細書
【補正対象項目名】０２４３
【補正方法】変更
【補正の内容】
【０２４３】
１つの可能の実施態様では、スペシャルサブフレームに対応するＲＮＴＩが複数の端末により共有すれば、前記処理モジュールは、複数の端末のインデックス値に基づき、複数の端末の再伝送するか否かを示す指示フィールドを、スペシャルサブフレームに対応する前記ダウンリンク制御チャネルにおける対応の位置にマッピングする。
【手続補正７９】
【補正対象書類名】明細書
【補正対象項目名】０２４８
【補正方法】変更
【補正の内容】
【０２４８】
前記プロセッサ５００は、メモリ５２０に格納されたプログラムを読み出して、前記送受信機５１０により、端末に、スペシャルサブフレームｍにおいて、物理アップリンク共有チャネル（ＰＵＳＣＨ）を送信させるように、スケジューリングし、ｍは整数であり、前記スペシャルサブフレームｍにおいて、前記端末により送信されたＰＵＳＣＨを検出する。前記スペシャルサブフレームｍの後のダウンリンク伝送リソースが含まれるサブフレームまたはサブフレームｍ+ｋにおいて、制御前記送受信機５１０前記端末にアップリンクダウンリンク制御情報（ＤＣＩ）フォーマットを用いるダウンリンク制御チャネルを送信し、ｋは正整数であり、前記ダウンリンク制御チャネルに、前記スペシャルサブフレームｍにおけるＰＵＳＣＨが再伝送するか否かを示す指示フィールドが含まれる。
【国際調査報告】
2019525535.tif 000027
2019525535.tif 000028
2019525535.tif 000029
2019525535.tif 000030